(57)【要約】      （修正有）【課題】家庭用移動ロボットの高度で自律的な挙動を統合する。【解決手段】移動ロボット２００は、メモリと、無線ネットワーク回路とに接続されるプロセッサを備える。プロセッサは、移動ロボットを家庭内の複数のアクセス可能な２次元ロケーションに駆動し、少なくとも１つのモータ付きアクチュエータを含むエンドエフェクタに家庭内で機械作業を行うように命じる。複数のルーチンは、無線ローカルネットワークを監視して無線ローカルネットワーク上のネットワークエンティティのプレゼンスを検出する第１のルーチンと、ネットワークエンティティのうちの１つの動作状態を検出するセンサから信号を受信し、動作状態は準備態勢とアクティブとの間で変化可能である第２のルーチンと、上記プレゼンス及び動作状態に基づいてエンドエフェクタに機械作業の実行状態を変更するように命じる第３のルーチンとを含む。【選択図】図１
2020124508.tif 000002
【特許請求の範囲】
【請求項１】
移動ロボットであって、
メモリと、無線ネットワーク回路とに接続されるプロセッサであって、前記メモリに記憶されたルーチンと、該ルーチンによって生成され、前記無線ネットワーク回路を介して受信されるコマンドとを実行する、プロセッサと、
前記プロセッサによって、家庭内の複数のアクセス可能な２次元ロケーションに達するように命じることが可能な従動輪と、
前記プロセッサによって、前記家庭内で機械作業を行うように命じることが可能な少なくとも１つのモータ付きアクチュエータを含むエンドエフェクタであって、前記プロセッサは、
前記無線ネットワーク回路と通信することによって無線ローカルネットワークを監視し、該無線ローカルネットワーク上の１つ又は複数のネットワークエンティティのプレゼンス状態を検出する第１のルーチンと、
センサから信号を受信する第２のルーチンであって、該センサは、前記ネットワークエンティティのうちの１つの動作状態を検出し、該動作状態は、待機とアクティブとの間で変化可能である、第２のルーチンと、
前記第１のルーチン及び前記第２のルーチンによって検出された前記プレゼンス状態及び前記動作状態に基づいて、前記エンドエフェクタに機械作業の実行状態を変更するように命じる第３のルーチンと、
を含む、複数のルーチンを実行する、エンドエフェクタと、
を含む、移動ロボット。
【請求項２】
前記第１のルーチンは、前記無線ローカルネットワーク上の移動デバイスの前記プレゼンス状態を検出し、前記第２のルーチンは、前記移動デバイス内の呼状態センサからの信号を受信し、該センサは、前記移動デバイスの前記呼状態を前記動作状態として検出し、前記呼状態は、呼準備態勢と、呼受信との間で変化可能である、請求項１に記載の移動ロボット。
【請求項３】
前記エンドエフェクタは、前記移動ロボットの前記清掃ヘッドであり、前記第３のルーチンは、前記無線ローカルネットワーク上の前記移動デバイスの前記プレゼンスと、前記移動デバイスの前記動作状態としての前記呼状態とに基づいて、前記ロボットの前記清掃ヘッドに清掃状態を変更するように命じる、請求項２に記載の移動ロボット。
【請求項４】
前記清掃状態の変更は、従動輪アクチュエータを含む、前記移動ロボットの雑音を発生させる全てアクチュエータに、呼の完了まで停止及び／又はアイドリングするように命じることを含む、請求項３に記載の移動ロボット。
【請求項５】
前記清掃状態の変更は、前記移動デバイスの前記呼状態の、通話中から終呼への変化を受けて、アクチュエータに、前記移動ロボットの前記清掃ヘッドを再始動させるように命じることを含む、請求項３に記載の移動ロボット。
【請求項６】
前記清掃状態の変更は、前記無線ローカルネットワーク上の前記移動デバイスの前記プレゼンスの、有りから無しへの変化を受けて、アクチュエータに、前記移動ロボットの前記清掃ヘッドを再始動させるように命じることを含む、請求項３に記載の移動ロボット。
【請求項７】
前記移動ロボットプロセッサ及び無線ネットワーク回路は、前記移動デバイスの有りから無しへの変化に関して、前記家庭を出発したこととして、約５メートル〜約２０メートルの最大範囲を有するローカル無線ネットワークを監視し、前記移動デバイスが出発したと判断すると、前記家庭内の清掃ミッションを再始動させる前に或る期間待機し、前記移動デバイスが前記家庭を出発したことを検証する、請求項６に記載の移動ロボット。
【請求項８】
前記移動ロボットプロセッサ及び無線ネットワーク回路は、ハンドヘルド及び可搬移動デバイスの一意の識別情報に関して、約５メートル〜約２０メートルの最大範囲を有するローカル無線ネットワークを監視し、前記ハンドヘルド及び可搬移動デバイスが前記家庭内に存在することを判断する、請求項１に記載の移動ロボット。
【請求項９】
前記第１のルーチンは、前記無線ローカルネットワーク上の移動デバイスの前記プレゼンス状態を検出し、前記第２のルーチンは、前記移動ロボット内の清掃準備態勢センサから信号を受信し、該センサは、前記移動ロボットの前記清掃準備態勢を前記動作状態として検出し、前記清掃準備態勢状態は、清掃準備態勢と、清掃アクティブとの間で変化可能である、請求項１に記載の移動ロボット。
【請求項１０】
前記第３のルーチンは、前記ロボットの前記清掃ヘッドに、前記無線ローカルネットワーク上の前記移動デバイスの前記プレゼンスと、前記移動ロボットの前記動作状態としての前記清掃準備態勢状態とに基づいて、清掃状態を変更するように命じる、請求項９に記載の移動ロボット。
【請求項１１】
前記エンドエフェクタは、前記移動ロボットの前記清掃ヘッドであり、前記清掃準備態勢は静止状態であり、前記モータ付きアクチュエータは静止状態で静止している、請求項１０の移動ロボット。
【請求項１２】
前記移動ロボットプロセッサ及び無線ネットワーク回路は、ハンドヘルド及び可搬移動デバイスの一意の識別情報に関して、約５メートル〜約２０メートルの最大範囲を有するローカル無線ネットワークを監視し、前記ハンドヘルド及び可搬移動デバイスが前記家庭内に存在することを判断する、請求項１に記載の移動ロボット。
【請求項１３】
前記移動ロボットプロセッサ及び無線ネットワークアダプタは、ハンドヘルド及び可搬移動デバイスの一意のメディアアクセス制御アドレスに関して走査し、前記ハンドヘルド及び可搬移動デバイスが前記家庭内に存在することを判断する、請求項１２に記載の移動ロボット。
【請求項１４】
前記移動ロボットプロセッサ及び無線ネットワーク回路は、プライベートインターネットプロトコルサブネット上のインターネットプロトコルアドレスに関して走査し、新たに走査されたインターネットプロトコルアドレスのメディアアクセス制御アドレスを、既知のハンドヘルド及び可搬移動デバイスに対応する少なくも１つの以前に記憶された一意のメディアアクセス制御アドレスと比較し、前記ハンドヘルド及び可搬移動デバイスが前記家庭に到着したことを判断する、請求項１２に記載の移動ロボット。
【請求項１５】
前記移動ロボットプロセッサ及び無線ネットワーク回路は、ターゲットネットワークエンティティに関して、約５メートル〜約２０メートルの最大範囲を有するローカル無線ネットワークを監視し、新たなターゲットエンティティがプライベートインターネットプロトコルサブネット上に到着したことを判断すると、前記ターゲットネットワークエンティティをプライベートサブネットアドレス及び一意のメディアアクセス制御アドレスにおいてピングし、前記ネットワークエンティティが前記家庭に到着したことを検証する、請求項１に記載の移動ロボット。
【請求項１６】
位置特定センサを備える位置特定回路を更に備え、ターゲットネットワークエンティティがプライベートプロトコルサブネット上に到着したことを判断すると、前記移動ロボットプロセッサは、前記清掃状態が変化したロケーションと、清掃ミッションが終了したロケーションとを記録する、請求項１の移動ロボット。
【請求項１７】
前記移動ロボットは、前記清掃状態が変化した前記ロケーションに戻り、清掃ミッションの再始動を受けて、前記清掃ミッションを再開する、請求項１６に記載の移動ロボット。
【請求項１８】
前記移動ロボットプロセッサ及び無線ネットワーク回路は、既知のネットワークエンティティの有りから無しへの変化に関して、前記家庭を出発したこととして、約５メートル〜約２０メートルの最大範囲を有するローカル無線ネットワークを監視し、前記ネットワークエンティティが出発したと判断すると、前記家庭内の清掃ミッションを開始する前に或る期間待機し、出発したことを検証する、請求項１に記載の移動ロボット。
【請求項１９】
前記清掃準備態勢は、前記移動ロボットのバッテリ充電状態を含む、請求項９に記載の移動ロボット。
【請求項２０】
移動ロボットであって、
メモリと、無線ネットワーク回路とに接続されるプロセッサであって、前記メモリに記憶されたルーチンと、該ルーチンによって生成され、前記無線ネットワーク回路を介して受信されるコマンドとを実行する、プロセッサと、
前記プロセッサによって、家庭内の複数のアクセス可能な２次元ロケーションに達するように命じることが可能な従動輪と、
前記プロセッサによって読み取り可能な環境センサであって、前記プロセッサは、
前記従動輪に前記ロボットを前記家庭で動き回らせるように命じる第１のルーチンと、
前記家庭内の複数の前記アクセス可能な２次元ロケーションにおいて環境センサ読み取り値を取得する、第２のルーチンと、
前記家庭全体にわたる前記センサ読み取り値に基づいて、専用環境センサを備えるネットワークエンティティに、前記専用環境センサの読み取り値単独で違ったふうに判断するのにも関らず、データを送信し、結果として、前記ネットワークエンティティ上のモータ付きアクチュエータが前記家庭内の機械作業を行うようにアクティブ化される第３のルーチンと、
を含む、複数のルーチンを実行する、環境センサと、
を含む、移動ロボット。
【請求項２１】
前記家庭内の前記複数のアクセス可能な２次元ロケーションで取得された前記センサ読み取り値は環境センサ読み取り値であり、前記環境センサは空気品質センサであり、前記ネットワークエンティティは空気清浄機である、請求項２０に記載の移動ロボット。
【請求項２２】
前記家庭内の前記複数のアクセス可能な２次元ロケーションで取得された前記センサ読み取り値は環境センサ読み取り値であり、前記環境センサは湿度センサであり、前記ネットワークエンティティは加湿器である、請求項２０に記載の移動ロボット。
【請求項２３】
前記家庭内の前記複数の２次元ロケーションで取得された前記センサ読み取り値は、前記家庭内のセンサ読み取り値の２次元マップを埋め、該２次元マップは、前記移動ロボットと前記ネットワークを介して通信するヒューマンマシンインタフェースデバイスに表示される、請求項２０に記載の移動ロボット。
【請求項２４】
前記家庭内の前記複数の２次元ロケーションで取得された前記センサ読み取り値は、前記家庭内のセンサ読み取り値の３次元マップを埋め、該２次元マップは、前記移動ロボットと前記ネットワークを介して通信するヒューマンマシンインタフェースデバイスに表示される、請求項２０に記載の移動ロボット。
【請求項２５】
移動ロボットであって、
メモリと、無線ネットワーク回路とに接続されるプロセッサであって、前記メモリに記憶されたルーチンと、該ルーチンによって生成され、前記無線ネットワーク回路を介して受信されるコマンドとを実行する、プロセッサと、
前記プロセッサによって、家庭内の複数のアクセス可能な２次元ロケーションに達するように命じることが可能な従動輪と、
前記家庭内のオブジェクトからのセンサ読み取り値を観測する少なくとも１つの位置特定センサを備え、前記観測されたオブジェクトを基準にして前記移動ロボットの現在の姿勢を求める、位置特定回路であって、前記プロセッサは、
前記従動輪に前記ロボットを前記家庭で動き回らせるように命じるナビゲーションルーチンと、
前記位置特定回路からの観測結果を蓄積し、前記移動ロボットのあり得るロケーションを示す２次元配列を記録する平面マッピングルーチンと、
時間計測された読み取り値を前記位置特定回路から蓄積し、前記移動ロボットが前記２次元配列内のあり得るロケーションの連続的な集合に対応する平面エリアを実質的にカバーするための、少なくとも１つの推定完了期間を求める、ミッション時間推測ルーチンと、
目標完了時間を前記少なくとも１つの推定完了期間と比較し、前記少なくとも１つの推定完了時間が経過するのに十分なだけ前記目標完了時間よりも前に平面エリアのカバーを開始するように前記従動輪に命じ、それにより前記平面エリアが前記目標完了時間よりも前に実質的にカバーされるようにする、ミッション先行計画ルーチンと、
を含む、複数のルーチンを実行する、位置特定回路と、
を備える、移動ロボット。
【請求項２６】
前記ミッション先行計画ルーチンは、前記家庭の占有スケジュールに基づいて、ターゲット完了時間を識別することと、前記ロボットを自律的に発進することとを更に含む、請求項２５に記載の移動ロボット。
【請求項２７】
前記占有スケジュールは、ユーザインタフェースディスプレイにおいて前記移動ロボットに直接入力される、請求項２６に記載の移動ロボット。
【請求項２８】
前記占有スケジュールは、前記移動ロボットと無線通信するリモートヒューマンマシンインタフェースから前記ロボットに無線で送信される、請求項２６に記載の移動ロボット。
【請求項２９】
前記占有スケジュールは、予め備わっているカレンダとの統合を通して、前記移動ロボットに無線で送信される、請求項２６に記載の移動ロボット。
【請求項３０】
前記移動ロボットは、１つ又は複数の期間にわたって前記家庭の占有スケジュールを監視及び学習し、前記学習した占有スケジュールに基づいて前記目標完了時間を設定する、請求項２５に記載の移動ロボット。
【請求項３１】
前記移動ロボットは、ある期間にわたって前記家庭の占有スケジュールを監視及び学習し、１つ又は複数の占有パターンを識別し、該１つ又は複数の学習した占有パターンに基づいて前記目標完了時間を設定する、請求項２５に記載の移動ロボット。
【請求項３２】
移動ロボットであって、
メモリと、無線ネットワーク回路とに接続されるプロセッサであって、前記メモリに記憶されたルーチンと、該ルーチンによって生成され、前記無線ネットワーク回路を介して受信されるコマンドとを実行するプロセッサと、
前記プロセッサによって、家庭内の複数のアクセス可能な２次元ロケーションに達するように命じることが可能な従動輪と、
前記プロセッサによって、環境品質の現在の読み取り値を取得するように読み取り可能な環境センサと、
前記家庭内のオブジェクトからのセンサ読み取り値を観測する少なくとも１つの位置特定センサを備え、前記観測されたオブジェクトを基準にして前記移動ロボットの現在の姿勢を求める、位置特定回路であって、前記プロセッサは、
前記従動輪に前記ロボットを前記家庭で動き回らせるように命じるナビゲーションルーチンと、
前記位置特定回路からの観測結果を蓄積し、前記移動ロボットのあり得るロケーションを示す２次元配列を記録する平面マッピングルーチンと、
前記家庭内の複数の前記アクセス可能な２次元ロケーションにおける前記環境センサからの読み取り値の取得及び蓄積を行い、前記読み取り値と、前記移動ロボットのあり得るロケーションを示す前記２次元配列とに基づいて、前記メモリに３次元配列を記憶させる環境マッピングルーチンと、
前記３次元配列を複数の住宅環境制御ノードのロケーションに相関させるロケーション応答環境制御ルーチンであって、各住宅環境制御ノードは、専用環境センサと、モータ付きアクチュエータを、前記家庭内で機械作業を行うように作動させる制御チャネルとを備え、該ロケーション応答環境制御ルーチンは、前記３次元配列に示される環境マッピングロケーションに対する少なくとも１つの制御ノードのプロキシミティに基づいて、データを送信し、それにより前記少なくとも１つの環境制御ノードが、モータ付きアクチュエータに前記家庭内で機械作業を行うように命じる、ロケーション応答環境制御ルーチンと、
を含む、複数のルーチンを実行する、位置特定回路と、
を備える、移動ロボット。 
【発明の詳細な説明】
【技術分野】
【０００１】
本発明は、移動ロボットに関し、より詳細には、移動ロボットを備えるシステム及び移動ロボットを含む方法に関する。
【０００２】
［関連出願］
本出願は、２０１３年１月１８日に出願された「Environmental Management Systems Including Mobile Robots And Methods Using Same」と題する米国仮特許出願第６１／７５４，３１９号及び２０１３年３月５日に出願された「Environmental Management Systems Including Mobile Robots And Methods Using Same」と題する米国仮特許出願第６１／７７２，９４０号及び２０１３年１０月５日出願された「Environmental Management Systems Including Mobile Robots And Methods Using Same」と題する米国仮特許出願第１４／０４６，９４０号の利益及び優先権を主張する。これらの米国仮特許出願の開示内容は、その全体が、引用することによって本明細書の一部をなすものとする。
【背景技術】
【０００３】
接続性（すなわち、インターネット及びリモートクライアントへの無線接続）が、しばらくの間、家庭用電化製品について検討されてきた。
【０００４】
近年、「モノのインターネット」という用語は、全種類の家庭用物品を公衆インターネットに接続することができるという発想を表してきている。そのような物品は、接続されると、様々なデータをサーバデバイス及びクライアントデバイスに報告することができる。例えば、１つの発想は、家庭用ＷＡＮ（無線エリアネットワーク）に「スマート」電球を接続することである。各電球は、マイクロプロセッサと、メモリと、ステータス、電力、及び無線接続を検出又は解釈する或る手段とを有する。電球は、これらの構成要素を用いて、そのステータスの報告、ポーリングを受けること等を行うことができる。
【０００５】
この概念は広く、一般的に、モノのインターネットの物品が公衆インターネットに有効に接続するのに十分な計算リソース又は通信を備えると通常はみなされないという点でのみ、一般の家庭用接続性（例えば、コンピュータ、ケーブルボックス、メディアデバイス等）と異なる。従来の冷蔵庫は、インターネットに接続しない。「モノのインターネット」の物品としての同デバイスは、リモート及びローカルにアドレス指定可能なエンティティになるための計算ハードウェア、センサハードウェア、及び通信ハードウェアと、十分なソフトウェアとを備える。このインターネット冷蔵庫がその様々な状態（電力消費等）を報告することができ、リモートコマンド（内部温度の増減）に応答することができるということが期待されている。
【０００６】
家庭用移動ロボットも、「モノのインターネット」の物品となることできる。幾つかの点で、家庭用移動ロボットは、このセットの中では異なる種である。一般的に言えば、家庭用移動ロボットは、その自律性によって他の器具から区別される。他の器具は、予測不可能で変動し得る環境では動作しない。他の器具は、ミッション完了を達成するために、数十個又は数百個のセンサ入力に基づいて非常に多くの自律的な決定を行わない。
【０００７】
自動皿洗い機は、モノのインターネットの自動皿洗い機であっても、内容物であるものについて何も知らず、単純な目詰まりセンサ又は他のセンサによって中断される可能性があるモータ及びポンプを制御する単純なスクリプトの同等物を実行する。ｉＲｏｂｏｔ  Ｒｏｏｍｂａ電気掃除ロボットは、そのミッションの過程において、それ自体の状態を非常に多くの方法で検出することができ、家庭内の困難な状況から柔軟に逃避することができるだけでなく、予測的な活動及び計画的な活動に従事することができる。
【発明の概要】
【発明が解決しようとする課題】
【０００８】
「モノのインターネット」の接続性のコア概念を有する家庭用移動ロボットの高度で自律的な挙動の統合には、まだ対処されていない多くの課題が存在する。
【課題を解決するための手段】
【０００９】
以下の発明の概要では、幾つかの段落は、本明細書において開示される発明及び／又は発明の実施形態への、「実施形態」又は「発明」を論じる際の数量を指定しない言及を含む。この用語は、本明細書において開示される１つ又は複数の発明の必須ではないオプションの特徴を示す。
【００１０】
本発明の実施形態又は本明細書において開示される発明によれば、移動ロボットは、メモリと、無線ネットワーク回路とに接続されるプロセッサを備える。このプロセッサは、メモリに記憶されたルーチンと、ルーチンによって生成され、無線ネットワーク回路を介して受信されるコマンドとを実行する。移動ロボットは、プロセッサによって、家庭内の複数のアクセス可能な２次元ロケーションに達するように命じることが可能な従動輪と、プロセッサによって、家庭内で機械作業を行うように命じることが可能な、少なくとも１つのモータ付きアクチュエータを含むエンドエフェクタとを備え、プロセッサは、複数のルーチンを実行する。複数のルーチンは、無線ネットワーク回路と通信することによって無線ローカルネットワークを監視し、無線ローカルネットワーク上の１つ又は複数のネットワークエンティティのプレゼンス状態を検出する第１のルーチンと、センサから信号を受信し、このセンサがネットワークエンティティのうちの１つの動作状態を検出し、動作状態は待機とアクティブとの間で変化可能である第２のルーチンと、第１のルーチン及び第２のルーチンによって検出されたプレゼンス状態及び動作状態に基づいて、エンドエフェクタに機械作業の実行状態を変更するように命じる第３のルーチンとを含む。
【００１１】
幾つかの実施形態、又は本明細書において開示される及び／又は上記で開示された発明では、「エンドエフェクタ」という用語は、移動ロボット、自律型多関節ロボット又はリモート制御ロボットの作業ペイロードを含み、これには通常の意味でのマニュピレータ及びツールと清掃ヘッド端部とが含まれる。本明細書において説明されるエンドエフェクタは、アーム又はマストの端部である必要はなく、移動ロボットに直接、又は懸架装置若しくは他のリンク装置を介して取り付けることができる。作業ペイロードは、ツールを動かす動力付きアクチュエータを用いて機械作業を行う。作業ペイロードの１つの例は、清掃ヘッド（回転式又は往復式のブラシ若しくはパッド及び／又は吸込具等）である。ここで述べられるネットワークエンティティは、ネットワークに登録され、メッセージの送受信のための一意のアドレスを付与され、同じネットワーク又は接続されたネットワークにおける他のネットワークエンティティマシン及び／又はコントローラが利用可能なマシン及び／又はコントローラである。
【００１２】
幾つかの実施形態、又は本明細書において開示される及び／又は上記で開示された発明では、「同じネットワーク」は、ＮＡＴホスティング（通常はＲＦＣ１９１８プライベートアドレス空間を用いた、インターネット全体からプライベートサブネットへのネットワークアドレス変換）を提供するルーティングネットワークエンティティ又はスイッチングネットワークエンティティの背後にある、プライベートＩＰ（インターネットプロトコル）サブネット上のプライベートアドレスの集合を意味する。プライベートサブネット上の各ネットワークエンティティは、他のネットワークエンティティのプライベートＩＰアドレスと、各プライベートＩＰアドレスに関連付けられたＭＡＣ（媒体アクセス制御）アドレスとを走査することができる。幾つかの実施形態、又は本明細書において開示される発明では、ネットワークエンティティ（例えば、移動ロボット）のプロセッサ上で実行されるルーチンは、別のネットワークエンティティ（例えば、移動ハンドセット）のＭＡＣアドレスに関してプライベートサブネットを監視し、本明細書において論述されるように、監視されるＭＡＣアドレスがプライベートサブネット上でＩＰアドレスとして表示されるときに何らかの動作を実行することができる。幾つかの実施形態、又は本明細書において開示される発明では、「プレゼンス状態」とは、別のネットワークエンティティの観測された状態（すなわち、走査しているネットワークエンティティへの潜在的なプロキシミティを示す、別のネットワークエンティティのＩＰアドレス及びＭＡＣアドレスの走査及び検出、及び／又はプロキシミティからのある得る接近及び撤退を示す、その検出における以前の走査からの変化）である。一般的に、これは通常の家庭用無線ＡＰ（アクセスポイント）の通常の無線範囲に関する。この範囲は或る限られた範囲にわたって広がり、民生用機器の上限は１０メートル〜２０メートルである。換言すれば、移動ハンドセットが最も近い家庭用無線ＡＰから１０メートル〜２０メートルの限界を越えて移動したとき、この移動ハンドセットを持ち運んでいる人は家庭を去った場合がある。他の要因（例えば、過去の勤務時間、移動ハンドセットの過去の動きのパターン、出発ステータスへとつながる信号減少の速度及びパターン、及び／又はネットワークから離れている時間の長さのうちの２つ以上）との相関関係に基づいて、解析ルーチン（移動ロボットプロセッサ、移動ハンドセットに常駐しているアプリケーション、又は環境制御パネルプロセッサによって実行される）による到着又は出発の判定の信頼性は向上することができる。
【００１３】
幾つかの実施形態、又は本明細書において開示される及び／又は上記で開示された発明では、第１のルーチンは、無線ローカルネットワーク上の移動デバイスのプレゼンス状態を検出し、第２のルーチンは、移動デバイス内の呼状態センサからの信号を受信し、このセンサは、移動デバイスの呼状態を動作状態として検出し、呼状態は、呼準備態勢と、呼受信との間で変化可能である。実施形態又は本明細書において開示される発明では、第２のルーチンによって受信される信号は、移動デバイス上で実行される監視アプリケーションから送信される。実施形態又は本明細書において開示される発明では、エンドエフェクタは、移動ロボットの清掃ヘッドである。実施形態又は本明細書において開示される発明では、第３のルーチンは、無線ローカルネットワーク上の移動デバイスのプレゼンス及び移動デバイスの動作状態としての呼状態に基づいて、ロボットの清掃ヘッドに清掃状態を変更するように命じる。
【００１４】
幾つかの実施形態、又は本明細書において開示されるか若しくは上記で開示された発明では、「動作状態」という用語は、アクチュエータ又は制御システムのアイドルとアクティブとの間の移行を反映した１つ又は複数の状態を含む。動作状態は、作動される機械アクチュエータ、電動アクチュエータ、信号アクチュエータ、又は他のアクチュエータに適用されるロジック又はデータ状態であり、データベースに記憶し、及び／又はセンサによって直接及び反応的に監視することができる。さらに、動作する判断がシステム内のロジックによって行われる中間状態があることができる。例えば、呼状態又は呼「動作状態」（例えば、電話が呼に対してアクティブであるか否か）では、電話は、呼の準備が完了していることもできるし、まだ応答されていない呼を鳴らしていることもできるし、呼は通話中とすることもできる。さらに、動作状態は、「オン」対「オフ」である必要はなく、「低」対「高」とすることもできるし、多様な範囲で示すこともできる。例えば、清掃状態又は清掃「動作状態」（例えば、アクチュエータによって動かされる清掃ヘッドが清掃に対してアクティブであるか否か）では、清掃ヘッドは、アイドル中とすることも、低電力モード又は低速モードとすることも、高電力モード又は高速モードとすることもできる。
【００１５】
幾つかの実施形態、又は本明細書において開示されるか若しくは上記で開示された発明では、移動デバイスが呼を受信すると、呼状態は待機からアクティブに変化する。幾つかの実施形態、又は本明細書において開示される発明では、清掃状態は、モータ付き清掃アクチュエータ又は床移動アクチュエータ（いずれか又は両方）の電源をオフにすることによって変更される。また、他の実施形態、又は本明細書において開示される発明では、清掃状態は、モータ付き清掃アクチュエータがフルパワーで動作することから低電力の低デシベル状態で動作することへと変更される。実施形態では、フルパワー状態とは、モータ付きアクチュエータが清掃ヘッドの吸出しファン又はローラ要素をフルスピードで動作させることを示し、低電力状態とは、モータ付きアクチュエータが清掃ヘッドの吸出しファン又はローラ要素をより低速で動作させることを示す。
【００１６】
幾つかの実施形態、又は本明細書において開示されるか若しくは上記で開示された発明では、第２のルーチンが受信する信号は、移動ロボット上のセンサから送信される。幾つかの例では、移動ロボット上のセンサは、呼信号、すなわち、可聴又は超音波の呼出音を感知する音声センサである。他の例では、移動ロボットにおけるセンサは、例えば、電話呼の携帯電話モデムと同一又は同様の周波数帯域の電話呼を示す無線周波数信号を検出する無線受信機である。幾つかの実施形態、又は本明細書において開示される発明では、呼の受信を知らせるセンサは、電話デバイスを耳まで持ち上げることに関連した動きを測定する加速度計、受信者の頭部に対する電話デバイスの近接度を測定する近接センサ、呼出音を示す振動を引き起こすか又は検出するための振動アクチュエータ又はセンサ、及び呼出音を聴覚的に検出するための、電話におけるマイクロフォン等の、移動デバイス上の単一のセンサ又はセンサの組み合わせである。
【００１７】
幾つかの実施形態、又は本明細書において開示される発明では、移動ロボットプロセッサによって実行されるルーチンによって下される判断は、代わり又は代替形態において、移動ロボットプロセッサ及びスマートフォンが互いに通信することができるネットワークエンティティである限り、スマートフォンプロセッサを介して実行されるオペレーティングシステムがホストする区画化されたアプリケーション又は他のアプリケーションによって実行されるルーチンによって実行される。本開示は、スマートフォン上のパートナアプリケーションによってそのようなルーチンを実行することができることと、移動ロボットにアクチュエータを作動させるように移動ロボットプロセッサによって使用される、結果として得られるデータ、命令又は情報は、共有ネットワークを介して伝送することができることとを企図する。
【００１８】
幾つかの実施形態、又は本明細書において開示されるか若しくは上記で開示された発明では、第１のルーチンは、無線ローカルネットワーク上の移動デバイスのプレゼンス状態を検出し、第２のルーチンは、移動ロボット内の清掃準備態勢センサから信号を受信する。このセンサは、移動ロボットの清掃準備態勢状態を動作状態として検出し、清掃準備態勢状態は、清掃準備態勢と清掃アクティブとの間で変更可能である。実施形態又は本明細書において開示される発明では、移動ロボットは、清掃準備態勢を監視する監視ルーチンを実行する。幾つかの実施形態では、清掃準備態勢は、移動ロボットのバッテリ充電（対応する清掃準備態勢センサは、例えば、電子電量分析及び／又は他のバッテリ充電状態センサに依拠する）である。また、他の実施形態では、清掃準備態勢は、移動ロボットの静止状態（対応する清掃準備態勢センサは、１つ又は複数の走行距離計、加速度計、又はアクチュエータの電流測定値に依拠して、ロボットが自由に動くことができるか、又は行き詰まっている若しくは動きを制限されているかを判断する「静止」センサである）である。実施形態又は本明細書において開示される発明では、エンドエフェクタは、移動ロボットの清掃ヘッドであり、清掃準備態勢は静止状態であり、モータ付きアクチュエータは静止状態で静止している。
【００１９】
幾つかの実施形態、又は本明細書において開示されるか若しくは上記で開示された発明では、第３のルーチンは、ロボットの清掃ヘッドに、無線ローカルネットワーク上の移動デバイスのプレゼンスと、移動ロボットの動作状態としての清掃準備態勢状態とに基づいて、清掃状態を変更するように命じる。
【００２０】
移動ロボットが、占有者の移動デバイスがローカルネットワーク上に現れることで判断される占有者のプレゼンスを示す信号を受信することの１つの利点は、移動ロボットが監視ルーチンを実行し、監視ルーチンに設定された条件に応答して、プレゼンスに反応的に応答することである。幾つかの実施形態、又は本明細書において開示される及び上記で開示された発明では、移動ロボットは、１つ又は複数の移動デバイスのプレゼンスに関してローカルネットワークを独立して監視する。代替的又は追加的に、移動デバイスは、ネットワークに入り、アプリケーション又は移動デバイスプロセッサ上で実行される実行可能コマンドの集合を通して移動ロボットに自身のプレゼンスを示し、移動ロボットに命令を無線通信する。
【００２１】
幾つかの実施形態、又は本明細書において開示されるか若しくは上記で開示された発明では、移動ロボットのプロセッサはルーチン（複数の場合もある）を実行することができる。このルーチン（複数の場合もある）は、移動デバイスがネットワークを離れ、移動ロボットの準備が完了した、例えば、移動ロボットバッテリが充電された場合、ロボットの準備の完了と、家庭の占有者の不在との両方を共に示す開始信号又は測定が監視されることに応答して、ミッション、例えば清掃ミッションを起動及び実行する。「ミッション」は、（ロボットが空間を通ってナビゲートする場所において）移動中に行われ、開始判定基準（例えば、ユーザコマンド、スケジュール、閾値又は設定値に基づくコマンド又は判断）並びに終了判定基準及び／又は完了判定基準（例えば、時間制限、エリア制限、バッテリ充電残量制限、１つのエリアがカバーされる回数、及び／又は塵埃検出による清潔度スコア）を有する、機械作業タスクの開始から終了までの１セットを含む。ミッションは、２回以上の出動で完了する場合がある。移動ロボットのプロセッサは、ロボットが正常に（そしておそらく大音量で）作動していることと、家庭の占有者が自身の付近では雑音を減少させるように要求したか、又は更に静かにすることを突然必要としたこととの両方を共に示す開始信号又は測定が監視されることに応答して、占有者のもとから去るか、音量を下げるか、又は自身の電源をオフにして、占有者が電話呼に出るときにロボットを静かにするルーチン（複数の場合もある）を実行する。したがって、移動ロボットは、自身のミッションを中断して、占有者が背景の雑音の干渉を受けることなく移動デバイスにおいて発信者の声を聞くことができるようにして、状況に応じる形で機能する。
【００２２】
幾つかの実施形態、又は本明細書において開示されるか若しくは上記で開示された発明では、移動ロボットは、移動デバイスを握持若しくは携帯している占有者のもとから後退するか、又は移動ロボットは自身のモータ付きアクチュエータの音量を下げる。これらのモータ付きアクチュエータは、吸出しファンを作動させるアクチュエータ、動輪を作動させるアクチュエータ及び／又は１つ又は複数の清掃ヘッドローラ若しくはブラシを作動させるアクチュエータ等である。移動ロボットは、呼状態を監視し、実施形態において、呼を示す無線周波数に関して監視する。呼が終了すると、移動ロボットはミッションを中断した場所に自律的に戻り、その部屋のカバレッジを完了する。したがって、移動ロボットは、占有者のプレゼンスと、移動デバイスにおける呼の受信とを配慮しながら、生活空間全体にわたってミッションを完了する。
【００２３】
一実施形態、又はここで説明される若しくは上記で説明された発明では、清掃状態の変更は、従動輪アクチュエータを含む、移動ロボットの雑音を発生させる全てのアクチュエータに、呼の完了まで停止及び／又はアイドリングするように命じることを含む。または、追加的に若しくは代替的に、清掃状態の変更は、移動デバイスの呼状態の、通話中から終呼への変化を受けて、アクチュエータに移動ロボットの清掃ヘッドを再始動させるように命じることを含む。または、追加的に若しくは代替的に、清掃状態の変更は、無線ローカルネットワーク上の移動デバイスのプレゼンスの、有りから無しへの変化を受けて、アクチュエータに移動ロボットの清掃ヘッドを再始動させるように命じることを含む。
【００２４】
一実施形態、又は本明細書において開示されるか若しくは上記で開示された発明によれば、移動ロボットプロセッサ及び無線ネットワーク回路は、移動デバイスの有りから無しへの変化に関して、家庭を出発したこととして、約５メートル〜約２０メートルの最大範囲を有するローカル無線ネットワークを監視し、移動デバイスが出発したと判断すると、家庭内の清掃ミッションを再始動させる前に或る期間待機し、移動デバイスが家庭を出発したことを検証する。
【００２５】
一実施形態、又は本明細書において開示されるか若しくは上記で開示された発明によれば、移動ロボットプロセッサ及び無線ネットワーク回路は、ハンドヘルド及び可搬移動デバイスの一意の識別情報に関して、約５メートル〜約２０メートルの最大範囲を有するローカル無線ネットワークを監視し、ハンドヘルド及び可搬移動デバイスが家庭内に存在することを判断する。
【００２６】
一実施形態、又は本明細書において開示されるか若しくは上記で開示された発明によれば、移動ロボットプロセッサ及び無線ネットワーク回路は、ハンドヘルド及び可搬移動デバイスの一意の識別情報に関して、約５メートル〜約２０メートルの最大範囲を有するローカル無線ネットワークを監視し、ハンドヘルド移動デバイス及び可搬移動デバイスが家庭内に存在することを判断する。この場合、追加的に又は代替的に、移動ロボットプロセッサ及び無線ネットワークアダプタは、ハンドヘルド及び可搬移動デバイスの一意のメディアアクセス制御アドレスに関して走査し、ハンドヘルド及び可搬移動デバイスが家庭内に存在することを判断する。さらに代替的に又は追加的に、この実施形態又は上記の発明では、移動ロボットプロセッサ及び無線ネットワーク回路は、プライベートインターネットプロトコルサブネット上のインターネットプロトコルアドレスに関して走査し、新たに走査されたインターネットプロトコルアドレスのメディアアクセス制御アドレスを、既知のハンドヘルド及び可搬移動デバイスに対応する少なくも１つの以前に記憶された一意のメディアアクセス制御アドレスと比較し、ハンドヘルド及び可搬移動デバイスが家庭に到着したことを判断する。
【００２７】
一実施形態、又は本明細書において開示されるか若しくは上記で開示された発明によれば、移動ロボットプロセッサ及び無線ネットワーク回路は、ターゲットネットワークエンティティに関して、約５メートル〜約２０メートルの最大範囲を有するローカル無線ネットワークを監視し、新たなターゲットエンティティがプライベートインターネットプロトコルサブネット上に到着したことを判断すると、ターゲットネットワークエンティティをプライベートサブネットアドレス及び一意のメディアアクセス制御アドレスにおいてピングし、ネットワークエンティティが家庭に到着したことを検証する。
【００２８】
一実施形態、又は本明細書において開示されるか若しくは上記で開示された発明によれば、位置特定センサを備える位置特定回路を更に備え、ターゲットネットワークエンティティがプライベートプロトコルサブネット上に到着したことを判断すると、移動ロボットプロセッサは、清掃状態が変化したロケーションと、清掃ミッションが終了したロケーションとを記録する。この場合、追加的に又は代替的に移動ロボットは、清掃状態が変化したロケーションに戻り、清掃ミッションの再始動を受けて、清掃ミッションを再開する。
【００２９】
一実施形態、又は本明細書において開示されるか若しくは上記で開示された発明によれば、移動ロボットプロセッサ及び無線ネットワーク回路は、既知のネットワークエンティティの有りから無しへの変化に関して、家庭を出発したこととして、約５メートル〜約２０メートルの最大範囲を有するローカル無線ネットワークを監視し、移動デバイスが出発したと判断すると、家庭内の清掃ミッションを開始する前に或る期間待機し、家庭を出発したことを検証する。
【００３０】
本明細書において開示されるか若しくは上記で開示された発明の幾つかの実施形態では、移動ロボットは、メモリと、無線ネットワーク回路とに接続されるプロセッサを備える。このプロセッサは、メモリに記憶されたルーチンと、ルーチンによって生成され、無線ネットワーク回路を介して受信されるコマンドとを実行する。移動ロボットは、プロセッサによって、家庭内の複数のアクセス可能な２次元ロケーションに達するように命じることが可能な従動輪（すなわち、モータ又はアクチュエータによって駆動される）と、プロセッサによって、家庭内で機械作業を行うように命じることが可能な、少なくとも１つのモータ付きアクチュエータを含む清掃ヘッドとを備え、プロセッサは、複数のルーチンを実行する。複数のルーチンは、無線ネットワーク回路と通信することによって無線ローカルネットワークを監視し、無線ローカルネットワーク上の１つ又は複数の移動デバイスのプレゼンス状態を検出する第１のルーチンと、移動デバイスにおける呼状態センサから信号を受信し、このセンサが移動デバイスの呼状態を検出し、呼状態は呼準備態勢と着呼との間で変更可能である第２のルーチンと、第１のルーチン及び第２のルーチンによって検出された無線ローカルネットワーク上の移動デバイスのプレゼンス及び移動デバイスの呼状態に基づいて、清掃ヘッドのモータ付きアクチュエータに機械作業の実行状態を変更するように命じる第３のルーチンとを含む。
【００３１】
幾つかの実施形態、又は本明細書において開示されるか若しくは上記で開示された発明では、複数のアクセス可能な２次元ロケーションは、何らかの障害物によって占有されていない床におけるロケーションを反映した、Ｘ、Ｙ座標の集合（定位又は「ロケーション」）又はＸ、Ｙθ座標（「姿勢」）及び／又は占有グリッドに記録されたアクセス可能なロケーション若しくは姿勢若しくはロケーションセルの集合である。この場合、占有グリッド又は床の空き面積は、オプションで、マイクロプロセッサが経路計画を実施する、すなわち、様々な軌道を繋げて障害物を避け、従動輪に床の空き面積を動き回るように命じるのに用いることができる。経路計画は、実質的に近道（例えば、オプションでダイクストラのＡ＊アルゴリズム又はＤ＊アルゴリズムの変形等の経路計画アルゴリズムを用いた、最短経路又は最速経路）とすることもできるし、サンプリング指向（オプションで、制約が、分配されたサンプルの集合であり、最速の経路のうちの最短のものでない、又はローミング及び／又はランダムであるときには、経路計画アルゴリズムを用いて、例えば、何分かの間、経路において幾つかの数、例えば、５〜２０のサンプルを取得する）とすることもできるし、エリアカバレッジ指向（例えば、より大きな数、例えば２０〜１００のサンプルを、各サンプルをロケーションに割り当てるようにして取得する。オプションで、各サンプルは位相的若しくは測量的に互いに関連するか、又は３Ｄ行列として保持される）。
【００３２】
幾つかの実施形態、又は本明細書において開示されるか若しくは上記で開示された発明では、第２のルーチンによって受信される信号は、移動デバイス上で実行される監視アプリケーションから送信される。
【００３３】
幾つかの実施形態では、又は本明細書において開示されるか若しくは上記で開示された発明によれば、移動ロボットは、メモリと、無線ネットワーク回路とに接続されるプロセッサを備える。このプロセッサは、メモリに記憶されたルーチンと、ルーチンによって生成され、無線ネットワーク回路を介して受信されるコマンドとを実行する。移動ロボットは、プロセッサによって、家庭内の複数のアクセス可能な２次元ロケーションに達するように命じることが可能な従動輪と、プロセッサによって、家庭内で機械作業を行うように命じることが可能な、少なくとも１つのモータ付きアクチュエータを含む清掃ヘッドとを備え、プロセッサは、複数のルーチンを実行する。複数のルーチンは、無線ローカルネットワークと通信することによって無線ローカルネットワークを監視し、無線ローカルネットワーク上の移動ロボットのプレゼンス状態を検出する第１のルーチンと、移動デバイスにおける清掃準備態勢センサから信号を受信し、このセンサが移動ロボットの清掃準備態勢状態を検出し、清掃準備態勢状態は清掃準備態勢と清掃アクティブとの間で変更可能である第２のルーチンと、第１のルーチン及び第２のルーチンによって検出された無線ローカルネットワーク上の移動デバイスのプレゼンス及び移動ロボットの清掃準備態勢状態に基づいて、このロボットの清掃ヘッドに清掃状態を変更するように命じる第３のルーチンとを含む。
【００３４】
幾つかの実施形態によれば、又は本明細書において開示されるか若しくは上記で開示された発明では、移動ロボットは、メモリと、無線ネットワーク回路とに接続されるプロセッサを備える。このプロセッサは、メモリに記憶されたルーチンと、ルーチンによって生成され、無線ネットワーク回路を介して受信されるコマンドとを実行する。移動ロボットは、プロセッサによって、家庭内の複数のアクセス可能な２次元ロケーションに達するように命じることが可能な従動輪と、プロセッサによって、読み取り可能な環境センサとを備え、プロセッサは、複数のルーチンを実行する。複数のルーチンは、従動輪に移動ロボットを家庭で動き回らせるように命じる第１のルーチンと、家庭内の複数のアクセス可能な２次元ロケーションにおいてセンサ読み取り値を取得する第２のルーチンと、家庭全体にわたるセンサ読み取り値に基づいて、専用環境センサを有するネットワークエンティティに、専用環境センサの局地的読み取り値によって違ったふうに判断するのにも関らず、データを送信し、結果として、ネットワークエンティティ上のモータ付きアクチュエータが家庭で機械作業を行うようにアクティブ化される第３のルーチンとを含む。   
【００３５】
実施形態、又は本明細書において開示されるか若しくは上記で開示された発明では、移動ロボットは、主要ミッションに際して家庭を動き回り、同時に２次ミッションとして環境センサ読み取り値を収集する。幾つかの実施形態では、主要ミッションは清掃ミッションである。実施形態、又は本明細書において開示されるか若しくは上記で開示された発明では、家庭内の複数のアクセス可能な２次元ロケーションで取得されるセンサ読み取り値は、環境センサ読み取り値である。
【００３６】
幾つかの実施形態、又は本明細書においてこの発明の概要の上記及び下記のセクションにおいて開示される発明では、ネットワークエンティティは、電力、信号、若しくはネットワーク回線又は他の接続を介して、作業ロケーション、例えば、別の部屋、地下室若しくは屋根裏部屋における対応する設備（すなわち、家庭全体にわたって空気を含む流体を動かし、環境条件の変化に作用を及ぼすように機械作業を行う設備）に接続される加湿器若しくは加湿器制御盤、空気清浄機若しくは空気清浄機制御盤、又はサーモスタット若しくはサーモスタット制御盤を含むか又はこれらに含まれる。
【００３７】
幾つかの実施形態、又は本明細書において開示されるか若しくは上記で開示された発明では、家庭内の複数の２次元ロケーションで取得されるセンサ読み取り値は、家庭内のセンサ読み取り値の２次元マップを埋める。この２次元マップは、ネットワークエンティティがアクセス可能なメモリに記憶され、特に、ネットワークを介して移動ロボットと通信するヒューマンマシンインターフェースデバイス（例えば、ディスプレイ及び／又はタッチスクリーンと、無線ネットワークインターフェース、プロセッサ、及びルーチンを実行するためのメモリとを有する、移動ハンドセットスマートフォン、パーソナルコンピュータ、スマートウォッチ、移動タブレット）に表示される。幾つかの実施形態、又は本明細書において開示されるか若しくは上記で開示された発明では、家庭内の複数の２次元ロケーションで取得されるセンサ読み取り値は、家庭内のセンサ読み取り値の３次元マップを埋める。
【００３８】
サーモスタット、空気清浄機及び加湿器等の、ロボット及び移動ハンドセット／タブレット／スマートウォッチ以外のほぼ全てのネットワークエンティティは固定式器具であり、通常、生活空間全体を通して１つ又は複数のロケーションに位置する。これらの器具に内蔵される固定センサは、その特定の単一の不変ロケーションにおいて、相対的に位置特定された特性（例えば、環境特性又は識別情報、占有、若しくはトラフィック等の感知された占有者特性）を測定する。移動ロボットの特有の利点は、環境センサから離れた、そのようなネットワークエンティティと直接隣接しない、同じ部屋、又は別の区画若しくは部屋におけるロケーションにアクセスすることである。幾つかの実施形態、又は本明細書において開示されるか若しくは上記で開示された発明では（生活空間全体にわたるサンプリングを通して１つ又は幾つかの検証読み取り値を取得することから、生活空間全体にわたる測定値の位相をマッピングすることまでに及ぶ範囲において）、移動ロボットは、ネットワークエンティティから相対的に離れているロケーションにおいて取得された１つ又は幾つかの読み取り値に基づいて、又は生活空間全体にわたって無作為若しくは計画的に取得された読み取り値の集計に基づいて、固定型ネットワークエンティティがその環境制御機能を行うようにアクティブ化されるべきか否かを判断することができる。追加的又は代替的に、このロボットは、測定値の最も高い読み取り値の計算又は測定値の読み取り値の集計を行って、部屋のスコア（すなわち、１つ又は複数の閾値と比較することができる代表値又は評価値）を計算することができる。移動ロボットは、ネットワークエンティティの環境センサの読み取り値がその固有の不変ロケーション地点において違ったふうに示したとしても、生活空間全体を通して取得した複数の測定値に基づいてネットワークエンティティをアクティブ化する。代替的に、ネットワークエンティティ（例えば、環境制御パネル）は、移動ロボットからのサンプルを備える。ネットワークエンティティの専用センサは、通常、ネットワークエンティティに直に隣接する分量のみを測定し、生活空間全体に広がる空気の分量の変動を考慮し損なう。追加の監視が提供されるとしても、通常、追加センサは固定型である。移動ロボットは、リモートロケーション及び／又は生活空間全体にわたってサンプルを得た温度、空気品質及び湿度の監視及び測定によって、局地的又は専用の環境センサを有するネットワークエンティティ及び／又は固定型器具及び／又は環境制御パネルがさもなければアクセスすることができない情報を提供する。追加的又は代替的に、移動ロボットは、空間全体にわたって複数回走行し、同一又は同様の部屋カバレッジミッションを２回以上完了し、各走行において１つ又は複数の部屋をカバーすることができるので、経時的にヒューリスティックに読み取り値を比較及び集計し、読み取り値の異常値を修正し、信頼スコアを求めて向上させ、例えば、個々の出動において各部屋を清掃するのにかかる時間と、部屋間の移動時間及び複数出動ミッション間のバッテリ充電時間を含んだ、空間内の複数の部屋を清掃するのにかかる時間とを「学習」することができる。   
【００３９】
本発明の実施形態、又は本明細書において開示されるか若しくは上記で開示された発明では、移動ロボットは、駆動システム及びプロセッサと通信するコントローラを備える。この駆動システムは、移動ロボットを複数の部屋を有する空間で動き回らせるように構成される。移動ロボットは、コントローラによってアクセス可能なメモリを更に含む。このメモリは、移動ロボットが行き来する空間内の部屋と関連する一意の部屋識別子と、この部屋と関連する少なくとも１つの測定可能特徴の関連スコアとを保持する。このスコアは、空間の少なくとも１つの行き来を追従するプロセッサによって計算される。このプロセッサは、空間又は複数の部屋のうちの１つ又は複数における行き来と行き来との間の、少なくとも１つの測定可能特徴における変化に基づいてスコアを変更することができる。
【００４０】
本発明の実施形態、又は本明細書において開示されるか若しくは上記で開示された発明では、一意の部屋識別子は、移動ロボットのメモリに記憶された１つ又は複数のデータ構造であり、このデータ構造は、このロボットのプロセッサ、及び／又は移動ロボットと通信するネットワーク接続された移動ハンドセット若しくはネットワーク接続された環境制御パネルをイネーブルし、部屋の認識及び／又は任意の位置からターゲット部屋への経路の計画を行う。このロボットが壁及び障害物に関する範囲ベースの距離マップを（例えば、レーザレンジファインダ、ソナー、レーダ、三角測量、飛行時間、又は位相差の計算を用いて）形成する位置特定回路、及び／又は空き領域の占有グリッドを備え、走査マッチング、反復最近傍点（ＩＣＰ）、及び／又はランダムサンプルコンセンサス（ＲＡＮＳＡＣ：RANdom Sample consensus）等の技法を用いて、このマップにおいてロボットの位置特定を行うことができる場合、データ構造は、マップ上の座標又は座標の集合（範囲又は境界等）とすることができる。追加的又は代替的に、ロボットが、位置特定回路を、ここでも空き領域の占有グリッドとともに備え、この位置特定回路が、特徴、目印、基準及び／又はビーコンに関する、フィンガープリントを有する特徴ベースの配置マップ又はトポロジカルマップを（例えば、カメラ又は点群を生成する３Ｄスキャナーを、自然若しくは人工の要衝、特徴、及び／又は目印の識別、記憶、及び認識を行う特徴変換とともに用いて）形成する場合、ビジョンに基づく同時位置特定マッピング（ＶＳＬＡＭ）等の技法を用いて、このマップ上のロボットの位置特定をすることができるとき、データ構造は、マップ上の、ここでもオプションでエリア又は境界を有するフィンガープリント又は固有の特徴若しくは目印又は特徴クラスタ若しくは目印クラスタとすることができる。いずれの場合においても、一意の部屋又はエリア（例えば、ゾーン１、ゾーン２、ゾーン３）にリンク付けされた一意の識別情報は、エンドユーザによって、家庭の部屋タイプ又は一意の部屋ラベル（例えば、「居間」、「エミリーの部屋」）と、任意のネットワークエンティティのユーザインターフェースを介して関連付けることができる。
【００４１】
幾つかの実施形態、又は本明細書において開示されるか若しくは上記で開示された発明では、移動ロボットは、オンボード（すなわち、移動ロボットが運ぶ）ロボットセンサを更に含む。このロボットセンサは、移動ロボットが行き来する１つ又は複数の部屋全体にわたって、少なくとも１つの測定可能特性を測定するように構成される。実施形態又は本明細書において開示される発明では、一意の部屋識別子は、ロボットが空間内で位置特定可能な２次元座標（例えば、デカルト座標系又は極座標系）である。実施形態又は本明細書において開示される発明では、スコアは、移動ロボットのメモリに記憶されるか、又はプロセッサがアクセス可能な、クラウドストレージサーバ若しくは無線アクセス可能な移動デバイスメモリ等のリモートメモリ記憶媒体に記憶される。
【００４２】
幾つかの実施形態、又は本明細書において開示されるか若しくは上記で開示された発明では、複数のスコアは、一意の部屋識別子及び複数のオンボードロボットセンサに関連付けられ、このロボットセンサは、複数の測定可能特性、例えば、環境測定又はミッション関連測定（光学測定又はソナー測定を介した塵埃、床の種類、走行距離計、エリア、ロケーション、境界並びに建物の基礎構造、壁、階段、人工バリア若しくはバーチャルウォール等の１つ又は複数の境界の種類）を測定する。ここで並びに発明の概要における上記及び下記の段落で述べられているように、例えば、「スコア」は、閾値、境界、範囲、帯域、又は同様に表現される他のスコアと比較するように、数字、配列、又は定性タグ若しくはラベルとすることができる。この比較において、或るスコアは、より高い、より低い、等しい、若しくはほぼ等しい、実質的に同じ、ピーク、最大値、最小値又は中数、最頻数、若しくは中央値等の平均値とすることができる。幾つかの実施形態、又は本明細書において開示される及び上記で開示された発明では、移動ロボットと固定センサノードとは無線通信し、移動ロボットは、空間に関する１つ又は複数のセンサ測定をこのセンサノードから受信する。固定センサノードは、家庭（すなわち、ビジネス、倉庫、施設及びレクリエーションのための空間を含む生活空間）における備品とすることもできるし、可搬（しかし、測定中は固定型であり、通常は１つの場所に置かれ、その場所を測定する）とすることもできるし、ネットワークエンティティとして及び／又は他の有線通信若しくは無線通信によってネットワークエンティティと接続することができる。幾つかの実施形態、又は本明細書において開示される及び上記で開示された発明では、移動ロボットは、（例えば、キーボード若しくはタッチスクリーン、閾値又はターゲットを用いて）測定可能特徴に関連する入力パラメータを受信し、複数の部屋のうちの一部又は全てにおける順番（例えば、オプションで部屋から部屋への経路、若しくは部屋から部屋への入口、又は優先リストを含む、部屋の完全な又は部分的なシーケンス。この優先リストにおいて、部屋は、例えば、ドアの開閉状態に基づく利用可能性と、例えば、スケジュールにおいて清掃に利用可能な時間、又は床の種類に基づく適切性とによって振り分けられる）を求め、入力パラメータと、各部屋の測定可能特徴に関連したスコアとに基づいて行き来する。
【００４３】
幾つかの実施形態、又は本明細書において開示されるか若しくは上記で開示された発明では、移動ロボットは、少なくとも１つの位置特定センサを更に備える。この位置特定センサは、空間内のオブジェクトからセンサ読み取り値を観測し、移動ロボットの現在の姿勢（「姿勢」は、絶対的若しくは相対的なロケーション、並びにオプションで絶対的若しくは相対的な向きを含む）を、観測されたオブジェクト（観測可能な特徴を含む物理的なオブジェクト以外も含む「オブジェクト」、並びに光学的に、若しくは他の方法で感知可能な、角、線、パターン等の平面特徴から形成される平面「オブジェクト」）を基準にして特定する。オブジェクト自体が姿勢を有することができる。移動ロボットは、ロボット姿勢（又はロケーション）を、特に、部屋に配置されたか、若しくは部屋の構成要素（壁、天井、照明、戸口、家具）において観側可能な、観測されたオブジェクト又はそれらの姿勢に関連付けられた部屋識別子に関連付ける。
【００４４】
幾つかの実施形態、又は本明細書において開示されるか若しくは上記で開示された発明では、少なくとも１つの測定可能特徴は、部屋の清掃を完了するのにかかる時間であり、センサは、ミッション又は出動／行程の開始及び終了の判定基準と、クロック又はタイマとの組み合わせである。「完了所要時間」は、出動／行程ごと（例えば、充電と排出との間の１つの走行の開始及び完了をもって区切られる）又はミッションごと（例えば、全てのターゲットエリアが１度又は２度又は十分にカバーされるといった完了判定基準の開始及び完了をもって区切られる）に測定することもできる。幾つかの実施形態、又は本明細書において開示される発明では、少なくとも１つの測定可能特性は、ミッション及び／又は出動／行程の完了であり、センサは、各部屋における塵埃検出測定に基づいて、部屋の汚れ具合を一意の部屋識別子を有する他の部屋と比較して求める塵埃検出センサ（すなわち、清掃気流又は収集ビンを監視する光学センサ若しくは圧電性センサによって感知された塵埃の瞬間レート、又はこれらのセンサによって感知された塵埃の統合若しくは蓄積、又は閾値交差のレート若しくは合計であり、各ケースにおいて、メモリに記憶された一意の部屋識別子、部屋のエリア及び／又は境界、部屋から部屋への入口と相関し、それによって、どの瞬間、ピーク、統合、蓄積、若しくは累積の塵埃が、どの一意の部屋識別子、エリア、境界、若しくは入口に対応するかを明らかにすることができる。）。幾つかの実施形態、又は本明細書において開示される発明では、少なくとも１つの測定可能特徴は、占有ステータス（すなわち、学習又はアクセスされたスケジュールモデル及び／又は投影モデル及び／又は確率モデル等の占有に関する間接的な指標とともに、又これらの指標によって変更される、占有、非占有、及び／又は占有者の数及び／又はアクティビティ）であり、（ロボットが運ぶ、又は固定型のネットワークエンティティ、器具、環境制御パネル上の）センサは、人が持ち運ぶ移動デバイス／ハンドセット又は他のＲＦソースによってエミットする占有センサ（例えば、幾つかの実施形態、又は本明細書において開示される及び上記で開示された発明では、赤外線リモート制御センサを含むパッシブ又はアクティブな透過式又は反射式赤外線センサ、光、ソナー若しくは無線周波数を用いた飛行時間若しくは三角測量距離センサ、占有に特有な音若しくは音圧を認識するマイクロフォン、気流センサ、カメラ、十分に強い受信信号強度に関して携帯電話の周波数及び／又はｗｉｆｉ周波数を監視する無線の受信機若しくは送受信機、自然光と、人工光と、人がこれらの光に対して能動的に行う変更と、人によって生じるこれらの光における波動とによる環境光を観測する環境光センサ）である。
【００４５】
発明の一実施形態、又は本明細書において開示されるか若しくは上記で開示された発明では、移動ロボットは、部屋のスコア又は測定された環境パラメータにアクセスし、（学習若しくは予測された占有スケジュール又は計画された占有スケジュールを含む）スケジュールにおける清掃に利用可能な時間量に応じて１つ又は複数の部屋を清掃することができる。清掃時間は、清掃要求において受信することもできるし、清掃スケジュールに記憶することもできるし、ネットワークを介した予め備わっているカレンダとの統合（例えば、標準フォーマットへのユーザ独自のやるべき事のリスト及び予定表）を通してアクセスすることもできる。したがって、移動ロボットは、スケジュールにおいて利用可能な時間を比較し、利用可能な時間に基づいて、利用可能な時間よりも短い清掃所要予定時間を有する１つ又は複数の部屋の集合から、清掃する１つ又は複数の部屋を選択する。幾つかの実施形態、又は本明細書において開示される及び上記で開示された発明では、最も汚れている部屋を含む、他の部屋より汚れている１つ又は複数の部屋のスコアに基づいて、清掃する１つ又は複数の部屋を選択する。実施形態、又は本明細書において開示される及び上記で開示された発明では、移動ロボットは、ロボットが行き来する全ての部屋又は部屋のサブセット間の相対的なスコアで表される、部屋を清掃する時間（２つ以上の機会において、各出動／行程又はミッションの持続時間の記録を保持することと、部屋、出動／行程の種類、又はミッションごとに代表値としての最大値、最小値、平均値等を求めることとを含む）と、占有頻度と、部屋の汚れ具合とを測定する。幾つかの実施形態、又は本明細書において開示される及び上記で開示された発明では、移動ロボットは、ロボットが行き来した全ての部屋の相対的なスコアとして表される、部屋を清掃する１つ又は複数の時間と、部屋の占有頻度若しくは汚れ具合とを測定、推測及び／又は確率的にモデル化する。移動ロボットは、生活空間を行き来することによって占有者の行動様式を学習し、占有者の行動様式、振る舞い、習慣、スケジュール及びパターンにミッションを適応することができる。発明の実施形態、又は本明細書において開示される及び上記で開示された発明では、このロボットは、自身の占有センサ（複数の場合もある）、及び家庭内の１つ又は複数のネットワークエンティティの占有センサにアクセスし、占有者（すなわち、複数の占有者を示すと考えられる、２つ以上のセンサにおける時間の近い検出）を数え、出動／行程又はミッションを、占有者の人数が閾値未満であるとき（例えば、占有者が２人未満）にのみ起動し、及び／又は占有者の人数が第２の閾値を超えるとき（例えば、占有者が３人以上）に終了すべきであると判断する。これらの閾値は別々の閾値とすることができる。
【００４６】
発明の実施形態、又は本明細書において開示されるか若しくは上記で開示された発明によれば、移動ロボットは、メモリと無線ネットワーク回路とに接続されるプロセッサを備える。このプロセッサは、メモリに記憶されたルーチンと、ルーチンによって生成され、無線ネットワーク回路を介して受信される命令とを実行する。移動ロボットは、プロセッサによって、家庭内の複数のアクセス可能な２次元ロケーション（又は家庭若しくは家庭内の部屋を示す配列）に達するように命じることが可能な従動輪を有する。移動ロボットは、家庭内のオブジェクトからセンサ読み取り値を観測する少なくとも１つの位置特定センサを備える位置特定回路を更に備える。位置特定回路によって、観測されたオブジェクト（例えば、座標、特徴、目印、基準、及び／又はビーコン）を基準として、現在の移動ロボットの姿勢を求める。ここで、プロセッサは複数のルーチンを実行する。複数のルーチンは、従動輪にロボットを家庭で動き回らせるように命じるナビゲーションルーチン（例えば、本明細書において論述されるような、犂耕体列等のカバレッジパターン、壁及び／又は障害物を追従若しくは回避するパターン等の境界線及びエリア発見パターン、定誤差に対するランダムバウンス及び他のランダム化等の安全保護、並びに起点／ドック／排出ステーション／開始位置及び出動／行程若しくはミッションの目的地へ／から若しくはそれらの間を素早く移動するための地点間又はゾーン間の軌道シーケンスのうちの１つ又は複数を含む経路計画）と、観測結果（例えば、距離センサによる距離測定値、障害物センサ及び近接センサによる占有及び障害物の判定、並びにカメラ及び他のパターン／イメージ／基準観測センサによる特徴及び目印の測定値）を位置特定回路から蓄積し、移動ロボットのあり得るロケーション／姿勢を示す２次元配列を記録する平面マッピングルーチンと、時間計測された読み取り値（例えば、出動／行程及び／又はミッションの開始から終了までの時間を計測され、及び／又は全ミッション時間として収集され、その後、部屋の境界若しくは入口における転換若しくは移動に基づいて、期間若しくは持続時間に分割される）を位置特定回路から蓄積し、移動ロボットが２次元配列内のあり得るロケーションの連続的な集合（例えば、連続的な集合は、壁、戸口、及び／又は任意の境界線セグメントによって判断される構造上又は任意の「部屋」を判断することができる）に対応する平面エリアを実質的にカバーする（すなわち、限定的ではないが、オプションで非平行に又は様々な方向に１回通過、又は２回以上通過することを含む、完全に清掃ヘッドで通過する）ような、少なくとも１つの推定完了期間／持続時間を求めるミッション時間推測ルーチンと、目標完了時間を少なくとも１つの推定完了期間と比較し、平面エリアが目標完了時間よりも実質的に早くカバーされるように、少なくとも１つの推定完了時間が経過するのに目標完了時間よりも実質的に前に平面エリアのカバーを開始するように従動輪に命じるミッション先行計画ルーチンとを含む。
【００４７】
発明の実施形態、又は本明細書において開示されるか若しくは上記で開示された発明では、ミッション先行計画ルーチンは、目標完了時間を識別し、家庭及び／又は個々の住人の占有スケジュールの記録及び変更に基づく発進／帰還判定基準によってロボットを発進させることを更に含む。幾つかの実施形態、又は本明細書において開示される発明では、占有スケジュールは、ロボットと無線通信するリモートヒューマンマシンインターフェース（例えば、同じネットワーク上又はロボットによってアドレス可能なネットワーク上のネットワークエンティティである、環境制御パネルに近いゾーンを監視する占有センサを備える環境制御パネル）から無線で移動ロボットに送信される。他の実施形態、又は本明細書において開示される発明では、占有スケジュールは、予め備わっているカレンダとの統合を通して移動ロボットに無線で送信される。実施形態又は本明細書において開示される発明では、移動ロボットは、１つ又は複数の期間にわたって１つ又は複数の占有パターン又はスケジュールを監視及び学習し、学習した占有スケジュールに基づいて目標完了時間を設定する。これは、例えば、米国特許第８，５１０，２５５号（引用することにより本明細書の一部をなすものとする）によって示され、移動ロボット占有センサデータ及び／又は本明細書において開示される他の種類の占有データ、解析、又は判断によって拡大される。幾つかの実施形態、又は本明細書において開示される若しくは上記で開示された発明では、移動ロボットは、或る期間にわたって占有スケジュールを学習し、１つ又は複数の占有パターンを識別し、１つ又は複数の学習された占有パターンに基づいて目標完了時間を設定する。
【００４８】
一実施形態、又は本明細書において開示されるか若しくは上記で開示された発明によれば、移動ロボットは、メモリと無線ネットワーク回路とに接続されるプロセッサを備える。このプロセッサは、メモリに記憶されたルーチンと、ルーチンによって生成され、無線ネットワーク回路を介して受信される命令とを実行する。移動ロボットは、プロセッサによって、家庭内の複数のアクセス可能な２次元ロケーションに達するように命じることが可能な従動輪と、プロセッサによって環境品質の現在の読み取り値を得るように読み出し可能な環境センサとを更に備える。移動ロボットは、家庭内のオブジェクトからセンサ読み取り値を観測する少なくとも１つの位置特定センサを備える位置特定回路を更に備える。位置特定回路によって、観測されたオブジェクトを基準として、現在の移動ロボットの姿勢を求める。ここで、プロセッサは複数のルーチンを実行する。複数のルーチンは、従動輪にロボットを家庭で動き回らせるように命じるナビゲーションルーチンと、位置特定回路から観測結果を蓄積し、移動ロボットのあり得るロケーションを示す２次元配列を記録する平面マッピングルーチンと、家庭内の複数のアクセス可能な２次元ロケーションにおける環境センサからの読み取り値の取得及び蓄積を行い、読み取り値と、移動ロボットのあり得るロケーションを示す２次元配列とに基づいて、メモリに３次元配列を記憶させる環境マッピングルーチンと、ロケーション応答環境制御ルーチンとを含む。ロケーション応答環境制御ルーチンは、３次元配列を複数の住宅環境制御ノードのロケーションに相関させ、少なくとも１つの制御ノードの環境マッピングロケーションに対する、３次元配列によって示されるプロキシミティに基づいて、少なくとも１つの環境制御ノードに家庭内で機械作業を行わせるように、データを送信する。各住宅環境制御ノードは、専用環境センサと、モータ付きアクチュエータを、家庭内で機械作業を行うように作動させる制御チャネルとを備える。
【００４９】
発明の実施形態、又は本明細書において開示されるか若しくは上記で開示された発明では、「専用環境センサ」は、環境制御ノード、環境制御パネル、又は環境制御プラントと相関するものである。「制御チャネル」は、有線接続又は無線接続である。この接続を通して、環境制御パネル、スマートフォン、タブレット、若しくはウォッチ、パーソナルコンピュータ、及び／又は移動ロボットが実行命令を送信することができる。発明の実施形態、又は本明細書において開示される及び上記で開示された発明では、３次元配列はロケーションに関する２つの次元と、大きさ、値、又はここで記載されるような環境センサによって感知された環境品質に対応する品質に関する１つの次元とを含むことができる。それにもかかわらず、環境品質の「１つの次元」は、経時的に若しくは累積的に取得又は記録された値、測定値、平均値、推測値の配列、又は異なる種類の配列を記憶することができる。ロケーションの次元は、ロボットにおいて、又はローカルネットワーク若しくはリモートネットワークを介してロボットにアクセス可能な形でネットワークエンティティにおいて保持された占有グリッド及び／又は間取り図内のロケーションに対応することができる。測定値は、複数のロケーションにおいてロケーションの次元内で直接記録することができるが、代替的又は追加的な手法では、測定値は占有グリッド及び／又は間取り図内のロケーションにおいて、隣り合う又は近い測定値の間に内挿することができる。
【００５０】
発明の実施形態、又は本明細書において開示されるか若しくは上記で開示された発明では、環境コントローラ又は制御パネル（例えば、サーモスタット、湿度センサ機能を有する加湿器コントローラ、又は空気品質センサ機能を有する空気清浄機）は、ハウジングを有する。ハウジング内には、環境センサ測定値（例えば、温度、空気圧、湿度、空気品質）を提供する１つ又は複数の環境センサ（例えば、電気式温度計、気圧計、湿度センサ若しくは湿気センサ、ＶＯＣ、ＣＯ若しくはＣＯ２等のガス検出器、又は空中浮遊粒子カウンタ）と、センサ（複数の場合もある）と動作可能に通信し、環境センサ測定値を受信するプロセッサとが存在する。環境コントローラパネルは、１つ又は複数の入力デバイスと動作可能に通信する。このデバイスは、環境品質の設定値（例えば、温度、空気圧、湿度、空気品質の設定値）を設定するか又はそうでなければこれを求めるユーザインタフェース（例えば、ローカル表示及びローカル入力、又はスマートフォンにおけるリモートユーザアプリケーション）と、作業を行う環境制御アクチュエータ（例えば、空気を含む流体を置換し、それぞれの環境品質において設定点に近づく変化をもたらすＨＶＡＣシステム、湿度制御システム、及び空気清浄システム）とを有する。
【００５１】
発明の実施形態、又は本明細書において開示されるか若しくは上記で開示される、上記のような環境制御パネルを備える発明では、ハウジング内又はハウジング上の環境センサが取得した求められた周囲環境測定値と、環境品質の設定値との比較に基づいて、プロセッサは、家庭内でローミング中又はそうでなければ移動中の、更にプロセッサと動作可能に通信する移動ロボットからリモート環境センサ測定値をサンプリングするように構成される。ここで、移動ロボットは、同様又は同一の機能を有する同様又は同一の環境センサ（複数の場合もある）を運ぶ。また、プロセッサは、ハウジングの測定部位からの測定値（複数の場合もある）が、移動ロボットが周囲環境内で複数の場所から取得した複数の平均測定値、選択測定値、又は代表測定値からずれていることを判断し、少なくとも部分的に移動ロボットによる測定値（複数の場合もある）に従って、それぞれの環境制御アクチュエータがそれぞれの環境品質において設定点に近づく変化をもたらす作業を行うように命じることによってこのずれを補償するように構成される。
【００５２】
環境制御パネルを備える、発明の実施形態、又は本明細書において開示されるか若しくは上記で開示された発明では、環境制御パネルは、プロセッサと動作可能に通信する無線ネットワークインターフェースと、外出中状態特徴とを備える。この外出中状態特徴において、環境制御パネルは、環境制御パネルが設置された家庭に関する非占有条件を示す外出中状態判定基準が満たされたというプロセッサによる判断に際して、外出中状態動作モードに入る。この判断は、少なくとも（i）家庭でローミング中若しくはそうでなければ移動中の移動ロボット、又は（ii）無線ネットワークインターフェースによって走査され、ローカル無線ネットワーク上に存在するとされる移動ハンドセット、のうちの一方又は両方に取り付けられるセンサ（例えば、人、又は服の色若しくはローカル携帯ハンドセットＲＦ若しくはネットワークプレゼンス若しくはネットワークトラフィック、若しくはＩＲリモート制御等の家庭用デバイスからの信号等の人を示す品質を感知可能な、アクティブ赤外線センサ若しくはパッシブ赤外線センサ、可聴音センサ及び／又は超音波音センサ、カメラセンサ、ＲＦ  ＲＳＳセンサ）によって取得されたリモート読み取り値に基づく。外出中状態動作モードは、環境品質設定値自動セットバックモードを含む。ここでプロセッサは、外出中状態特徴をアクティブ化するのにユーザ入力を必要とすることなく、試用期間中にリモート読み取り値を受信し、試用期間中の読み取り値から導出した情報を判定基準の閾値と比較し、十分に真の占有条件の指標が読み取り値によって試用期間中に満たされたかを確証し、十分に真の指標が試用期間中に感知されたことが確定した場合に外出中状態特徴を有効にすることによってこの判断を行う。
【００５３】
上記のように占有センサ機能を有する環境制御パネル及び／又は移動ロボットを含む、発明の実施形態、又は本明細書において開示されるか若しくは上記で開示された発明では、占有モデルは、リモート読み取り値によって導出された、家庭の情報及び／又は予想される家庭の占有者の情報に部分的に基づき、占有予測器は、このモデルとリモート読み取り値とに少なくとも部分的に基づいて将来的な家庭の占有を予測する。このモデルは、特に、移動ロボット読み取り値によって提供されるマップ化された環境、床カバレッジ、及びエリアに基づく場合、ベイジアンネットワーク又はマルコフモデルの変形等の人占有の確率推論モデルであり、生活エリア内の制限の無い空き面積において（すなわち、壁沿いの定位置又は他の固定型器具においてではなく）取得された移動ロボットの読み取り値によって少なくとも部分的に提供される、家庭に関する地理的又は構造的データに少なくとも部分的に基づく１つ又は複数の統計プロフィールを含む。
【００５４】
環境品質センサ及び／又は占有センサを備える環境制御パネル、移動ロボット又は移動ハンドセットを含む、発明の実施形態、又は本明細書において開示されるか若しくは上記で開示された発明では、移動ロボット読み取り値及び／又は移動ハンドセットリモート読み取り値は、１つ又は複数の環境制御パネルに取り付けられた固定型環境品質センサ又は占有センサに基づいて環境制御パネルが行った判断の検証、妥当性確認、又は検査に用いられる。
【００５５】
発明の実施形態、又は本明細書において開示されるか若しくは上記で開示された発明では、取り付けられた環境センサに基づくフィードバックに応じて動作する制御パネルに対する直接的な環境作用によって引き起されるローカルエラーを補償する方法は、パネル内又はパネル上の環境センサによって取得された求められた周囲環境測定値と、環境品質の設定値とを比較することと、家庭内でローミング中又はそうでなければ移動中の移動ロボットからリモート環境センサ測定値をサンプリングすることと、このパネルの測定部位からの測定値（複数の場合もある）が、移動ロボットが周囲環境内の複数の場所から取得した同様の代表測定値からずれていることを判断することと、少なくとも部分的に移動ロボットによる測定値（複数の場合もある）に従って、それぞれの環境制御アクチュエータがそれぞれの環境品質において設定点に近づく変化をもたらす作業を行うように命じることによってこのずれを補償することとを含む。
【００５６】
発明の実施形態、又は本明細書において開示されるか若しくは上記で開示された発明では、ネットワークと通信する移動ロボットは、移動ロボットを生活空間において動き回らせるように構成される駆動システムと通信するコントローラと、生活空間に位置する、ネットワークと通信する移動デバイスからコマンドを受信する受信機とを備える。移動デバイスは、移動ロボットに対する移動デバイスの空間ロケーションに基づいて、及び／又は移動デバイスの動作状態に基づいて、移動ロボットの状態を制御するためのインタラクティブアプリケーションを有する。移動ロボットコントローラは、受信されたコマンドに応答して駆動システムのステータスを変更する。
【００５７】
発明の実施形態、又は本明細書において開示されるか若しくは上記で開示された発明では、移動ロボットはネットワークと通信する。移動ロボットは、駆動システムと通信するコントローラを備える。この駆動システムは、移動ロボットを生活空間において動き回らせるように構成される。移動ロボットは、生活空間における移動デバイスのプレゼンス及び／又は状態を監視するオンボードロボットセンサを更に備える。移動ロボットコントローラは、移動ロボットに対する移動デバイスの空間ロケーションに応答して、及び／又は移動デバイスの動作状態に基づいて、駆動システムのステータスを変更する。
【００５８】
発明の実施形態、又は本明細書において開示されるか若しくは上記で開示された発明では、移動ロボットはネットワークと通信する。移動ロボットは、移動ロボットを生活空間において動き回らせるように構成される駆動システムと、生活空間全体にわたってセンサ読み取り値を獲得し、生活空間全体にわたって移動して複数の制限されない位置に沿って環境条件を監視するためのオンボードロボットセンサとを備える。この条件は、ネットワークと通信するノードを選択的にアクティブ化することと関連し、移動ロボットは、ノードに近接する画定されたエリアにおいて感知された条件の測定された数値がアクティブ化閾値未満であるのか又はアクティブ化閾値よりも高いときに、このノードのアクティブ化ステータスを変更する。実施形態、又は本明細書において開示される発明において、アクティブ化閾値は高閾値と低閾値とによって定められる数値の範囲によって示される。
【００５９】
発明の実施形態、又は本明細書において開示されるか若しくは上記で開示された発明では、移動ロボットのアクティブ化ステータスを自動的に変更する方法は、移動デバイスのプレゼンスを移動ロボットに通知する入力パラメータを移動デバイス上で動作するアプリケーションにおいて受信し、このアプリケーションが、移動ロボットのメモリに記憶された１つ又は複数の実行可能な命令の集合を呼び出す複数のルーチンを開始することと、移動デバイスが移動ロボットに対して存在するときにこの命令の集合を実行することとを含む。実施形態又は本明細書において開示される発明では、移動デバイスは、移動デバイスがローカルエリアネットワークを介して移動ロボットと通信しているときに存在する。命令の集合は複数のルーチンを含む。複数のルーチンは、移動ロボットの無線ネットワーク回路と通信することによって無線ローカルネットワークを監視し、無線ローカルネットワーク上の１つ又は複数のネットワークエンティティのプレゼンス状態を検出する第１のルーチンと、センサから信号を受信し、このセンサが移動デバイスのうちの１つの動作状態を検出し、動作状態は、準備態勢とアクティブとの間で変化可能である、第２のルーチンと、第１のルーチン及び第２のルーチンによって検出されたネットワークエンティティのプレゼンス及び動作状態に基づいて、エンドエフェクタに機械作業の実行状態を変更するように命じる第３のルーチンとを含む。
【００６０】
前述の発明の概要において、或る特定の段落は、本明細書において開示される前述若しくは上記の実施形態並びに前述若しくは上記の発明への言及を含む。この用語は、（必須ではなくオプションの）以前に論述された発明（複数の場合もある）及び本明細書において開示される発明の実施形態への多数従属を示す。本発明者らは、２つ以上のそのようなオプションの特徴を組み合わせて、本明細書において論述される利点を獲得することを企図し、当業者は、このセクションにおいて連続又は非連続で論述される２つ以上の特徴をどのように企図し、開示することで、本明細書において論述される１つ又は複数の利点に達するように組み合わせているか、及び／又は論理的に組み合わせることができない任意の複数の従属する特徴を理解するであろう。
【図面の簡単な説明】
【００６１】
【図１】本発明の実施形態又は本明細書において開示される発明による環境管理システムを表す概略図である。
【図２】図１の環境管理システムの一部を成すハブを表す概略図である。
【図３】図１の環境管理システムの一部を成すネットワーク対応移動ロボットを表す概略図である。
【図４】図１の環境管理システムが設置された生活構造物を示す概略図である。
【図５】図１の環境管理システムの一部を成すことができる移動ユーザ端末の平面図であり、移動ユーザ端末のスクリーンディスプレイと、本発明の方法及びコンピュー    タプログラム製品の実施形態による関連動作とを示す図である。
【図６】図１の環境管理システムの一部を成すことができる移動ユーザ端末の平面図であり、移動ユーザ端末のスクリーンディスプレイと、本発明の方法及びコンピュータプログラム製品の実施形態による関連動作とを示す図である。
【図７】図１の環境管理システムの一部を成すことができる移動ユーザ端末の平面図であり、移動ユーザ端末のスクリーンディスプレイと、本発明の方法及びコンピュータプログラム製品の実施形態による関連動作とを示す図である。
【図８】図１の環境管理システムの一部を成すことができる移動ユーザ端末の平面図であり、移動ユーザ端末のスクリーンディスプレイと、本発明の方法及びコンピュータプログラム製品の実施形態による関連動作とを示す図である。
【図９】図１の環境管理システムの一部を成すことができる移動ユーザ端末の平面図であり、移動ユーザ端末のスクリーンディスプレイと、本発明の方法及びコンピュータプログラム製品の実施形態による関連動作とを示す図である。
【図１０】図１の環境管理システムの一部を成すことができる移動ユーザ端末の平面図であり、移動ユーザ端末のスクリーンディスプレイと、本発明の方法及びコンピュータプログラム製品の実施形態による関連動作とを示す図である。
【図１１】図１の環境管理システムの一部を成すことができる移動ユーザ端末の平面図であり、移動ユーザ端末のスクリーンディスプレイと、本発明の方法及びコンピュータプログラム製品の実施形態による関連動作とを示す図である。
【図１２】図１の環境管理システムの一部を成すことができる移動ユーザ端末の平面図であり、移動ユーザ端末のスクリーンディスプレイと、本発明の方法及びコンピュータプログラム製品の実施形態による関連動作とを示す図である。
【図１３】図１の環境管理システムの一部を成すことができる移動ユーザ端末の平面図であり、移動ユーザ端末のスクリーンディスプレイと、本発明の方法及びコンピュータプログラム製品の実施形態による関連動作とを示す図である。
【図１４】図１の環境管理システムの一部を成すことができる移動ユーザ端末の平面図であり、移動ユーザ端末のスクリーンディスプレイと、本発明の方法及びコンピュータプログラム製品の実施形態による関連動作とを示す図である。
【図１５】図１の環境管理システムの一部を成すことができる移動ユーザ端末の平面図であり、移動ユーザ端末のスクリーンディスプレイと、本発明の方法及びコンピュータプログラム製品の実施形態による関連動作とを示す図である。
【図１６】図１の環境管理システムの一部を成すことができる移動ユーザ端末の平面図であり、移動ユーザ端末のスクリーンディスプレイと、本発明の方法及びコンピュータプログラム製品の実施形態による関連動作とを示す図である。
【図１７】図１の環境管理システムの一部を成すことができる移動ユーザ端末の平面図であり、移動ユーザ端末のスクリーンディスプレイと、本発明の方法及びコンピュータプログラム製品の実施形態による関連動作とを示す図である。
【図１８】図１の環境管理システムの一部を成すことができる移動ユーザ端末の平面図であり、移動ユーザ端末のスクリーンディスプレイと、本発明の方法及びコンピュータプログラム製品の実施形態による関連動作とを示す図である。
【図１９】図１のユーザ端末の概略図である。
【図２０】幾つかの実施形態又は本明細書において開示される発明に係る、移動ロボットによってマッピング及び制御される家庭環境の概略図である。
【図２１】環境管理システム及びオートメーションコントローラシステムが設置された生活構造物を示す概略図である。
【図２２】幾つかの実施形態又は本明細書において開示される発明に係る、メニュー及びパラメータの選択を示す概略図である。
【図２３】幾つかの実施形態又は本明細書において開示される発明に係る、移動ロボットの状態を示す概略的な有限状態機械図である。
【図２４】幾つかの実施形態又は本明細書において開示される発明に係る、呼び出しの概略図を示す図である。
【図２５】幾つかの実施形態又は本明細書において開示される発明に係る、生活構造物全体にわたって取得された環境センサ読み取り値のマップを示す概略図である。
【図２６】幾つかの実施形態又は本明細書において開示される発明に係る、生活構造物全体にわたって取得された環境センサ読み取り値のマップを示す概略図である。
【図２７】幾つかの実施形態又は本明細書において開示される発明に係る、生活構造物全体における環境センサ読み取り値のマップを示す概略図である。
【発明を実施するための形態】
【００６２】
本発明の実施形態、又は本明細書において開示される発明によれば、生活空間内の状態の監視に用いられる移動ロボットを備える環境管理システムが提供される。幾つかの実施形態、又は本明細書において開示される発明では、この環境管理システムは、生活空間内の状態を制御すること、及び／又は生活空間内の状態に対処するために推奨又はプランを評価及び生成することに用いられる。幾つかの実施形態、又は本明細書において開示される発明では、移動ロボットは、環境センサ測定値（例えば、温度、空気圧、湿度、空気品質）を提供する１つ又は複数の環境センサ（例えば、電気式温度計、気圧計、湿度センサ若しくは湿気センサ、ＶＯＣ、ＣＯ若しくはＣＯ２等のガス検出器、又は空中浮遊粒子カウンタ）を備える。幾つかの実施形態、又は本明細書において開示される発明では、環境管理システムは、移動ロボットに搭載されていない１つ又は複数の固定センサを更に備える。これらの固定センサを用いて、生活空間を監視して、生活空間における移動ロボットの動作制御に用いられるデータを収集する。幾つかの実施形態、又は本明細書において開示される発明では、センサは、環境条件を制御するように動作する、作動可能な環境制御ノード又はデバイスに搭載される。そのような環境制御ノードは、例えば、加湿器、ＨＶＡＣ、サーモスタット、及び空気清浄機等のデバイスを含む。
【００６３】
図１〜図４、図２１及び図２６〜図２７を参照すると、本発明の実施形態、又は本明細書において開示される発明に係る環境管理システム１００は、これらの図では、関連した構内構造物又は生活構造物１０に設置された状態で示されている。構造物１０は、住宅若しくは居住住居（例えば、一戸建て住宅、多世帯住居（例えば、２世帯住宅、賃貸マンション、分譲マンション等）、又は移動住宅）、又は商業生活空間（例えば、オフィス又はスタジオ）とすることができる。構造１０は、１つ又は複数の画定されたゾーン（例えば、ゾーンＡ〜Ｃ）に（物理的、空間的及び／又は機能的に）分割することができる生活空間２０又は内部空間を画定する。実施形態又は本明細書において開示される発明では、ゾーンは、ゾーンＡは台所であり、ゾーンＢは居間であり、ゾーンＣは寝室である等、生活構造物１０における部屋に対応する。画定されたゾーンＡ〜Ｃは、壁によって分割することもできるし、壁による分割なしで融合するオープンコンセプトエリアとすることもできる。構造物１０は、窓３０、ドア３２、照明設備３４（使い捨てランプ３４Ａを有する）、ＴＶ３６（又は他の電子機器）、及び暖房換気空調システム（ＨＶＡＣ）４０を有する。人Ｐは、生活空間２０を占有することができる。
【００６４】
図１〜図４及び図２１を参照すると、環境管理システム１００は、ネットワーク接続対応移動ロボット２００、ネットワーク接続対応環境管理システムハブ１１０、ネットワーク接続対応固定センサ１２０、１２２、１２４、ネットワーク接続対応オートメーションコントローラデバイス１２６、１２７、１２８、１２９、同様にネットワーク対応オートメーションコントローラデバイスであるロボットドック１４０、プライベートネットワーク（例えば、ブロードバンドＬＡＮ）１６０、及び１つ又は複数のリモート管理サーバ（例えば、クラウドサーバ）１５０を含むノードを含む。プライベートネットワーク１６０は、ルータ１６２と、生活構造物１０によって区切られた生活空間２０において又はこの空間の周囲に無線ローカルエリアネットワーク（ＷＬＡＮ）範囲１６５を有するブロードバンド無線アクセスポイント（ＷＡＰ）１６４とによって有効にされる。プライベートネットワーク１６０は、ゲートウェイ１７０Ａ（例えば、ブロードバンドモデム）及び外部接続１７０Ｂ（例えば、ＩＳＰ）を通じてＷＡＮ又は公衆ネットワーク１７０（例えば、インターネット）によってリモートサーバ１５０に接続される。ルータ１６２、ＷＡＰ１６４、及び／又はモデム１７０Ａは、単一のデバイスに統合することができる。ローカルユーザ端末１４２、３００（例えば、ＰＣ、スマートフォン、又はタブレットコンピュータ）は、プライベートネットワーク１６０に（有線又は無線で）接続することができる。リモートユーザ端末１４４、３００は、公衆ネットワーク１７０を介してリモートサーバ１５０及び／又はプライベートネットワーク１６０に接続することができる。ハブ１１０、ロボット２００、ローカルユーザ端末１４０、３００及びリモートユーザ端末１４４、３００はそれぞれ、環境マネージャアクセスクライアント１５２と、本明細書で説明するようなノード１１０、２００、１４０、１４２、１４４、３００及び１５０の間の通信及び制御を可能にする環境マネージャアクセスクライアント（例えば、ダウンロード可能又はプリインストールされたアプリケーションソフトウェアアプリ）と同じとすることができるロボットマネージャアクセスクライアント１５２Ａとともに構成することができる。アクセスクライアント１５２、１５２Ａは、ユーザ（本明細書では「人Ｐ」又は生活空間２０の「占有者Ｐ」としても示される）にとって使いやすいインターフェースを提供することができる。本明細書において論述されるネットワークエンティティは、マシン及び／又はコントローラである。このマシン及び／又はコントローラは、ネットワークに登録し、メッセージの送受信のための一意のアドレスを割り当てられ、同じネットワーク又は接続されるネットワーク上の他のネットワークエンティティマシン及び／又はコントローラに利用可能である。
【００６５】
幾つかの実施形態、又は本明細書において開示される及び／又は上記で開示された発明では、「同じネットワーク」は、ＮＡＴホスティング（インターネット全体からプライベートサブネットへの、通常はＲＦＣ１９１８プライベートアドレス空間のうちの１つを用いるネットワークアドレス変換）を提供するルーティングネットワークエンティティ又はスイッチング中ネットワークエンティティの背後にあるプライベートＩＰ（インターネットプロトコル）サブネット上のプライベートアドレスの集合を意味する。プライベートサブネット上の各ネットワークエンティティは、他のネットワークエンティティのプライベートＩＰアドレスと、各プライベートＩＰアドレスに関連付けられたＭＡＣ（媒体アクセス制御）アドレスとを走査することができる。幾つかの実施形態、又は本明細書において開示される発明では、ネットワークエンティティ（例えば、移動ロボット２００）のプロセッサ上で実行されるルーチンは、別のネットワークエンティティ（例えば、移動デバイス３００）のＭＡＣアドレスのプライベートサブネットを監視することができ、本明細書において論述されるように、監視されるＭＡＣアドレスがプライベートサブネット上のＩＰアドレスにおいて表れるときに何らかの動作を実行することができる。幾つかの実施形態、又は本明細書において開示される発明では、「プレゼンス」又は「プレゼンス状態」とは、別のネットワークエンティティの観測された状態（すなわち、走査しているネットワークエンティティに対する潜在的なプロキシミティを示す、別のネットワークエンティティのＩＰアドレス及びＭＡＣアドレスの走査及び検出、及び／又はプロキシミティからのあり得る接近及び出発を示す、その検出の以前の走査からの変化）である。一般的に、これは通常の家庭用無線ＡＰ（アクセスポイント１６４）の通常の無線範囲に関する。この範囲は、或る限られた範囲にわたって広がり、民生用機器の上限は１０メートル〜２０メートルである。換言すれば、移動ハンドセット３００が最も近い家庭用無線ＡＰ１６４から１０メートル〜２０メートルの限界を越えて移動したとき、この移動ハンドセットを持ち運んでいる人Ｐは家庭２０を去った場合がある。他の要因（例えば、過去の勤務時間、移動ハンドセットの過去の動きパターン、出発ステータスへとつながる信号減少の速度及びパターン、及び／又はネットワークから離れている時間の長さのうちの２つ以上）との相関関係に基づいて、解析ルーチン（移動ロボットプロセッサ、移動ハンドセットに常駐しているアプリケーション、又は環境制御パネルプロセッサによって実行される）による到着又は出発の判断の信頼性は向上することができる。
【００６６】
図２２及び図２４は、移動ロボット２００、ネットワーク接続対応環境管理システムハブ１１０、ネットワーク接続対応固定センサ１２０、１２２、１２４、ネットワーク接続対応オートメーションコントローラデバイス１２６、１２７、１２８、１２９、同様にネットワーク対応オートメーションコントローラデバイスであるロボットドック１４０、プライベートネットワーク（例えば、ブロードバンドＬＡＮ）１６０、及び１つ又は複数のリモート管理サーバ（例えば、クラウドサーバ）１５０等のシステム１００のノードの相互運用性を示す。プライベートネットワーク１６０は、ルータ１６２と、生活構造物１０によって区切られた生活空間２０において又はこの空間の周囲に無線ローカルエリアネットワーク（ＷＬＡＮ）範囲１６５を有するブロードバンド無線アクセスポイント（ＷＡＰ）１６４とによって有効にされる。図２２は、通信構成要素と、様々なノード上で実行されるセンサ及びアプリケーションと、メニュー選択ツリーにおいてメニューアイテムと関連付けられる例示的なデータ構造の一実施形態を示す。図２４は、本発明の実施形態、及びここで説明される発明に係る、システムのノード間の例示的な通信及びデータ交換の実施形態を示す。
【００６７】
ハブ１１０（図２）は、本明細書において説明する機能を提供するように構成された任意の適したデバイスとすることができる。幾つかの実施形態又は本明細書において開示される発明では、ハブ１１０は、プロセッサ１１４、メモリ１１５、ＨＭＩ１１６、無線通信モジュール（例えば、Ｗｉ−Ｆｉモジュール）１１２、及び関連したアンテナ１１２Ａを備える。ハブ１１０は、ルータ１６２への有線接続用の接続ハードウェア（例えば、イーサネット（登録商標）コネクタ）を備えることができる。幾つかの実施形態又は本明細書において開示される発明では、ハブ１１０は、一体型環境センサ１２１及び／又は一体型オートメーションコントローラデバイス１２９を備える。例えば、幾つかの実施形態又は本発明では、ハブ１１０は、プロセッサと統合された周囲温度センサ及びＨＶＡＣコントローラと、幾つかの実施形態ではバッテリとを備えるネットワーク接続されたインテリジェントマイクロプロセッサ制御サーモスタットである。ハブ１１０に適したハブは、Lowe’s Home Improvement社から入手可能なＩｒｉｓ  Ｈｕｂ（商標）、カリフォルニア州パロアルトのNEST Labs社から入手可能なＮＥＳＴ（商標）インテリジェントサーモスタット、並びに米国特許出願公開第２０１２／０２５６００９号及び米国特許出願公開第２０１２／００６６１６８号に開示されたデバイスを含むことができる。これらの米国特許出願公開の開示内容は、引用することによって本明細書の一部をなすものとする。
【００６８】
図示するように、ハブ１１０は、ルータ１６２に有線接続することによってプライベートネットワーク１６０に接続することができる。代替的に、ハブ１１０は、無線モジュール１１２及びＷＡＰ１６４を介してルータ１６２に無線接続することができる。
【００６９】
図２２の包括的でない例示的なリストに示すように、固定センサ１２０、１２２、１２４は、物理状態又は現象を検出し、これを対応するデータ信号に変換するように動作可能な任意の適したセンサとすることができる。例えば、各センサ１２０、１２２、１２４は、温度センサ、接触センサ、音響センサ（例えば、マイクロフォン）、モーションセンサ（例えば、パッシブＩＲモーションセンサ）、圧力センサ、可視光センサ、湿度センサ、空気品質センサ、超音波センサ、又はガス組成センサとすることができる。各センサ１２０、１２２、１２４は、ＷＡＰ１６４を介してハブ１１０及び／又はプライベートネットワーク１６０と通信する無線送信機（ナローバンド又はブロードバンド／Ｗｉ−Ｆｉ）を備えることができる。センサ１２０、１２２、１２４は、生活空間２０の環境を監視及び制御するプロセス全体を通じて１つのロケーションに留まる（例えば、構造物１０の壁に取り付けられている）という点で固定である。移動ロボット２００とは異なり、固定センサ１２０、１２２、１２４は、再配置するには、ピックアップして移さなければならず、通常、全く再配置されない（すなわち、これらの固定センサは、通常、空間２０にマップングされる完全な座標グリッドに対して所与の座標ロケーションに常時設置されている）。３つの固定センサ１２０、１２２、１２４が示されているが、システム１００は、これよりも多くのセンサ又はこれよりも少ないセンサを備えることができる。
【００７０】
図２２の包括的でない例示的なリストに示すように、オートメーションコントローラデバイス１２６、１２７、１２８、１２９、１４０は、構造物１０に関連したデバイス又はシステムの動作を制御するように動作可能な任意の適したデバイスとすることができる。実施形態又は本明細書において開示される発明では、固定型オートメーションコントローラデバイス１２６、１２７、１２８、１２９、１４０は、環境条件、物理的条件又は現象を検出し、これらを対応するデータ信号に変換するように動作可能な任意の適切なセンサとすることができる固定センサ１２０、１２２、１２４。例えば、各センサ１２０、１２２、１２４は、温度センサ、接触センサ、音響センサ（例えば、マイクロフォン）、モーションセンサ（例えば、パッシブＩＲモーションセンサ）、圧力センサ、可視光センサ、湿度センサ、空気品質センサ、超音波センサ、又はガス組成センサとすることができる。各センサ１２０、１２２、１２４は、ＷＡＰ１６４を介してハブ１１０及び／又はプライベートネットワーク１６０と通信する無線送信機（ナローバンド又はブロードバンド／Ｗｉ−Ｆｉ）を備えることができる。オートメーションコントローラデバイスの例は、ＨＶＡＣシステム４０を作動／停止／調整するサーモスタット（コントローラ１２７として図示される）、光を作動／停止するスイッチデバイス（コントローラ１２８として図示される）、可聴アラーム、窓装飾（例えば、自動シェード）を開け閉めするように動作可能なデバイス（コントローラ１２６として図示される）、空気清浄機、加湿器、若しくは除湿器等の空気品質制御デバイス１２９、ネットワーク対応移動ロボット排出ステーションドック１４０、並びに自動ラッチ若しくはロックデバイスを含む。各オートメーションコントローラデバイス１２６、１２７、１２８、１２９、１４０は、ＷＡＰ１６４を介してハブ１１０及び／又はプライベートネットワーク１６０と通信する無線送信機（ナローバンド又はブロードバンドＷｉ−Ｆｉ）を備えることができる。５つのオートメーションコントローラデバイス１２６、１２７、１２８、１２９、１４０が示されているが、生活構造物の１つ又は複数のゾーン（Ａ〜Ｃ）全体にわたって、これよりも多くの又は少ないオートメーションコントローラデバイスを提供することができる。
【００７１】
ロボットドック１４０は、電源装置を備えることもできるし、電源装置に接続することもでき、ロボット２００がロボットドック１４０に有効にドッキングされると、移動ロボット２００のバッテリを充電するように動作可能な充電器を備えることができる。ドック１４０は、ロボット２００のごみを空にするように作動可能なモータ付き容器を有する排出ステーションとすることができる。幾つかの実施形態、又は本明細書において開示される発明では、ドック１４０は、ロボット２００からプライベートネットワーク１６０へのデータの送信及び／又はプライベートネットワーク１６０からロボット２００へのデータの送信を可能又は円滑にするために、プライベートネットワーク１６０に（有線又は無線で）接続されている。したがって、ロボットドック１４０は例示的な別のオートメーションコントローラデバイスである。実施形態において、ロボットドック１４０は、Ｂｌｕｅｔｏｏｔｈ（登録商標）、近接場誘導、ＩＲ信号又は無線を通して移動ロボット２００と直接無線通信する。
【００７２】
移動ロボット２００は、任意の適したロボットとすることができ、本明細書において説明する構成要素、特徴、及び機能の全てが本明細書において開示される発明の全ての実施形態又は本明細書において開示される発明において必要とされるとは限らないことが理解されるであろう。図３及び図２２の包括的でないリストを参照すると、例示の移動ロボット２００は、シャーシ２１０、コントローラ２２０、メモリ２２２、バッテリ２２４、バッテリ充電器２２６、ヒューマンマシンインタフェース（ＨＭＩ）２２８、駆動システム２３０、マッピング／ナビゲーションシステム２４０、サービスオペレーションシステム２４２（本明細書において「清掃システム」及び「清掃ヘッド」とも呼ばれる）、無線通信システム２５０、ＩＲエミッタ２６０、及び環境センサ２７０Ａ〜２７０Ｊ、ダストビン２４２Ａ（清掃動作によって収集されたごみくずを蓄積する）、ビンレベルセンサ２４２Ｂ、塵埃抽出センサ２４２Ｃ（清掃動作によって収集されたごみくずの特性の密度を検出する）、エンドエフェクタ２４２Ｄ、インジケータライト２７４Ａ、音響変換器２７４Ｂ、及び清掃モード選択スイッチ（例えば、ボタン）２７４Ｃを備える。移動ロボット２００は、Ｒｏｏｍｂａ（商標）床清掃ロボット及び／又は米国特許第７，０２４，２７８号及び米国特許出願公開第２００７／０２５０２１２号に記載されているようなロボットのように概ね構成することもできるし、それらのロボットからの特徴を備えることもできる。上記米国特許及び米国特許出願公開の開示内容は、適した修正を行うことで、引用することによって本明細書の一部をなすものとする。
【００７３】
コントローラ２２０は、任意の適切に構成された単数又は複数のプロセッサ２１１（例えば、マイクロプロセッサ）を備えることができる。プロセッサ２２１は、コントローラ２００、メモリ２２、清掃システム２４２及び駆動システム２３０と通信する。
【００７４】
駆動システム２３０は、ロボット２００に生活空間２０を能動的にかつ制御可能に通行させるための任意の適したメカニズム又はシステムを備えることができる。幾つかの実施形態又は本明細書において開示される発明によれば、駆動システム２３０は、単数又は複数のローラ又はトラック２３２と、生活空間２０の床にわたってロボット２００を移送するようにコントローラ２２０によって動作可能な１つ又は複数のオンボード（すなわち、移動ロボット２００によって運ばれる）電気モータ２３４（本明細書において「モータ付きアクチュエータ」としても示される）とを備える。
【００７５】
サービスオペレーションシステム２４２は、幾つかの実施形態、又は本明細書において開示される発明ではオプションとすることができ、生活空間２０内でサービスオペレーションを実行するように動作可能である。幾つかの実施形態、又は本明細書において開示される発明によれば、サービスオペレーションシステム２４２は、ロボット２００が空間２０を通行する際に生活空間２０の床表面を清掃する床清掃システムを含む。幾つかの実施形態、又は本明細書において開示される発明では、サービスオペレーションシステム２４２は、床を電気掃除機で掃除するための吸引ヘッド及びオンボード（すなわち、移動ロボット２００によって運ばれる）真空発生器を備える。幾つかの実施形態、又は本明細書において開示される発明では、サービス動作システム２４２は、１つ又は複数の回転ブラシ、ローラ、濡れた若しくは乾いた、固定された若しくは発振及び／又は振動する布、又は多層パッドアセンブリ等の掃き取り機械又はモップがけ機械等のエンドエフェクタ２４２Ｄを備える。
【００７６】
幾つかの実施形態、又は本明細書において開示されるか若しくは上記で開示された発明では、「エンドエフェクタ２４２Ｄ」という用語は、移動ロボット、自律型多関節ロボット又はリモート制御ロボットの作業ペイロードを含み、これには通常の意味でのマニュピレータ及びツール並びに清掃ヘッド端部が含まれる。ここで説明されるエンドエフェクタは、アーム又はマストの端部である必要はなく、移動ロボット２００に直接又は懸架装置若しくは他のリンク装置を介して取り付けることができる。作業ペイロードは、ツールを動かす動力付きアクチュエータを用いて機械作業を行う。作業ペイロードの１つの例は、清掃ヘッド（回転式又は往復式のブラシ若しくはパッド及び／又は吸込具等）である。
【００７７】
無線通信システム２５０は、ロボット２００とハブ１１０及び／又はプライベートネットワーク１６０（すなわち、ＷＡＰ１６４を介して）との間の無線通信を可能にする無線通信送信機又はモジュール２５２（例えば、Ｗｉ−Ｆｉモジュール）及び関連したアンテナ２５４を備える。様々な異なるネットワーク構成をプライベートネットワーク１６０に用いることができる。移動ロボット２００は、このプライベートネットワークのノードを構成する。幾つかの実施形態又は本明細書において開示される発明では、ロボット２００は、ＷＡＰ１６４を介してルータ１６２を通じてハブ１１０と無線で通信する。幾つかの実施形態又は本明細書において開示される発明では、移動ロボット２００は、ハブ１１０を迂回して、ルータ１６２及びＷＡＰ１６４を介してリモート管理サーバ１５０と通信する。
【００７８】
幾つかの実施形態又は本明細書において開示される発明では、ロボット２００は、ナローバンド又はブロードバンド（例えば、Ｗｉ−Ｆｉ）のＲＦ通信を用いて、ハブ１１０と無線で直接通信することができる。例えば、ロボット２００が、ＷＡＰ１６４に適合した送信機を装備していない場合、ロボット２００は、ハブ１１０と通信することができ、このハブは、次に、ロボット２００からのデータをプライベートネットワーク１６０又はリモート管理サーバ１５０に中継することができる。幾つかの実施形態、又は本明細書において開示される発明では、システム１００は、ネットワークブリッジデバイスを備える。このネットワークブリッジデバイスは、ロボット２００からＲＦ信号を受信して変換し、それらの信号を、リモート管理サーバ１５０又はプライベートネットワーク１６０内の別のデバイスに配信するために、ルータ１６２によってサポートされたフォーマットで当該ルータに中継する。幾つかの実施形態、又は本明細書において開示される発明では、システム１００は、ＲＦ通信信号が移動ロボット２００とハブ１１０との間でノードからノードに中継されるメッシュトポロジを用いた低電力メッシュデータネットワークを備える。この場合、固定センサ１２０、１２２、１２４、コントローラ１２４、１２６、１２７、１２８、１２９、１４０、及び範囲拡張器モジュール（存在する場合。図示せず）は、メッシュノードとしての機能を果たすことができる。同様に、移動ロボット２００は、ハブ１１０と他のノード（例えば、デバイス１２０、１２２、１２４、１２６、１２７、１２８、１２９、１４０、及び範囲拡張器）との間で信号を中継するノードとしての機能を果たすことができる。
【００７９】
上記で示されるように、図２２は、通信構成要素と、様々なノード上で実行されるセンサ及びアプリケーションと、メニュー選択ツリーにおいてメニューアイテムと関連付けられる例示的なデータ構造との一実施形態を示す。例えば、実施形態又は本明細書において開示される発明においては移動ロボット２００である移動機械アクチュエータ（ＭＡ）は、環境光センサ（瞬間値／履歴が配列にある）、湿度センサ（瞬間値／履歴が配列にある）、空気品質センサ（瞬間値／履歴が配列にある）、位置特定／マッピング（ロボットが計量特徴の集合、走行距離計、占有グリッド、及び／又は境界線走査を配列（複数の場合もある）に記録する）、カメラ（ロボットが認識した特徴及び履歴を配列（複数の場合もある）に記録する）、温度計（瞬間値／履歴が配列にある）、マイクロフォン（瞬間値／履歴が配列にある）、ビンレベルセンサ（瞬間値／履歴が配列にある）、塵埃センサ（瞬間値／履歴が配列にある）、バッテリレベルセンサ（瞬間値／履歴が配列にある）、ＰＩＲ検出器（瞬間値／履歴が配列にある）、空気圧センサ（瞬間値／履歴が配列にある）等のセンサ及びデータフィールドを備える。実施形態又は本明細書において開示される発明においては移動ロボット２００である移動機械アクチュエータ（ＭＡ）は、Ｗｉ−Ｆｉ、Ｂｌｕｅｔｏｏｔｈ（登録商標）、Ｚｉｇｂｅｅ（登録商標）、及び６ＬｏＷＰａｎ（ローカル端末上で実行されるアプリケーションが、ローカル端末、ノードを含むネットワークエンティティのＭＡＣとＩＰとを監視し、ネット、ワークエンティティが常駐するデータフィールドをＭＡ、ノードエンティティごとに真／偽に設定する）等の接続センサ及びデータフィールドを備える。実施形態又は本明細書において開示される発明においては移動ロボット２００である移動機械アクチュエータ（ＭＡ）は、例えば、バッテリ２２４／パワーモジュール２１２（充電状態がフィールドにある）、エンドエフェクタ２４２Ｄ−撹拌（オン／オフ／速度がフィールドにある）、エンドエフェクタ２４２Ｄ−電気掃除（オン／オフ／速度がフィールドにある）、エンドエフェクタ２４２Ｄ−ディスペンサ（複数の場合もある）（オン／オフ／レート／残り容量がフィールドにある）、駆動モータ（複数の場合もある）２３０（オン／オフ／速度がフィールドにある）、及び指示灯（複数の場合もある）２７４Ａ（オン／オフ／色／変調がフィールドにある）等のＭＡの監視要素及び関連するデータフィールドを備える。
【００８０】
同様に、固定センサノード１１０、１２０、１２２、１２４（本明細書では「固定センサ」及び「ネットワーク接続対応固定センサ」としても示される）、又は固定型機械アクチュエータ１２６、１２７、１２８、１２９、１４０（例えば、ＨＶＡＣ、加湿器、空気清浄機、並びに本明細書では、「オートメーションコントローラデバイス」及び「ネットワーク接続対応オートメーションコントローラデバイス」）センサは、自身のセンサで状態を監視し、以下の関連するデータを記憶する。これは、例えば、占有センサ（瞬間値／履歴が配列にある）、モーションセンサ（瞬間値／履歴が配列にある）、環境光センサ（瞬間値／履歴が配列にある）、湿度センサ（瞬間値／履歴が配列にある）、空気品質センサ（瞬間値／履歴が配列にある）、温度計（瞬間値／履歴が配列にある）、マイクロフォン（瞬間値／履歴が配列にある）、空気品質（瞬間値／履歴が配列にある）、及びバッテリレベルセンサ（瞬間値／履歴が配列にある）等である。固定センサノード１１０、１２０、１２２、１２４又は固定型機械アクチュエータ１２６、１２７、１２８、１２９、１４０（例えば、ＨＶＡＣ、加湿器、空気清浄機）は、Ｗｉ−Ｆｉ、Ｂｌｕｅｔｏｏｔｈ（登録商標）、Ｚｉｇｂｅｅ（登録商標）、及び６ＬｏＷＰａｎ等の接続センサ及びデータフィールドを備える（ホストされるアプリケーションが、アプリケーションをホスティングするローカル端末（ＬＴ）と、移動機械アクチュエータ（例えば、移動ロボット２００）と、固定センサノード１１０、１２０、１２２、１２４と、固定型機械アクチュエータ１２６、１２７、１２８、１２９、１４０とを含むネットワークエンティティのＭＡＣ及びＩＰを監視し、ネットワークエンティティが常駐するデータフィールドをＭＡ、ノードエンティティごとに真／偽に設定する）。実施形態又は本明細書において開示される発明では、固定型機械アクチュエータ１２６、１２７、１２８、１２９、１４０は、自身のアクチュエータの状態を監視し、この監視されるアクチュエータに関連付けられるデータを、例えば、ファン（オン／オフ／速度がフィールドにある）、ポンプ（オン／オフ／速度がフィールドにある）、コンデンサ（オン／オフ／速度がフィールドにある）、ゾーン弁若しくはスイッチ（オン／オフがフィールドにある）、並びに指示灯（複数の場合もある）（オン／オフ／色／変調がフィールドにある）等のフィールドに記憶する。
【００８１】
同様にして、ローカル端末１４２、３００（本明細書では、「移動デバイス」及び「スマートフォン」及び「ＬＴ」としても示される）は、自身のセンサでステータスを監視し、以下の関連するデータを記憶する。これは、例えば、加速度計／ジャイロスコープ（ＬＴ上で実行するアプリケーションが応答の動きを監視し、呼通話中フラグを真／偽に設定する）、「頭部近接」光学センサ（アプリケーションが、呼応答を示す遮蔽を監視し、呼通話中フラグを真／偽に設定する）、マイクロフォン（アプリケーションが、呼応答を示すアクティビティを監視し、呼通話中フラグを真／偽に設定する）等である。実施形態又は本明細書において開示される発明では、ローカル端末は、Ｗｉ−Ｆｉ、Ｂｌｕｅｔｏｏｔｈ（登録商標）、Ｚｉｇｂｅｅ（登録商標）、及び６ＬｏＷＰａｎ等の接続性センサ及びデータフィールド（アプリケーションが、アプリケーションを実行するローカル端末（ＬＴ）と、移動機械アクチュエータ（例えば、移動ロボット２００）と、固定センサノード１１０、１２０、１２２、１２４と、固定型機械アクチュエータ１２６、１２７、１２８、１２９、１４０とを含むネットワークエンティティのＭＡＣ及びＩＰを監視し、ネットワークエンティティが常駐するデータフィールドをＭＡ、ノードエンティティごとに真／偽に設定する）を備える。幾つかの実施形態、又は本明細書において開示される発明では、ローカル端末は、無線／電話のＧＳＭ（登録商標）及び／又はＣＤＭＡ等の接続センサ及びデータフィールドを備える（アプリケーション又はオペレーティングシステムが、待機中、呼出中、呼通話中の呼状態を監視し、呼状態フィールド値を設定する）。
【００８２】
図３及び図２２に示すように、例示のロボット２００は、次の環境センサ、すなわち、ＩＲ放射検出器２７０Ａ、カメラ２７０Ｂ、周囲温度センサ２７０Ｃ、周囲光センサ２７０Ｄ、音響センサ２７０Ｅ（例えば、マイクロフォン）、モーション検出器２７０Ｆ（例えば、パッシブＩＲフォトダイオード）、超音波センサ２７０Ｇ、圧力センサ２７０Ｈ、空気品質センサ２７０Ｉ、及び湿度センサ２７０Ｊを備える。これらのセンサは、ロボット２００上に設けることができるセンサのタイプを網羅したものではなく、これらのセンサのうちの幾つかは、ロボット２００によって検出される環境パラメータに応じて省略することができる。
【００８３】
マッピング／ナビゲーションシステム２４０は、移動ロボット２００が生活空間２０をマッピングし、空間２０に対するロボット２００の位置を求める又は登録する（すなわち、空間２０においてロボット２００を位置特定する）のに用いることができる。したがって、ロボット２００は、そのオンボード（すなわち、移動ロボット２００によって運ばれる）センサ２７０Ａ〜２７０Ｊのロケーションも位置特定することができる。マシンビジョン（例えば、カメラ２７０Ｂ及び特徴認識ソフトウェア又はクラス認識ソフトウェアを用いる）、光ビーコン、又は無線周波数受信信号強度インジケータ（ＲＳＳＩ）技術等の任意の適した技法及び構成要素を用いて、ロボット２００を位置特定して登録することができる。
【００８４】
幾つかの実施形態又は本明細書において開示される発明によれば、移動ロボット２００又はシステム１００は、（１）識別情報（例えば、「モノのインターネット」の６ＬｏｗＰａｎ電球又はソケット送受信機、プラグユニット等のＩＰｖ６識別情報）、（２）ＲＳＳＩ（例えば、同じ近傍のＩＰｖ６  ＲＦ送受信機の信号強度／振幅）、及び（３）リモート制御（例えば、ローカルネットワーク又はインターネットを介してそのＲＦ送受信機を変調する機能）を組み合わせることによって、部屋（例えば、ゾーンＡ、ゾーンＢ、ゾーンＣ）を一意に識別することができる。例えば、自律ロボット２００（例えば、Ｒｏｏｍｂａ（登録商標）ロボット）は、ＩＰｖ６送受信機のピーク信号強度を見つけるまで、部屋（例えば、ゾーンＡ、ゾーンＢ、又はゾーンＣ）をナビゲートすることができ、見つけた場合、この送受信機に最も接近していると予想することができる。このロボットは、その後、トポロジカルロケーション又はデカルト座標ロケーションを用いてこの送受信機をタグ付けすることができる。この送受信機がエンドユーザによって又は任意の手段を介して自動的に部屋識別情報（例えば、「居間の電球Ｎｏ．３」）に関連付けられている場合、ロボット２００は、この情報を様々な方法で用いることができる。例えば、ロボット２００に居間を清掃するように命じることができ、この場合、その機動性及び信号強度の距離に応じた変動を用いて、（マップがなくても）この部屋に向かって進むことができる。別の例として、ロボット２００に居間のみを清掃するように命じることができ、この場合、居間にあることが判明している１つ又は複数の送受信機がロボット２００をその部屋に「引き留める」。ロボット２００は、複数の信号源及び／又は識別可能な壁及び戸口を用いて信号強度の閾値及び／又は粗いローカライゼーションを設定し、居間のＩＰｖ６  ６ＬｏｗＰＡＮ電球の信号強度が高くなるように部屋をカバーする。
【００８５】
移動ロボット２００は、システム１００の他のセンサノード１１０、１２０、１２２、１２４、１２６、１２７、１２８、１２９、１４０からの出力に依拠せずに、幾つかの異なる方法で部屋又はゾーン（Ａ〜Ｃ）を識別することができる。一実施形態、又は本明細書において開示される発明では、移動ロボット２００は、移動ロボット２００の本体２１０に搭載された自身のカメラ２７０Ｂを用いて、１つの部屋に位置する１つ又は複数の特徴を視覚的に認識することができる。一実施形態、又は本明細書において開示される発明では、移動ロボット２００は、自身のマッピング及びナビゲーションシステム２４０を用いて、記憶された生活構造物２０のマップにおいて定義された部屋内の座標を識別し、部屋又はゾーン（Ａ〜Ｃ）を識別することができる。
【００８６】
次に、本明細書において開示される発明の実施形態又は本明細書において開示される発明による、環境管理システム１００を利用した更なる方法及び動作を説明する。
【００８７】
幾つかの方法によれば、システム１００は、ネットワーク接続された固定センサ１２０、１２２、１２４のうちの１つ又は複数からのデータを用いて、移動ロボット２００の動作を制御又は強化する。幾つかの実施形態、又は本明細書において開示される発明では、センサ１２０、１２２、１２４は、占有センサ（例えば、パッシブＩＲモーション検出器）である。センサ１２２が所与のゾーンＡ〜Ｃにおいて人Ｐを検出すると、システム１００は、ロボット２００に、占有状態に適応するようにその動作を変更させる。実施形態又は本明細書において開示される発明では、移動ロボット２００は、占有センサ、熱センサ、ＲＳＳＩセンサからの信号、又はその人のローカルユーザ端末１４２（本明細書では「移動デバイス３００」としても示される）のプレゼンスを示す信号に基づいて人Ｐを検出する。例えば、ロボット２００は、床清掃動作を実行している場合があり、システム１００は、（例えば、ハブ１１０からロボット２００への命令を介して）ロボット２００に、ドック１４０への帰還、占有者のいない異なるゾーンへの移動、占有者のいるゾーンの回避、又は静音動作モードへの移行を命令することができる。同様に、ロボット２００を展開する前に、システム１００は、固定センサ１２２を用いて、占有者が検出可能であるか否かを判断することができ、検出可能でない場合、ミッション（例えば、床清掃の周回（excursion））を続行するようにロボット２００をクリアすることができる。
【００８８】
代替的に、オンボードセンサ２７０Ａ〜２７０Ｊのうちの１つ又は複数は、占有状態を検出することができ、ロボット２００は、ミッションの完了又は打ち切りに関する更なる命令を得るために、この情報をハブ１１０に通信することができる。図２１と、図２２の有限状態マシンとに示されるように、実施形態又は発明では、アウェイモードがオンで、占有カウントが閾値未満のとき、移動ロボット２００は、ドッキング又はアイドル状態Ｓ１０から発進状態Ｓ１４へと移行する。ロボット２００は、記憶されたロケーションを用いて、ミッションにおいて次にカバーする部屋を指定する状態Ｓ１８に入り、現在の部屋を清掃する状態Ｓ２２に入る。現在の部屋が完了した（例えば、ロボットプロセッサ及びコントローラ上で実行されるルーチンが定めた通りに完全に行き来され、清掃された）とき、ロボットは、放出が完了するか、又は移動デバイス３００識別情報が無線ネットワーク上で検出されるか、又は人Ｐの占有が検出されるまで、次の部屋を指定する状態Ｓ１８に入る。
【００８９】
移動デバイス３００がネットワークに入ると、移動ロボット２００はその人の移動デバイスのＷＡＰ１６４上のプレゼンスを示す信号を受信する。それは、無線ローカルネットワーク１６０を監視する移動ロボット２００によって検出することもできる、または移動デバイス３００上で動作するロボットマネージャアクセスクライアント１５２Ａは、移動デバイス３００がＷＬＡＮ１６０上にあることと、ＷＡＰ１６４にアクセスしていることを示す信号を移動ロボット２００に送信するルーチンを実行することもできる。実施形態又は本明細書において開示される発明では、移動ロボット２００は、移動デバイス３００の呼状態を検出することが可能な無線受信機を備えることができる。ここで、アクティブ呼は、移動デバイス３００をアクティブ呼状態３００Ａにする。実施形態又は本明細書において開示される発明では、移動ロボット２００は、ＲＳＳＩセンサを用いて呼信号の強さを検出することができ、それによって移動デバイス３００に対するプロキシミティを求める。実施形態又は発明では、移動デバイス呼状態がアクティブ呼状態に変化することに応答して、移動ロボットコントローラ１２０は、移動ロボット２００をドック１４０に帰還させること、移動ロボット２００を占有者のいない異なるゾーン（Ａ〜Ｃ）に移動すること、移動ロボット２００に占有ゾーン（Ａ〜Ｃ）を回避させること、又はより静音の動作モードに移行させることによって、移動ロボット清掃状態を変更する。より静音の動作モードに移行させることは、移動ロボット２００が定位置で停止して静かになるように、移動ロボット２００の全てのモータ付きアクチュエータをオフにすることを含む。実施形態又は本明細書において開示される発明では、占有ゾーン（Ａ〜Ｃ）は、人Ｐ又は移動デバイス３００が存在するゾーンである。実施形態又は本明細書において開示される発明では、占有ゾーンは、移動デバイス３００がアクティブ呼状態３００Ａであるゾーンである。実施形態又は本明細書において開示される発明では、移動デバイス３００がアクティブ呼状態３００Ａであるとき、動作状態は待機状態からアクティブ状態になり、移動ロボットコントローラ１２０は移動ロボット２００の清掃状態を変更し、家庭２０内のロボットロケーション（すなわち、座標）を記憶する状態Ｓ３６に入ることで呼信号に応答し、次にドックへの帰還又は退去状態Ｓ２０に状態を変更し、その後ドックに到着し、ドッキング又はアイドル状態Ｓ１０に入る。
【００９０】
同様に、図２３に示されるように、手動発進シナリオにおいて、ロボット２００は、ドッキング又はアイドル状態Ｓ１０から発進状態Ｓ１４になる。発進状態において、移動ロボット２００は、ドックから発進（すなわち、駆動）し、カバレッジミッションを開始する。移動デバイス３００がネットワーク上にない（すなわち、移動デバイス３００のＭＡＣがネットワーク上にない）場合、移動ロボットは、次の部屋を指定する状態Ｓ１８と現在の部屋を清掃する状態Ｓ２２との間で状態を変更し、家庭の中を部屋から部屋へと移動してミッションを完了する。清掃する部屋が残っていないとき、ロボット状態は、ドックへ帰還した又は退去状態Ｓ２０に変化し、移動ロボット２００がドック１４０に到着するとき、ロボット状態は、ドッキング又はアイドル状態Ｓ１０に変化する。移動デバイスＭＡＣがネットワーク上にあり、ロボット２００が発進後に呼静音モードに設定する状態Ｓ１６に入ったとき、移動ロボット２００は、ミッションが完了して、部屋が残っていないか、又は呼状態の変化が移動ロボット清掃状態を変更するまで、次の部屋を指定する状態Ｓ１８と現在の部屋を清掃する状態Ｓ２２との間で状態を変更する。移動デバイスが着呼を受信したとき、移動ロボット状態は、静音モードの呼監視Ｓ３０に変化する。移動ロボット２００は、静音モードの呼監視Ｓ３０状態において、静音モードＳ３０（すなわち、モータ付きアクチュエータをオフにし、定位置で停止し、静かになる）を保持し、現在の部屋を清掃する状態Ｓ２２に戻る前に呼が終わるのを監視する。
【００９１】
幾つかの実施形態、又は本明細書において開示されるか若しくは上記で開示された発明では、「動作状態」という用語は、アクチュエータ又は制御システムのアイドルとアクティブとの間の移行を反映した１つ又は複数の状態を含む。動作状態は、作動される機械アクチュエータ、電動アクチュエータ、信号アクチュエータ、又は他のアクチュエータに適用されるロジック又はデータ状態であり、データベースに記憶し、及び／又はセンサによって直接及び反応的に監視することができる。さらに、動作する判断がシステム内のロジックによって行われる中間状態があることができる。例えば、呼状態又は呼「動作状態」（例えば、電話が呼に対してアクティブであるか否か）では、電話は、呼の準備が完了していることもできるし、まだ応答されていない呼を鳴らしていることもできるし、呼は通話中とすることもできる。さらに、動作状態は、「オン」対「オフ」である必要はなく、「低」対「高」とすることもできるし、多様な範囲で示すこともできる。例えば、清掃状態又は清掃「動作状態」（例えば、アクチュエータによって動かされる清掃ヘッドが清掃に対してアクティブであるか否か）では、清掃ヘッドは、アイドル中とすることも、低電力モード若しくは低速モードとすることも、高電力モード又は高速モードとすることもできる。
【００９２】
幾つかの実施形態、又は本明細書において開示される発明では、システム１００は、ロボット２００の動作を円滑にするように構造１０のデバイス１２０、１２２、１２４、１２６、１２８、１２９、１４０を自動的に制御することができる。例えば、システム１００は、（例えば、ハブ１１０からの命令を介して）コントローラ１２８を用いて照明器具３４を自動的に点灯して、ロボット２００のカメラ２７０Ｂによって視認される領域を照明することができる。ロボットマネージャアクセスクライアント１５２Ａは、人ＰがＷＬＡＮ範囲１６５の外にいた後、生活構造物１０に戻ったときに、移動ロボット１００にドック１４０に戻るＳ２０ように命令することができる。ロボットマネージャアクセスクライアント１５２Ａは、人ＰがＷＬＡＮ範囲１６５の外にいた後、生活構造物１０に戻ったときに、ＷＬＡＮ１６４上の移動デバイス３００が呼を受信し、アクティブ呼状態３００Ａ（本明細書において、「呼」又は「呼出」としても示される）であるとき、移動ロボット１００に静音モードで動作するＳ３０ように命令することができる。アクティブ呼状態３００Ａは、移動デバイス３００Ａにおいて鳴っている呼３００Ａと、更にこの呼に応答している占有者とを示す。
【００９３】
図３、図４及び図２１に示されるように、１つの実施形態、又は本明細書おいて開示される発明では、移動ロボット２００のプロセッサ２２１は複数のルーチンを実行する。複数のルーチンは、無線ネットワーク回路２５０と通信することによって無線アクセスポイント（ＷＡＰ）１６４を監視してＷＬＡＮ範囲１６５内の１つ又は複数の移動デバイス３００のプレゼンス状態を検出する第１のルーチンを含む。第２のルーチンはセンサから信号を受信する。ここで、センサは移動デバイス３００の呼状態を検出し、動作状態は呼準備態勢と着呼との間で変更可能である。第３のルーチンは、移動ロボット２００のサービスオペレーションシステム２４２のモータ付きアクチュエータに、ＷＬＡＮ上の移動デバイス３００のプレゼンスと第１及び第２のルーチンによって検出される呼状態とに基づいて、機械作業の実行状態を変更するように命じる。
【００９４】
幾つかの実施形態、又は本明細書において開示される発明では、移動ロボットプロセッサ２２１によって実行されるルーチンによって下される判断は、代わりに又は代替形態において、移動ロボットプロセッサ２２１及びスマートフォン３００が互いに通信することができるネットワークエンティティである限り、スマートフォン３００プロセッサを介して実行されるオペレーティングシステムがホストする区画化された又は他のアプリケーションによって実行されるルーチンによって実行される。本開示は、スマートフォン３００のパートナアプリケーションによってそのようなルーチンを実行することができることと、移動ロボット２００にアクチュエータを作動させるように移動ロボットプロセッサによって用いられる、結果として得られるデータ、命令、又は情報は、共有ネットワークを通して伝送することができることとを企図する。
【００９５】
上記で示されたように、幾つかの実施形態、又は本明細書において開示される発明では、清掃状態は、サービスオペレーションシステム２４２の１つ又は複数のモータ付きアクチュエータの電源をオン又はオフにすることによって変更され、他の実施形態、又は本明細書において開示される発明では、清掃状態は、モータ付きアクチュエータがフルパワーで動作することから、低電力の低デシベル状態で動作することへと変更される。幾つかの実施形態、又は本明細書において開示される発明では、フルパワー状態とは、モータ付きアクチュエータがサービスオペレーションシステム２４２の吸出しファン又はローラ要素をフルスピードで動作させることを示し、低電力状態とは、モータ付きアクチュエータがサービスオペレーションシステム２４２の吸出しファン又はローラ要素をより低速で動作させることを示す。
【００９６】
他の実施形態、又は本明細書において開示される発明では、第２のルーチンが受信する信号は、移動ロボット２００上のセンサ２７０Ａ〜２７０Ｊから送信される。幾つかの例では、移動ロボット２００上のセンサ２７０Ａ〜２７０Ｊは、呼の呼出音又は振動３００Ａを感知する音声センサ２７０Ｅである。他の例では、移動ロボット２００上のセンサ２７０Ａ〜２７０Ｊは、電話の呼３００Ａを示す、例えば、北米では９１５ｍＨｚ又は欧州では８６８ＭＨｚ等である無線周波数信号を検出するための無線通信システム２５０の無線受信機である。幾つかの実施形態、又は本明細書おいて開示される発明では、呼３００Ａの受信を知らせるセンサは、電話デバイスを耳まで持ち上げることに関連した動きを測定する加速度計、人Ｐの顔面又は頭部に対する電話デバイスの近接度を測定する近接センサ、呼出音３００Ａを示す振動を引き起こすか又は検出するための振動アクチュエータ又はセンサ、及び呼出音３００Ａを聴覚的に検出するための、電話におけるマイクロフォン等の、移動デバイス３００上の単一のセンサ又はセンサの組み合わせである。
【００９７】
幾つかの実施形態、又は本明細書おいて開示される発明では、第１のルーチンは、無線ローカルネットワーク上の移動デバイス３００のプレゼンス状態を検出し、第２のルーチンは移動ロボット２００の清掃準備態勢センサから信号を受信し、このセンサは移動ロボット２００の清掃準備態勢状態を検出し、清掃準備態勢状態は清掃準備態勢と清掃アクティブとの間で変更可能である。実施形態又は本明細書において開示される発明では、移動ロボット２００は、清掃準備が完了しているかを監視するのに監視行動を実行する。幾つかの実施形態では、清掃準備態勢は移動ロボット２００のバッテリ充電であり、対応する清掃準備態勢センサは、例えば、電量解析及び／又は他のバッテリ充電状態センサに依拠する。他の実施形態では、清掃準備態勢は、移動ロボット２００の静止状態であり、対応する清掃準備態勢センサは、１つ又は複数の走行距離計、加速度計、又はアクチュエータ電流測定値に依拠して、移動ロボット２００が自由に動くことができるか、又は行き詰まっている若しくは動きを制限されているかを判断する「静止」センサである。実施形態又は本明細書において開示される発明では、エンドエフェクタ２４２Ｄは移動ロボット２００のサービスオペレーションシステム２４２の清掃ヘッドであり、清掃準備態勢は静止状態であり、モータ付きアクチュエータは静止状態で静止している。
【００９８】
幾つかの実施形態、又は本明細書おいて開示される発明では、第３のルーチンは、無線ローカルネットワーク上の移動デバイス３００のプレゼンスと、移動ロボット２００の清掃準備態勢状態とに応じて、移動ロボット２００の清掃ヘッド又はエンドエフェクタ２４２Ｄに清掃状態を変更するように命じる。移動ロボットがミッションを作動するのに十分なバッテリ残量を有していない場合、移動ロボット２００は、占有スケジュールが、占有者（複数の場合もある）が生活構造物１０から離れている時間区間を指し示したとしても、発進しない。
【００９９】
幾つかの実施形態、又は本明細書において開示される発明では、移動ロボット２００が占有のプレゼンスを検出することを可能にするネットワーク対応移動デバイスは、Ｓｅｎ．ｓｅ（商標）のモーションクッキー等の無線送信対応センサタグである。他の実施形態、又は本明細書において開示される発明では、移動デバイスはスマートフォン３００である。幾つかの実施形態では、移動デバイスは、可搬アクティブ追跡機、乳児モニタ、重量計又は空気品質モニタ等の無線送信対応デバイスである。そのような有線移動デバイスの例は、Ｗｉｔｈｉｎｇｓ（商標）のアクティビティモニタ、乳児モニタ、及び重量計である。幾つかの実施形態、又は本明細書において開示される発明では、移動ロボット２００は、オンボードカメラ２７０Ｂ又はパッシブＩＲセンサ２６０を用いて、生活空間２０内の１つ又は複数の部屋（ゾーン（Ａ〜Ｃ））における１人又は複数の占有者Ｐのプレゼンスを検出する。
【０１００】
移動ロボット２００が、占有者Ｐの移動デバイス３００がＷＡＰ１６４上に現れることで判断される占有者Ｐのプレゼンスを示す信号を受信することの１つの利点は、移動ロボット２００が監視ルーチンを実行し、監視ルーチンに設定された条件に応答して、反応的にプレゼンスに応答することである。幾つかの実施形態では、移動ロボットは、１つ又は複数の移動デバイス３００のプレゼンスに関してローカルネットワーク１６０を独立して監視する。他の実施形態では、移動デバイス３００は、ネットワークに入り、移動デバイスプロセッサ上で実行されるロボットマネージャアクセスクライアント１５２又は環境マネージャアクセスクライアント１５２等の、走行移動ロボット２００に命令を無線通信するためのアプリケーションを通して、移動ロボット２００に自身のプレゼンスを通知する。
【０１０１】
幾つかの実施形態、又は本明細書において開示されるか若しくは上記で開示される発明では、移動ロボットのプロセッサ２２１は、移動デバイス３００がネットワークを離れ、移動ロボット２００の準備が完了した、例えば、移動ロボットバッテリ２４４が充電された場合、ロボット２００の準備が完了していることと、家庭の占有者Ｐがいないこととの両方を共に示す開始信号又は測定が監視されることに応答して、ミッション、例えば清掃ミッションを起動及び実行するルーチン（複数の場合もある）を実行することができる。「ミッション」は、（ロボットが空間２０を通ってナビゲートする場所において）移動中に行われ、開始判定基準（例えば、ユーザコマンド、スケジュール、閾値又は設定値に基づくコマンド若しくは判断）並びに終了判定基準及び／又は完了判定基準（例えば、時間制限、エリア制限、バッテリ充電残量制限、１つのエリアがカバーされる回数、及び／又は塵埃検出による清潔度スコア）を有する、機械作業タスクの開始から終了までの１セットを含む。ミッションは、２回以上の出動で完了する場合がある。移動ロボットのプロセッサ２２１は、移動ロボット２００が正常に（そしておそらく大音量で）作動していることと、家庭の占有者Ｐが自身の付近では雑音を減少させるように要求したか、又は更に静かにすることを突然必要としたこととの両方を共に示す開始信号又は測定が監視されることに応答して、占有者Ｐのもとから去るか、音量を下げるか、又は自身の電源をオフにして、占有者が電話呼３００Ａに出るときにロボットを静かにするルーチン（複数の場合もある）を実行する。したがって、移動ロボット２００は、自身のミッションを中断して、占有者Ｐが移動デバイス３００において背景の雑音の干渉を受けることなく発信者の声を聞くことができるようにして、状況に応じる形で機能する。
【０１０２】
実施形態では、移動ロボットは、アクティブ呼状態３００Ａの移動デバイス３００を握持する占有者Ｐのもとを離れるか、又は移動ロボットは、自身のモータ付きアクチュエータの音量を下げる。これらのモータ付きアクチュエータは、吸出しファンを作動させるアクチュエータ、動輪２３２を作動させる駆動システム２３０の１つ又は複数のモータ、及びサービスオペレーションシステム２４２の１つ又は複数のエンドエフェクタ２４２Ｄ又は清掃ヘッド要素（例えば、ローラ、布、霧吹き）を作動させる。移動ロボット２００は、呼状態を監視し、実施形態において、アクティブ呼状態３００Ａを示す無線周波数に関して監視する。幾つかの実施形態、又は本明細書において開示される発明では、呼が終了すると、移動ロボット２００はミッションを中断した場所に戻り、アクティブミッション状態に戻る。したがって、移動ロボット２００は、占有者Ｐのプレゼンスと、移動デバイス３００における呼３００Ａへの応答とを配慮しながら、生活空間２０全体にわたってミッションを完了する。幾つかの実施形態、又は本明細書において開示される発明では、システム１００は、移動ロボット２００の環境センサによって収集されたデータを用いて、システム１００の監視及び／又は制御の機能及びプロセスを有効化又は強化する。それによって、ロボット環境センサ２７０Ａ〜２７０Ｊ（ハブ１１０及び／又はリモート管理サーバ１５０にネットワーク接続される）を、固定センサ１２０、１２２、１２４の代わりに又はこれらに加えて用いて、入力データと命令とをハブ１１０、移動デバイス３００、ネットワーク接続対応固定センサ１２０、１２２、１２４、ネットワーク接続対応オートメーションコントローラデバイス１２６、１２７、１２８、１２９、１４０及び／又はリモート管理サーバ１５０に提供することができる。上述したように、生活空間２０におけるロボット環境センサ２７０Ａ〜２７０Ｉのロケーションを求めることができ、ロボット環境センサ２７０Ａ〜２７０Ｊからの読み取り値を空間２０に対して対応させて登録することができるようにこれらのロケーションを登録することができる。
【０１０３】
周囲光センサ２７０Ｄ又はカメラ２７０Ｂは、例えば、ゾーン内の光レベル及び／又は窓３０を通って入ってくる光レベルを検出するのに用いることができる。このセンサロボット又はセンサからのデータに基づいて、システム１００は、コントローラ１２６を用いて、窓のシェード３０Ａを閉じることもできるし、シェードが閉じられるべきことをユーザに通知することもできる。
【０１０４】
同様に、カメラ２７０Ｂ又はロボット２００上の他のセンサは、開放した窓３０又はドア３２を検出するのに用いることができる。このように、ロボット２００は、セキュリティ目的又は他の目的で構内空間への入口及び構内空間のゾーンを監視することができる。
【０１０５】
図３、図２２、図２５、図２６及び図２７に示されるように、温度センサ２７０Ｃは、空間２０内の固定温度センサ（複数の場合もある）１１０のロケーション（複数の場合もある）以外のロケーションにおける周囲温度を検出するのに用いることができる。このようにして、移動ロボット２００は、空間２０内の温度分布をより正確に反映する温度データセットを取得する。システム１００は、ＨＶＡＣシステム４０又は他のデバイスの動作を変更する（例えばサーマルシェードを自動的に開閉する）こと、又は温度分布をユーザに報告することによって応答することができる。図２５及び図２６に示されるように、マッピング及びナビゲーションルーチンは、移動ロボット２００が生活空間２０全体にわたってセンサ温度読み取り値６０５を測定及び記憶し、生活空間２０全体にわたって温度読み取り値６０５の２次元マップ又は３次元マップを生成することを可能にする。図２５に示されるように、移動ロボット２００が取得する温度読み取り値６０５は、家庭２０内の部屋に、及び家庭２０内の個々の部屋にわたってマッピングし、固定ノード１１０、１２０の固定温度読み取り値１２１と比較可能なマッピングされた温度勾配を得ることができる。ロボットが生成した温度読み取り値マップは、単一出力のみを捕捉する固定センサ１１０、１２０によって検出されない変動性を示す。同様にして、実施形態又は本明細書において開示される発明では、移動ロボット２００は、移動ロボット２００が生活空間２０全体にわたってロボット経路６２０に沿って駆動する間、そのオンボード空気品質センサ２７０Ｉを用いて空気品質読み取り値６１０を測定及び記憶する。空気品質読み取り値６１０は、生活空間２０全体にわたって空気品質読み取り値の２次元マップ又は３次元マップにマッピングされる。実施形態又は本明細書において開示される発明では、空気品質読み取り値６１０は、粒子状物質（ＰＭ）、硫黄酸化物（ＳＯｘ）、窒素酸化物（ＮＯｘ）、揮発性有機化合物（ＶＯＣ）、一酸化炭素（ＣＯ）及びアンモニア（ＮＨ３）、対流圏オゾン（Ｏ３）、花粉、埃、又は他の粒子状物質等の一般的に検出される空気品質値を測定するができる。実施形態又は本明細書において開示される発明では、空気品質読み取り値は湿度を測定する。図２５及び図２６に示されるように、実施形態又は本明細書において開示される発明では、センサ読み取り値１２１、６０５、６１０のマップ６００は、ローカルユーザ端末１４２、３００又はリモートユーザ端末１４４、３００のＨＭＩに対して、ネットワーク接続対応固定センサ１２０、１２２、１２４及びネットワーク接続対応オートメーションコントローラデバイス４０、１２６、１２７、１２８、１２９、１４０のアクティブ管理のために表示される。実施形態又は本明細書において開示される発明では、移動ロボット２００は、マッピングされたセンサ読み取り値６０５、６１０を処理し、動作命令をネットワーク接続対応固定センサ１２０、１２２、１２４と、ネットワーク接続対応オートメーションコントローラデバイス１２６、１２７、１２８、１２９、１４０とに送信する。したがって、図２５、図２６及び図２７に示されるように、システム１００は、マッピングする移動ロボット２００を用いて温度／湿度／空気品質データを収集し、家庭環境制御に用いることができる動的に更新される２次元マップ６００又は３次元マップ７００を組み立てる。図２５及び図２６に示されるもの等の幾つかの実施形態、又は本明細書において開示されるか若しくは上記で開示された発明では、家庭２０内の複数の２次元ロケーションで取得されるセンサ読み取り値は、家庭２０内のセンサ読み取り値の２次元マップを埋め、２次元マップは、ネットワークエンティティがアクセス可能なメモリに記憶され、特に、ネットワークを介して移動ロボット２００と通信するヒューマンマシンインターフェースデバイス（例えば、移動ハンドセットスマートフォン３００、パーソナルコンピュータ、スマートウォッチ、ディスプレイ及び／又はタッチスクリーンとともに無線ネットワークインターフェースを有する移動タブレット、プロセッサ、並びにルーチンを実行するためのメモリ）に表示される。
【０１０６】
幾つかの実施形態では、第１の態様又は本明細書において開示される発明によれば、「カバレッジ」ミッション（掃き取り、電気掃除、モップがけ、液体散布、及び／又はこれらの任意の組み合わせ）用の家庭用移動ロボット２００は、単数又は複数の適した技法、幾つかの実施形態又は本明細書において開示される発明では、「同時ローカライゼーションマッピング」（ＳＬＡＭ）技法を用いて、例えば電気掃除されている表面のマップを生成する。様々な技法、及び生成することができる様々なマップがある。マップは、トポロジカルマップ、デカルトマップ、極座標マップ、抽象マップ、確率的マップ、又はそれ以外のものとすることができ、及び／又は壁、障害物、オープンスペース、基準点、地勢、「占有」、若しくは他のマップ特徴を追従することができる。幾つかの技法では、それぞれが或る程度の確度の高い正確性を有する多くのマップが記録されている。
【０１０７】
幾つかの実施形態、又は本明細書において開示される発明によれば、本明細書において説明するようなロボット２００によって収集された環境センサデータの実質的な処理は、全て又は大部分がロボット２００のプロセッサ２２１によって実施される。幾つかの実施形態、又は本明細書において開示される発明によれば、本明細書において説明するようなロボット２００によって収集された環境センサデータの実質的処理は、全て又は大部分がロボット２００からリモートで行われる。幾つかの実施形態、又は本明細書において開示される発明では、上記処理は、全て又は大部分がクラウド又はリモート管理サーバ１５０において行われる。幾つかの実施形態、又は本明細書において開示される発明では、上記処理は、全て又は大部分がリモートユーザ端末１４４、３００又はローカルユーザ端末１４２、３００において実施される。一方、他の実施形態、又は本明細書において開示される発明では、ロボットセンサデータの処理の全部又は一部分は、ハブ１１０において行うことができる。
【０１０８】
実施形態又は本明細書において開示される発明によれば、図３と図２１〜図２７とに示されるように、移動ロボット２００は、メモリ２２２と、無線ネットワーク回路１６０とに接続されるプロセッサ２２１を備える。このプロセッサは、メモリ２２２に記憶されたルーチンと、ルーチンによって生成され、無線ネットワーク回路１６０を介して受信される命令とを実行する。移動ロボット２００は、生活空間、２０、又は家庭内の複数のアクセス可能な２次元ロケーションに達するようにプロセッサ２２１によって命令可能である従動輪２３２と、プロセッサ２２１によって読み取り可能な環境センサ２７０Ｃ、２７０Ｉ、２７０Ｊとを更に備える。プロセッサ２２１は複数のルーチンを実行する。複数のルーチンは、従動輪２３２に移動ロボット２００を家庭２０で動き回らせるように命じる第１のルーチンと、図２５の例示的なマップ６００で示されるように、家庭２０内の複数のアクセス可能な２次元ロケーションにおいてセンサ読み取り値６０５、６１０を取得する第２のルーチンと、家庭２０全体にわたるセンサ読み取り値６０５、６１０に基づいて、専用環境センサ１２０を有するネットワーク接続対応オートメーションコントローラデバイス１２６、１２７、１２８、１２９、１４０に、専用環境センサが単独で違ったふうに判断するのにもかかわらず、データを送信し、結果として、ネットワーク接続対応オートメーションコントローラデバイス１２６、１２７、１２８、１２９、１４０上のモータ付きアクチュエータ４１が家庭２０内の機械作業を行うようにアクティブ化される第３のルーチンとを含む。   
【０１０９】
幾つかの実施形態、又は本明細書において開示される及び／又は上記で開示された発明では、複数のアクセス可能な２次元ロケーションは、Ｘ、Ｙ座標の集合（定位又は「ロケーション」）又は家庭２０の床における何らかの障害物によって占有されていないロケーションを反映したＸ、Ｙシータ座標（「姿勢」）、及び／又は占有グリッドに記録されたアクセス可能なロケーション若しくは姿勢若しくはロケーションセルの集合である。この場合、占有グリッド又は床の空き面積は、オプションで、プロセッサ２２１によって、経路計画の実施、すなわち、様々な軌道を繋げて障害物を避けることと、従動輪２３２に床の空き面積を動き回るように命じることとに用いることができる。経路計画は、実質的に近道（例えば、オプションでダイクストラのＡ＊アルゴリズム又はＤ＊アルゴリズムの変形等の経路計画アルゴリズムを用いた、最短経路又は最速経路）とすることもできるし、サンプリング指向（例えば、何分かの間、経路において幾つかの数、例えば５〜２０のサンプルを取得し、オプションで、制約が、分配されたサンプルの集合であり最短で最速の経路でない、又はローミング及び／又はランダムであるときには経路計画アルゴリズムを用いる）とすることもできるし、エリアカバレッジ指向（例えば、より大きな数、例えば２０〜１００のサンプルを、各サンプルをロケーションに割り当てるようにして取得する。オプションで、各サンプルはトポロジカル若しくは測量的に互いに関連するか、又は３Ｄ行列として保持される）とすることもできる。
【０１１０】
実施形態又は本明細書において開示される発明では、移動ロボットは、主要ミッションに際して家庭２０を動き回り、同時に２次ミッションとして環境センサ読み取り値６０５、６１０を収集する。幾つかの実施形態では、移動ロボット２００は電気掃除機であり、主要ミッションは清掃ミッションである。移動ロボット２００は、電気掃除を行いながら家庭２０を動き回る間、環境センサ読み取り値６０５、６１０の測定及びマッピングも行う。環境センサ読み取り値は、家庭２０の２次元レイアウト又は３次元レイアウトのマップにマッピングされる。
【０１１１】
実施形態又は本明細書において開示される発明では、家庭２０内の複数のアクセス可能な２次元ロケーションで取得されるセンサ読み取り値６０５、６１０は、環境センサ読み取り値である。幾つかの実施形態では、環境センサは空気品質センサ２７０Ｉであり、他の実施形態では、環境センサは湿度センサ２７０Ｊである。幾つかの実施形態では、環境センサは温度センサ２７０Ｃである。
【０１１２】
幾つかの実施形態又は本明細書において開示される発明では、ネットワーク接続対応オートメーションコントローラデバイス１２９は、専用湿度センサ１２０を備える加湿器である。幾つかの実施形態又は本明細書において開示される発明では、ネットワーク接続対応オートメーションコントローラデバイス１２９は専用空気品質制御センサ１２０を備えた空気清浄機である。幾つかの実施形態又は本明細書において開示される発明では、ネットワーク接続対応オートメーションコントローラデバイス１２９はＨＶＡＣ４０及び窓の自動窓シェード３０Ａ等の自動操作要素を制御するサーモスタット１１０である。
【０１１３】
サーモスタット、空気清浄機及び加湿器等のネットワーク接続対応オートメーションコントローラデバイス１１０、１２６、１２７、１２８、１２９、１４０は、固定型であり、通常は生活空間２０全体を通して１つ又は２つのロケーションに位置する。これらのデバイス内蔵の固定センサは、その特定の特異な不変ロケーションにおいて、相対的に位置特定された気流を測定する。移動ロボット２００の主な利点は、固定型ネットワーク接続対応オートメーションコントローラデバイス１１０、１２６、１２７、１２８、１２９、１４０から離れたロケーション、又はこれらのデバイスとは別の部屋若しくは直に隣接しないゾーン（Ａ〜Ｃ）におけるロケーションにアクセスすることである。移動ロボット２００は、生活空間２０全体にわたる測定値のマッピングによって、固定型ネットワーク接続対応オートメーションコントローラデバイス１１０、１２６、１２７、１２８、１２９、１４０から離れたロケーションで取得された単一の読み取り値６０５、６１０に基づいて、又は生活空間２０全体にわたって無作為又は系統的に取得された読み取り値の集計に基づいて、固定型ネットワーク接続対応オートメーションコントローラデバイス１１０、１２６、１２７、１２８、１２９、１４０がアクティブ化されるべきか否かを判断する。
【０１１４】
移動ロボット２００は、ネットワーク接続対応オートメーションコントローラデバイス１１０、１２６、１２７、１２８、１２９、１４０の環境センサ１２０の読み取り値がマップ６００上のその固有の不変ロケーション地点において違ったふうに示したとしても、生活空間２０全体にわたって取得された複数の測定値に基づいて、ネットワーク接続対応オートメーションコントローラデバイス１１０、１２６、１２７、１２８、１２９、１４０をアクティブ化する。ネットワークエンティティの専用センサ１２０は、ネットワーク接続対応オートメーションコントローラデバイス１１０、１２６、１２７、１２８、１２９、１４０に直に隣接する分量のみを測定し、生活空間２０全体にわたって広がる空気量の変動を考慮し損なう。移動ロボット２００は、生活空間２０全体にわたる温度、空気品質、湿度の監視及び測定によって、固定型ネットワーク接続対応オートメーションコントローラデバイス１１０、１２６、１２７、１２８、１２９、１４０が本来ならばアクセスすることができない情報を提供する。図２５及び図２６の例示的なマップ６００に示されるように、移動ロボット２００は、生活空間２０における異なるゾーン（Ａ〜Ｃ）の温度変動を測定し、例えば、風の入る窓の付近のホットスポット及び高い花粉量読み取り値（すなわち、空気の低品質）をマップ６００上で特定することができる。図２７の例示的なマップ７００に示されるように、移動ロボット２００は、生活空間２０の異なるゾーン（Ａ〜Ｃ）における温度変動を測定し、地図表示で温度範囲をマップ７００上で特定することができる。   
【０１１５】
移動ロボット２００が主要ミッションとしてセンサ読み取りミッションを行っており、清掃ミッション等の２次ミッションを実施していない場合、移動ロボット２００は、ロボットミッションの異なるステージにおいて、固定型ネットワーク接続対応オートメーションコントローラデバイス１１０、１２６、１２７、１２８、１２９、１４０に命令信号を送信することができる。１つの実施形態又は本明細書において開示される発明では、移動ロボット２００は、温度、湿度又は空気品質に関して許容閾値レベル又は範囲を超える又は下回る単一のセンサ読み取り値を取得すると、固定型ネットワーク接続対応オートメーションコントローラデバイス１１０、１２６、１２７、１２８、１２９、１４０上の専用センサ１２０が許容閾値測定値又は測定値の範囲内にある場合でも、移動ロボット２００は、対応する固定型ネットワーク接続対応サーモスタット１１０又は空気清浄機若しくは加湿器１２９に動作するように命令する。１つの実施形態又は本明細書において開示される発明では、移動ロボット２００は、自身のミッションを完了すると自身のセンサ読み取り値を平均化する。部屋又はゾーン（Ａ〜Ｃ）の平均センサ読み取り値が、温度、湿度又は空気品質に関して許容閾値レベル又は範囲を超える又は下回る場合、固定型ネットワーク接続対応オートメーションコントローラデバイス１１０、１２６、１２７、１２８、１２９、１４０上の専用センサ１２０が許容閾値測定値又は測定値の範囲内にある場合でも、移動ロボット２００は、対応する固定型ネットワーク接続対応サーモスタット１１０又は空気清浄機若しくは加湿器１２９に動作するように命令する。１つの実施形態又は本明細書において開示される発明では、移動ロボット２００は、温度、湿度又は空気品質に関して許容閾値レベル又は範囲を超える又は下回る単一のセンサ読み取り値を取得すると、移動ロボット２００は、自身のミッション（例えば、清掃ミッション）を完了し、その後、固定型ネットワーク接続対応オートメーションコントローラデバイス１１０、１２６、１２７、１２８、１２９、１４０上の専用センサ１２０が許容閾値測定値又は測定値の範囲内にある場合でも、対応する固定型ネットワーク接続対応サーモスタット１１０又は空気清浄機若しくは加湿器１２９に動作するように命令する。
【０１１６】
図２５、図２６及び図２７に示されるように、一実施形態によれば、又は本明細書において開示される発明では、移動ロボット２００は、プロセッサ２２１によって環境品質の現在の読み取り値を取得するように読み取り可能な環境センサを備える。移動ロボット２００は、家庭２００内のオブジェクトからのセンサ読み取り値を観測する、カメラ２７０Ｂ、レーザスキャナ、又は飛行時間センサ等の少なくとも１つの位置特定センサを備える位置特定回路を更に備える。この位置特定回路によって、観測されたオブジェクトを基準にして移動ロボット２００の現在の姿勢が求められる。プロセッサは、従動輪２３２にロボット２００を家庭２０で動き回らせるように命じるナビゲーションルーチンと、位置特定回路から観測結果を蓄積し、移動ロボット２００のあり得るロケーションを示す２次元配列を記録する表面マッピングルーチンと、家庭内の複数のアクセス可能な２次元ロケーションの環境センサから読み取り値の取得及び蓄積を行い、読み取り値と、移動ロボットのあり得るロケーションを示す２次元配列とに基づいてメモリ２２２に３次元配列を記憶させる環境マッピングルーチンと、ロケーション応答環境制御ルーチンとを含む、複数のルーチンを実行する。ロケーション応答環境制御ルーチンは、３次元配列をネットワーク接続対応オートメーションコントローラデバイス１１０、１２６、１２７、１２８、１２９、１４０等の複数の制御ノードのロケーションに相関させる。各制御ノード、又はネットワーク接続対応オートメーションコントローラデバイス１１０、１２６、１２７、１２８、１２９、１４０は、専用環境センサ１２０と、モータ付きアクチュエータ４１を、家庭２０内で機械作業を行うように作動させる制御チャネルとを備える。少なくとも１つの制御ノード、又はネットワーク接続対応オートメーションコントローラデバイス１１０、１２６、１２７、１２８、１２９、１４０の、３次元配列に示される環境マッピングロケーションに対するプロキシミティに基づいて、移動ロボット２００は、データを送信し、少なくとも１つの環境制御ノード、又はネットワーク接続対応オートメーションコントローラデバイス１１０、１２６、１２７、１２８、１２９、１４０に家庭２０で機械作業を行わせる。
【０１１７】
ロボットセンサ２７０Ａ〜２７０Ｊのうちの１つ又は複数は、構内空間２０内の占有者を感知するのに用いることができる。移動ロボット２００は、固定センサ１２０、１２２、１２４に利用可能でない単数又は複数のロケーションにおける占有データを提供することによって、システム１００の占有状態検出能力を大幅に改善することができる。ロボット２００によって収集された占有情報は、単独で用いこともできるし、固定センサ１２０、１２２、１２４のうちの１つ又は複数によって収集された占有情報を補足するのに用いこともできる。ロボット２００上のセンサは、例えば、米国特許出願公開第２０１２／００６６１６８号（この開示内容は、引用することによって本明細書の一部をなすものとする）に開示されているような占有感知システムを支援して、環境状態の検出及び占有データの収集に用いることができる。
【０１１８】
幾つかの実施形態又は本明細書に開示される発明によれば、移動ロボット２００は、電子デバイスがオンになっているか否かを判断し、オンになっている場合、その電子デバイスを自動的にオフにする。幾つかの実施形態又は本明細書に開示される発明では、ロボット２００は、（例えば、カメラ２７０Ｂ又は放射センサ２７０Ａ、２７０Ｄを用いて）ＴＶ３６がオンであることを検出し、（例えば、ＩＲ変調器２６０を用いて）ＴＶ３６をオフにすることによって又はハブ１１０に通知することによってこれに応答する。ハブは、（例えば、コントローラ１２６を用いて）ＴＶ３６をオフにする。
【０１１９】
幾つかの実施形態又は本明細書に開示される発明によれば、システム１００は、ロボットセンサ２７０Ａ〜２７０Ｊによって収集された環境情報をエネルギー管理の実行、プランニング、及び／又は報告に用いる。システム１００は、ロボット２００からのセンサデータを用いて、自動制御応答が必要とされていると判断して、この応答を開始することができる。したがって、システム１００は、ロボット２００からのセンサデータを用いて、人の占有挙動を監視し、エネルギー効率を改善するための提案を行う。
【０１２０】
例えば、システム１００は、カメラ２７０Ｂによって取得されたデータから、光を遮断するために窓シェード３０Ａが閉じられるべきであると判断することができ、シェード３０Ａを閉じるようにコントローラ１２６を作動させることができる。更なる例として、ロボット２００は、ライト３４が、点灯しているべきでない時又は点灯しているべきでない状況下で点灯していることを検出することができ、システム１００は、ライト３４を消灯するようにコントローラ１２６を作動させることによってこれに応答することができる。幾つかの構成では、システム１００は、動作（例えば、シェードを閉じるか又はライトを消灯する）を自動的に実行するのではなく、この動作が必要とされ得ることを（例えば、端末１４２又は端末１４４を介して）ユーザに通知することができる。この場合、システム１００は、ユーザが、（例えば、端末１４２、１４４を介して）この所望の動作を実行するようにシステム１００に命令することを可能にするように構成することができる。この動作がユーザによって直接実行されようと、システム１００を介して間接的に実行されようと、どのように実行されるのかにかかわらず、ロボット２００は、センサ２７０Ａ〜２７０Ｊを用いて、所望の動作が完了したこと（例えば、ライトの消灯、シェードの引き出し、ドアの閉鎖、暴風窓の降下等）を確認する（例えば、オンボードカメラを用いた視覚確認）。
【０１２１】
幾つかの実施形態又は本明細書に開示される発明によれば、システム１００は、環境センサ（ロボットセンサを含む）からのデータを評価し、このデータに基づいて、使用報告、エネルギー管理プラン、提案、又は推奨を生成し、この報告、プラン、提案、又は推奨を（例えば、端末１４２、リモート端末１４４、ハブ１１０、ロボット２００等において）ユーザに報告するように構成されている。
【０１２２】
幾つかの実施形態又は本明細書に開示される発明では、システム１００は、デバイス使用データを収集し、デバイス使用パターンを求め、エネルギー管理機器の動作又は展開のための推奨プランを生成し、この推奨又はプランをユーザに報告する。例えば、システム１００は、電球のステータス（点灯又は消灯）を監視し、ユーザが、ライトのうちの幾つかを自動的に点灯及び消灯するようにシステム１００をプログラムするか又は或るホームオートメーション機器（例えば、ライトコントローラ又はＩＰアドレス指定電球（例えば、Greenwave Reality社から入手可能なＩＰｖ６アドレス指定ＬＥＤ電球））を購入して設置することをユーザに推奨することができる。システム１００は、ネットワーク接続されたエネルギー管理機器の展開戦略を計画することができる。システム１００は、ユーザの挙動パターンを報告し、種々の自動化された要素をネットワークに追加するための優先順位を提案することができる。
【０１２３】
システム１００は、システムへの追加を推奨された機器を記載しているウェブページ及び／又はそのような機器を購入するためのウェブページへのインターネットＵＲＬリンクをユーザに提供することができる。
【０１２４】
ロボット２００は、オンボードセンサ（例えば、ＩＲ検出器２７０Ａ又はフォトダイオード）を用いて、ランプ（例えば、白熱電球）が焼き切れたか、又はその寿命の終わりに近く、まもなく焼き切れるかを判断することができ、そうである場合、システム１００は、そのことを報告するメッセージをユーザに送信することができる。このメッセージは、交換ランプを購入することができるウェブページへのインターネットリンクを含むことができる。例えば、１つの実施形態又は本明細書に開示される発明では、ロボット２００は、光の周波数成分を感知するためのフォトダイオードを備える。
【０１２５】
移動ロボット２００は、固定センサ１２０、１２２、１２４、コントローラ１２６、及びハブ１１０のうちの１つ又は複数のバッテリ１２０Ａを、充電器２２６を用いて（幾つかの実施形態又は本明細書に開示される発明では、無線で（誘導的に））充電するのに用いることができる。これらの構成要素１２０、１２２、１２４、１２６、１１０のうちの１つ又は複数は、ロボット２００のバッテリ２２４を（例えば、無線で）充電するように構成することができ、また充電するのに用いることができ、及び／又はロボット２００は、ドック１４０によって充電することができる。
【０１２６】
実施形態、又は本明細書において開示される発明では、移動ロボット２００は、人の占有行動を監視し、ユーザの好みに依拠することができる、いつ及びどれほどの期間動作するか等の動作に関する判断を自律的に下す。移動ロボット２００は、生活空間２００のレイアウトと、生活空間２０の各部屋又はゾーン（Ａ〜Ｃ）のカバレッジを完了するのにかかる時間量とを学習し、その記憶された情報を用いて、１つ又は複数の部屋のフルカバレッジミッション又はミニミッションを計画することができる。これらのミッションのカバレッジ時間は、単体で又は組み合わせで、スケジュールされた走行時間内に収まる。実施形態又は本明細書において開示される発明では、移動ロボット２００は、占有スケジュールにアクセスし、発進時間を求めることができる。実施形態又は本明細書において開示される発明では、占有スケジュールは、移動ロボット２００上のＨＭＩ２２８を通して移動ロボット２００に直接入力することもできるし、ＬＡＮ１６０を通して無線でアクセスすることもできる。実施形態又は本明細書において開示される発明では、占有スケジュールは、予め備わっているカレンダとの統合（例えば、標準フォーマットにおけるユーザ／占有者Ｐの独自のタスク一覧及び予定表）を通して、無線で移動ロボット２００のメモリ２２２にダウンロードすることができる。したがって、実施形態又は本明細書において開示される発明では、移動ロボット２２２は、占有者が到着する前に終了する完全ミッション又はミニミッションを計画する。したがって、実施形態又は本明細書において開示される発明では、移動ロボット２２は、占有者が離れているときに、又はスケジュールにおいて占有者が戻るとされているときまでに、オーブンを予熱するか、又は生活空間全体にわたって等しく加熱又は冷却するようにサーモスタットを上げる若しくは下げる時間を計画する。
【０１２７】
１つの実施形態、又は本明細書において開示される発明では、移動ロボット２００は、生活空間２０（本明細書において「家庭」としても示される）内の複数のアクセス可能な２次元ロケーションを通って生活空間２０を動き回る。移動ロボット２００は、家庭２０内のオブジェクトからのセンサ読み取り値を観測する少なくとも１つの位置特定センサを備える位置特定回路を備える。この位置特定回路によって、観測されたオブジェクトを基準にして移動ロボット２００の現在の姿勢が求められる。プロセッサ２２１は、複数のルーチンを実行する。複数のルーチンは、従動輪２３２にロボット２００を家庭２０で動き回らせるように命じるナビゲーションルーチンと、観測結果を位置特定回路から蓄積し、移動ロボット２００のあり得るロケーションを示す２次元配列を記録する平面マッピングルーチンと、時間計測された読み取り値を位置特定回路から蓄積し、移動ロボット２００が２次元配列内のあり得るロケーションの連続的な集合に対応する家庭２０の平面エリアを実質的にカバーするための、少なくとも１つの推定完了期間を求めるミッション時間推測ルーチンと、目標完了時間を少なくとも１つの推定完了期間と比較し、少なくとも１つの推定完了時間が経過するのに十分なだけ目標完了時間よりも前に平面エリアのカバーを開始するように従動輪２３２に命じ、それにより平面エリアが目標完了時間よりも前に実質的にカバーされるようにするミッション先行計画ルーチンとを含む。
【０１２８】
実施形態、又は本明細書において開示される発明では、ミッション先行計画ルーチンは、家庭２０の占有スケジュールを知ることに基づいて、目標完了時間を識別することと、ロボット２００を発進させることとを更に含む。実施形態又は本明細書において開示される発明では、移動ロボット２００は、１つ又は複数の期間にわたって占有スケジュールを監視及び学習し、学習した占有スケジュールに基づいて目標完了時間を設定する。幾つかの実施形態では、移動ロボットは、或る期間にわたって占有スケジュールを学習し、１つ又は複数の占有パターンを識別し、この１つ又は複数の学習された占有パターンに基づいて目標完了時間を設定する。
【０１２９】
幾つかの実施形態では、及び第１の態様又は本明細書において開示される発明によれば、「カバレッジ」ミッション（掃き取り、電気掃除、モップがけ、流体拡散、及び／又はこれらのうちの任意の組み合わせ）のための移動ロボット２００は、１つ又は複数の適切な技法、幾つかの実施形態、又は本明細書において開示される発明では、「同時位置特定マッピング」（ＳＬＡＭ）技法を用いて、例えば電気掃除されている平面のマップを生成する。様々な技法、及び生成することができる様々なマップがある。マップは、トポロジカルマップ、デカルトマップ、極座標マップ、抽象マップ、確率的マップ、若しくはそれ以外のものとすることができ、及び／又は壁、障害物、空き面積、基準点、地勢、「占有」、若しくは他のマップ特徴を追従することができる。幾つかの技法では、それぞれが或る程度の確度の高い正確性を有する数多くのマップが記録されている。
【０１３０】
幾つかの実施形態、又は本明細書において開示される発明では、ロボットセンサ２７０Ａ〜２７０Ｊからの環境センサデータはハブ１１０に送信され、次に、ハブは、ロボットセンサ情報、又はロボットセンサ情報から導出された情報を計算のためにリモート管理サーバ１５０に転送する。次に、リモート管理サーバ１５０は、計算に基づいて報告又は推奨を（例えば、端末１４２、１４４、３００において）ユーザに送信する。
【０１３１】
幾つかの実施形態又は本明細書に開示される発明では、種々のタイプ又はモードの処理が、システムの種々の構成要素において実行される。例えば、１）ロボット２００は、ＴＶ３６がオンになっていることを検出し、このＴＶがオフにされるべきであると判断することができる一方、２）ハブ１１０は、固定センサ１２０、１２２、１２４及びロボットセンサからのセンサデータを評価及び処理して、ゾーンが占有されているか否かを判断することができる一方、３）リモート管理サーバ１５０は、使用パターンデータを評価してエネルギー管理戦略を生成するのに用いられる。本明細書に開示される発明の実施形態又は本明細書に開示される発明によれば、処理応答義務及び報告義務を上記で説明したものと異なって分散させる他のシステムアーキテクチャを用いることができることが理解されるであろう。
【０１３２】
幾つかの実施形態又は本明細書に開示される発明によれば、システム１００は、固定センサ１２０、１２２、１２４によって収集されたデータに応答して又は（例えば、リモート端末１４４を介した）ユーザからの命令に応答して環境データを収集するように移動ロボット２００を展開する。例えば、システム１００がセキュリティモードにあり、ハブ１１０又はリモート管理サーバ１５０が、占有者の存在又はドア若しくは窓の開放を示すデータを固定センサ１２０、１２２、１２４から受信したとき、システム１００は、移動ロボット２００を起動して、選択された単数若しくは複数のゾーン又は空間２０全般をパトロール又は調査させることによって応答することができる。ロボット２００は、カメラ２７０Ｂからの画像（例えば、スチール写真又はライブビデオフィード）又は他の環境センサデータを送信して、システム１００又はユーザが侵入又は占有の本質を確認又はより良好に判断することを可能にすることができる。
【０１３３】
次に、家庭用電化製品の接続性に移る。図５〜図１３によれば、本発明の幾つかの実施形態、又は本明細書において開示される発明は、ネットワーク接続されたハブ１１０又は無線アクセスポイント１６４を介してエンドユーザ端末１４２、１４４、３００と通信する移動ロボット２００を備える。
【０１３４】
幾つかの実施形態では、第１の態様又は本明細書に開示される発明によれば、「カバレッジ」ミッション（掃き取り、真空掃除、モップがけ、流体拡散、及び／又はこれらの任意の組み合わせ）用の家庭用移動ロボット２００は、単数又は複数の適した技法、幾つかの実施形態又は本明細書に開示される発明では、「同時ローカライゼーションマッピング」（ＳＬＡＭ）技法を用いて、例えば電気掃除されている表面のマップを生成する。様々な技法、及び生成することができる様々なマップがある。マップは、トポロジカルマップ、デカルト（Cartesian）マップ、極座標（polar）マップ、抽象マップ、確率的マップ、又はそれ以外のものとすることができ、及び／又は壁、障害物、オープンスペース、基準点（fiducials）、地勢、「占有」、若しくは他のマップ特徴を追従することができる。幾つかの技法では、それぞれが或る程度の確度の高い正確性を有する多くのマップが記録されている。しかしながら、共通したものとして、以下のものがある。
【０１３５】
１）ロボット２００が位置特定することができると予想する表面エリアは、時間とともに増大する（すなわち、「マップ」は、ロボット２００が進むにつれて大きくなる）。
【０１３６】
２）ロボット２００によって記録された「マップ」と実際の家庭用間取り図（例えば、図４、図２１、図２６、及び図２７のゾーンＡ、ゾーンＢ、及びゾーンＣ）との関係を生成又はモデル化することができ、グラフィカルに表すことができ、或る時点で、ナビゲート可能なエリア（又はそのサブセット）のマップは、実質的に完成する。
【０１３７】
３）カバレッジロボット２００の場合、ロボット２００が既に進んだエリアは、同時にカバー（通例、清掃又は電気掃除）されており、このカバーされたエリアは、完全なマップ内の不規則なエリアとしてグラフィカルに表すことができる。
【０１３８】
４）カバーされたエリアと完全なマップとの比率又は他の比較は、パーセンテージ又は部分的な完全性の他の表現として算出することができる。
【０１３９】
５）ハブ若しくはゲートウェイデバイス（例えば、ハブ１１０）若しくはロボットドック（ドック１４０）等の特定の物理的アイテム、又は無線ネットワーク接続されたオートメーションデバイス１２６、１２８、１２９は、完全なマップをホストするロボット２００又は別のデバイスが完全なマップ内におけるそのようなアイテムのローカライゼーションを受信すると、完全なマップ内に位置付けることができ、完全なマップ内に表すことができる。
【０１４０】
６）完全なマップの有効な再分割部分を解析又はユーザ入力に基づいて割り当てることができる。例えば、完全なマップの左端の３分の１は台所エリアに対応するものとして指定することができ、中央セクションは居間として指定することができる等である。これらの部屋識別情報は、部分エリア又は再分割部分、或る再分割部分から別の再分割部分への遷移ライン、完全なマップ内の位置特定されたマーカ等として記憶することができる。
【０１４１】
第１の態様では、自律移動ロボット２００には、このロボットがこのマップ内をカバーする（例えば、清掃する）のと同時に漸次改良型マップを構築するのに十分なＳＬＡＭ能力と、マップデータ（例えば、マップデータの全体セット、マップデータの単純化した表現、又はマップデータの抽象化したもの）を送信するのに十分な接続性とを提供することができる。例えば、これは、マイクロプロセッサと、範囲を収集及び／又は算出し、環境的特徴物（天然のランドマーク、配置されたランドマーク、及び／又は壁及び障害物を含む）からのデータを運ぶセンサのセットと、少なくとも１つの漸次改良型マップを含むマップデータベースと、漸次改良型マップ内のカバーされたエリアを表すデータを含むカバレッジデータベースと、無線送信機又は無線送受信機とを備えることができる。
【０１４２】
そのデータ又は当該データを表現したもの及び／又は抽象化したものを公衆インターネットに到達させるために、マイクロプロセッサ及び／又は無線送信機若しくは無線送受信機（それら自体に内蔵されたマイクロプロセッサを有するものを含む）は、ＩＰ（インターネットプロトコル）を用いて通信し、公衆インターネット１７０用の従来のアドレス指定及びパケット化をサポートする。
【０１４３】
マップデータベース又はカバレッジデータベースの任意の部分をロボット２００以外のロケーション、例えば、家庭内のローカルハブ１１０若しくはゲートウェイ、インターネット上のハブ、ゲートウェイ、サーバ等、又はインターネット上で利用可能なそれらの仮想化されたインスタンスに送信し、そのロケーションに記憶することができる。
【０１４４】
第１の態様又は本明細書に開示される発明による幾つかの実施形態では、図５及び図６に示すように、移動端末又は移動デバイス３００（例えば、移動電話、スマートフォン、又はタブレットを含むが、これらに限定されるものではない）によって実行されるアプリケーションは、漸次改良型マップと、この漸次改良型マップ内のカバーされたエリアとを受信し、これらの２つを比較し、完了率３０５（例えば、移動ロボット２００によってカバー又は完了したパーセント）等のこの比較を表したものを表示する。アプリケーションは、エンドユーザ（例えば、移動デバイス３００のユーザ）がカバーされたエリア及び／又は漸次改良型マップ３１５自体を検査することを選ぶためにアクティブ化するユーザインタフェース要素３１０をインスタンス化して維持する。移動デバイス３００は、例えば、タッチスクリーンＨＭＩを備えるローカルユーザ端末１４２とすることができる。
【０１４５】
エンドユーザが、ユーザインタフェース要素（例えば、移動デバイス３００のタッチスクリーン上のアプリケーションアイコン）をアクティブ化すると、アプリケーションは、漸次改良型マップのグラフィカル表現を実行し、このグラフィカル表現が表示される。このグラフィカル表現内には、カバーされたエリアの第２のグラフィカル表現が表示される。第１のグラフィカル表現は、第２のグラフィカル表現の範囲を制限するエンベロープに置き換えることができることに留意すべきである。オプションとして、物理デバイス又はロケーション（ロボットドックのロケーション又はインターネットゲートウェイのロケーション等）を、ロボット２００が位置特定することができ、アプリケーションが、漸次改良型マップの第１のグラフィカル表現に対する位置に表示することができる。
【０１４６】
代替的な例における図７によれば、ユーザインタフェース要素がアクティブ化されると、アプリケーションは、完全なマップ又は漸次改良型マップ３１５の再分割部分の完了率３２５ａ、３２５ｂ、３２５ｃと連動した漸次改良型マップ内の部屋識別情報マーカ３２０ａ、３２０ｂ、３２０ｃのグラフィカル表現を実行する。すなわち、各再分割部分は、それ自体の完了率３２５ａ、３２５ｂ、３２５ｃを有することができ、これらの完了率は、例えば、カバーされたエリアを各再分割部分と比較することによって導出することができる。オプションとして、物理デバイス又はロケーション（ロボットドック１４０のロケーション、又はインターネットゲートウェイ若しくはハブ１１０のロケーション等）を、ロボット２００が位置特定することができ、アプリケーションが、それらの再分割部分に対応する位置に表示することができる。
【０１４７】
第２の態様による図８及び図９によれば、自律移動ロボット２００には、上記に示した要素が設けられ、また、インタラクト調節可能パラメータ３３０ａ〜３３０ｄもその清掃戦略内に設けられる。
【０１４８】
例えば、移動清掃ロボット２００は、理論的には、まだカバーされていない漸次改良型マップ３１５内のエリアのみをカバーする戦略に従うことによって、実質的な単一パスカバレッジを実行する（すなわち、表面エリアの各部分を１回のみ清掃する）ことができる。完全な単一パスカバレッジは、未知のマップに関して困難である。実質的な単一パスカバレッジは、例えば、漸次改良型マップ内において到達する必要があるエリアが、既にカバーされたパッチによって分離されていた場合である。
【０１４９】
これは、単一パスカバレッジが部屋を完了する最も高速な方法であることから理想的であるように見える。しかしながら、清掃、拡散、モップがけ、電気掃除のエフェクタの有効性に応じて、２パスカバレッジ又はマルチパスカバレッジが、最良の清掃方法である場合がある。多くの頑固な微粒子を十分に清掃するには、複数パスカバレッジが必要である。
【０１５０】
その上、エンドユーザは、スポット清掃（すなわち、エンドユーザが塵埃パッチを自身で目に見て識別することができる場所の清掃、又は塵埃が存在することが分かっている場所の清掃）を特に好み、また、エッジ及びコーナの清掃をも特に好んでいる。好みは別にして、これは、全体的な有効性も高めることができる。なぜならば、既知の塵埃エリアの清掃を繰り返すことによって、清浄度の平均レベルを改善することができ、コーナ及びエッジは、いずれの住宅でも、通常の往来で塵埃を自然に蓄積するからである。
【０１５１】
しかしながら、これらの目標（単一パス又は「クイック」清掃、マルチパス又は「ディープ」清掃、スポット清掃、並びにエッジ及びコーナの清掃）は、或る程度、相互に相容れない。移動清掃ロボット２００は、塵埃スポットに繰り返し対処する場合、実質的な単一パス清掃を達成することができず（なぜならば、塵埃スポットを横断しているからである）、部屋全体を完了するのにより多くの時間を要する（清掃力又は清掃速度の変化がない）。ロボット２００は、障害物及び壁の外周部に１回ではなく２回追従する場合、同様に、単一パスよりも長い時間を要する。
【０１５２】
そのようなものとして、これらの目標は互いに相関している。ロボット２００は、最優先の目標として、可能な最良の単一パスカバレッジを実行するように命じられた場合、スポットカバレッジを行うことも、エッジを２回以上対処することも決してせず、最初のパスが完了してからのみ、複数パス（２つ又は３つ以上）の実行を開始することができる。
【０１５３】
清掃戦略内の調節可能パラメータは、時間バランス（例えば、単一パスモードに８０パーセントの時間を費やし、２０パーセントの機会にのみスポットカバーモードに入る）、感度（例えば、閾値と交差したときにのみスポットカバーモードに入り、その閾値イベント時にのみ他のモードを中断する）、パワー出力（より高速の撹拌又はより高い真空空気流）、及び／又は前進速度（床を横切る進行速度）を含むことができる。
【０１５４】
１つの実施態様では、１つ又は複数のパラメータを、１つ又は２つ以上の他のパラメータが増加するにつれて下げるように制御することによって、これらの目標の中の注目度（attention）をバランスさせることができる。
【０１５５】
例えば、単一パス又はクイック清掃の目標指向度を表すスライダ制御、例えば０ポイント〜１００ポイントの指向度がユーザインタフェースに設けられる場合、リンクされたスライダの同時の及びオプションとしての反対方向への移動は、マルチパス又はディープ清掃の指向度を表すことができる。クイック清掃スライダ３３０ａが、図８に示すように、１００ポイント又は１００パーセントの注目度に移動された場合、ロボット２００の清掃戦略は、清掃されたエリアへの再訪問を可能な限り少なくするように試みることができる（連動するマルチパススライダ３３０ｂは、自動的に連動して、０ポイント又は非常に少ないポイントに減少する）。この例におけるスライダ制御は、ロボット２００の清掃戦略に利用可能なパラメータを反映することに留意されたい。
【０１５６】
スライダ３３０ａが５０−５０の位置に移動された（マルチパススライダも連動してその位置に移動する）場合、ロボット２００の清掃戦略は、不確かなエリア、エッジ、コーナ、又はマップフロンティアをより優先するように試みることもできるし、（例えば、異なる方向の）最も近いエリアを再びカバーすることに集中することもできる。
【０１５７】
潜在的にリンクされたスライダの別のペアは、スポット清掃３３０ｄ並びにエッジ及びコーナの清掃３３０ｃとすることができる。上述したように、２つの相反する目標を相互作用させる種々の方法がある。この場合、１つの方法は、ロボット２００が、（光学感知若しくはピエゾ感知を用いた塵埃／スポットの機会又は近接感知を用いたエッジの機会のいずれかを感知すると）スポット清掃及び／又はエッジ清掃を日和見的に行うことを可能にすることであるが、双方の機会が同時に検出された場合、より高い設定がより多く勝利することを可能にすることである。これは、例えば、７０パーセント対３０パーセントの「勝利」パーセンテージの清掃戦略のシフトを示すことができる。スライダ又は連動するパラメータは、注目度又は指向度の範囲に沿って相互作用原理を変更するように設定することができることに留意すべきである。例えば、より偏った又はバランスしていない設定、例えば、９０パーセント対１０パーセントでは、ロボット２００は、例えば、スポット清掃する機会を無視してエッジを清掃する機会をより多く追求することを開始することができる。
【０１５８】
３つ以上のスライダ又は調節可能パラメータをリンクさせることができる。例えば、クイック清掃、ディープ清掃、スポット清掃、及びエッジ清掃のスライダ３３０ａ〜３３０ｄの全てがリンクされている場合、それらのうちの任意の１つを移動させることによって、それ以外のものをより弱い強調又はより強い強調に（例えば、スライダ及び注目度パラメータの対応する方向に）移動させることができる。特定の例として、スポット清掃注目度パラメータが増加された場合、塵埃検出に対するロボット２００の反応閾値（又は応答の頻度、若しくは増加した指向度に変換される他のパラメータ）を下げることができる。そのような場合、ロボット２００は、（クイック清掃スライダ３３０ａ及び対応するパラメータを下げて）既にカバーされたエリアを繰り返しカバーし、（そのスライダ３３０ｃ及び対応するパラメータを下げて）エッジ及びコーナにおいて費やす時間を少なくし、（複数のパススライダ３３０ｂ及び対応するパラメータを増加させて）より多くのエリアを再びカバーすると予想することができる。
【０１５９】
第２の態様は、対話型パラメータの現在の状態をロボット２００から受信し、相対的な状態を表すユーザインタフェース制御（スライダ制御３３０ａ〜３３０ｄ等）をインスタンス化し、それらの制御を用いてパラメータの相対的な状態の表現を表示する移動デバイス（移動電話、スマートフォン、又はタブレットを含むが、これらに限定されるものではない）によって実行されるアプリケーションを含むことができる。このアプリケーションは、エンドユーザ（例えば、移動デバイス３００のユーザ）がパラメータ、又はパラメータ等に対するパーセンテージ強調を変更するためにアクティブ化するユーザインタフェース要素又は制御を監視する。
【０１６０】
エンドユーザが、ユーザインタフェース要素をアクティブ化すると、移動デバイス３００上の上記アプリケーションは、漸次変化型パラメータのグラフィカル表現を実行し、１つのパラメータの変化を表すのと同時に、１つ又は複数の他の制御を変更して、連動したパラメータが、アクティブ制御におけるユーザ制御された活動と同時に変化することを表示する。
【０１６１】
次に図１０〜図１２を参照する。第３の態様又は本発明による別の実施形態では、自律移動ロボット２００には、スケジュールどおりに清掃を自ら開始するか又はリモートに開始を命じられるのに十分なタイマ及びスケジューリング能力と、スケジュールを通信するとともにコマンドを受信するのに十分な接続性とが設けられる。加えて、ロボット２００は、占有センサを備えるか又は占有センサに接続されているローカルアクセスポイント又はハブ１１０への接続性を備えることができる。そのようなアクセスポイント１１０の１つの例は、ＮＥＳＴ（商標）サーモスタットである。このサーモスタットは、家庭の温度を制御することに加えて、ＩＥＥＥ８０２．１１プロトコル及びＩＥＥＥ８０２．１４プロトコル並びにハードウェアを介して、公衆インターネット１７０及びモノのローカルインターネットの物品に接続され、メッセージをアドレス指定し、リモートクライアント及びローカル物品と交換することができる。加えて、ＮＥＳＴサーモスタットは、占有センサ（例えば、通り過ぎる人体の熱及び移動を検出することができるパッシブ赤外線モニタ、周囲の雑音を検出することができるマイクロフォン、及び／又は通行人が覆い隠したときの光の変動を検出することができる周囲光センサ）を備える。
【０１６２】
第３の態様又は本明細書に開示される発明による幾つかの実施形態では、ロボット２００及びハブ１１０（家庭用イーサネット（登録商標）又は８０２．１１ネットワークとロボット２００との間のブリッジとして動作するアクセスポイント）のシステムは、例えば、マイクロプロセッサと、環境の電磁感知、音響感知、又は他の感知から人占有データを収集するセンサのセット及び／又は人占有データと、家庭内の往来及び／又は存在のマップの少なくとも１つの次第に正確になるプロファイルを含む占有データベースと、この占有データベースと適合した目的のミッションを表すデータを含むスケジューリングデータベースと、無線送信機又は無線送受信機とを備えることができる。
【０１６３】
データ収集及び通信メッセージのフローの一例では、ハブ１１０は、ロボット２００の清掃スケジュールを占有者のいない家庭の時間（複数の場合もある）と整合させることを目標として、１週間以上にわたって、ローカルな家庭を調査し、往来パターンを識別することができる。このデータは解析され（例えば、異常値が除去される等）、占有データベースに記憶される。
【０１６４】
占有データベースは、ハブ１１０が保持することもできるし、移動ロボット２００に通信することもできる。一般に、移動ロボット２００自体にあるデータセット等の小さなデータセットを維持することが有利である。なぜならば、住宅内の無線通信は、中断される場合もあるし、雑音が多い場合もあるし、大きな家庭全体を通じて強度が変動する場合もあるからである。
【０１６５】
本明細書において論述したデータベースの任意の部分を、ロボット２００以外のロケーション（例えば、家庭内のローカルハブ１１０若しくはゲートウェイ、インターネット１７０上のハブ、ゲートウェイ、サーバ等、又はインターネット１７０上で利用可能なそれらの仮想化インスタンス）に送信してそのロケーションに記憶することができる。スケジューリングプロセスは、ロボット２００がフル充電及び／又は空の（清掃ビン）状態でスケジュールどおりに起動することができるように、充電及び／又は排出ドック１４０とインタラクティブに動作することが最も有利である。
【０１６６】
別の実施形態又は本明細書に開示される発明では、占有機会を与えられたエンドユーザが、ロボットの活動を以下のような種々の方法でスケジューリングすることができる。
【０１６７】
（１）利用可能な最良の時間に自動的に家庭の清掃を行うことを有利にスケジューリングするようにシステム（ハブ１１０、ロボット２００、又はいずれか一方）に要求する。
【０１６８】
（２）与えられた占有期間内の時間、及び／又は自動スケジューラからの最優先の提案を選択する。
【０１６９】
（３）住宅が占有されているときであっても、他のニーズのために、スケジューリング要素を追加する。
【０１７０】
（４）特定の日における特定の注目度の部屋又はエリアを指定するように、部屋ごとのカバレッジを調節する。
【０１７１】
この実施形態又は本明細書に開示される発明は、移動デバイスアプリケーションにおいて対話型ユーザインタフェース要素を用いることができる。
【０１７２】
図１０及び図１１に示すように、エンドユーザが、移動デバイス３００上のユーザインタフェース要素をアクティブ化すると、アプリケーションは、占有データベース４００のグラフィカル表現を実行し、このグラフィカル表現を表示する。このグラフィカル表現４００内の変更箇所では、占有データベース内においてユーザが選択した時間４０５ａ〜４０５ｅの第２のグラフィカル表現が連続的に表示又はオーバレイされている。
【０１７３】
図１２の実施形態又は本明細書に開示される発明に示すように、エンドユーザは、スケジュールに承諾している（又はロボット２００が他の判定基準に従って自ら起動している）ときであっても、ロボット２００、ハブ１１０、又はそれらの２つの組み合わせが清掃ミッションを起動しようとしている時に通知を受けたい場合がある。この要求通知４１０は、リモート移動デバイス３００等のリモートユーザ端末１４４上でユーザに提示することができる。幾つかの場合には、（例えば、ユーザが実際には在宅しているが、単に安静にし過ぎているため、占有感知が動作しない場合）エンドユーザは、起動をキャンセルしたい場合がある。
【０１７４】
図１３及び図１４に示す他の実施形態又は本明細書に開示される発明では、ユーザは、清掃ロボット２００によって収集された物質の量及び／又は最大の物質の量が収集されたロケーション等の、ユーザが関心を持ち得る算出情報を提供するアプリケーションを、移動デバイス３００上のユーザインタフェース要素を介して起動することができる。例えば、ビンごみくずセンサを用いて、ロボット収集ビンに入る物質の量を追跡することができる。既知のビンの容積を用いると、ロボット２００は、ごみくずセンサを通過した物質の
量及び／又は頻度に基づいて、収集ビンの占有容量又は残量を推測することができる。加えて、マッピング能力を有するロボット２００の実施形態又は本発明では、ロボット２００は、間取り図内の様々な線引きされたエリア又は区画におけるごみくず収集速度及び／又は収集されたごみくずの量を追跡し、収集された最大量のごみくずを含む部屋を識別することができる。
【０１７５】
図２０のフローチャートを参照すると、図２０には、リモート清掃ロボットのユーザコマンドを受信し、このユーザコマンドを上記リモート清掃ロボット（駆動モータ及び清掃モータを備えるリモート清掃ロボット）に送信する、本発明の幾つかの実施形態又は本明細書に開示される発明によるコンピュータ実施される方法が表されている。この方法は、制御エリアと、この制御エリア内に、複数の制御要素を含むユーザ操作可能な起動制御グループと、主要清掃戦略制御状態及び代替清掃戦略制御状態を有する少なくとも１つのユーザ操作可能な清掃戦略制御要素と、複数の制御要素を含む物理リコール制御グループとを備えるユーザインタフェースを表示すること（ブロック３０）を含む。起動制御グループは延期起動制御状態及び即時起動制御状態を有し、物理リコール制御グループは即時リコール制御状態及びリモート可聴ロケータ制御状態を有する。次に、ユーザ入力が、上記ユーザ操作可能な制御要素を介して受信される（ブロック３２）。このユーザ入力に応答して、制御状態の一意の組み合わせを反映するリアルタイムのロボット状態が同じ制御エリア内に同時に表示される（ブロック３４）。同時に又はその後、リモート清掃ロボットは、上記受信された入力及び上記制御状態の一意の組み合わせに基づいて、駆動モータ及び清掃モータを作動させて表面を清掃するように命じられる（ブロック３６）。
【０１７６】
図１５〜図１８に関する更なる実施形態又は本明細書に開示される発明によれば、以下に説明するような追加の機能を提供するアプリケーションが、移動デバイス３００（例えば、タッチスクリーンＨＭＩを有するローカルユーザ端末１４２とすることができる）上に設けられる。図１５は、このアプリケーションによって提供される、ロボット２００の制御及び監視を可能にする例示のホームスクリーン５００を示している。ホームスクリーン５００は、制御エリア５０１（デバイス３００のタッチスクリーンディスプレイのアクティブ入力エリア）と、この制御エリア内に、清掃イニシエータボタン５１２、スケジューリングボタン５１４、清掃戦略トグルボタン５１６（作動されると、「クイック（ＱＵＩＣＫ）」ステータスインジケータと「標準（ＳＴＡＮＤＡＲＤ）」（図示せず）ステータスインジケータとの間を交互にトグルする）、ドックリコールボタン５２０、ロボットロケータボタン５２２、及び駆動ボタン５２４の形態のユーザ操作可能な制御要素又はインタフェース要素とを含む。ホームスクリーン５００は、ロボット識別情報５２６（例えば、ユーザによってロボット２００に割り当てられた名称（「Ｂｒｕｃｅ」））と、ロボット２００のステータス及び／又は他のデータを示す１つ又は複数の動作メッセージ５２８とを更に表示することができる。
【０１７７】
清掃イニシエータボタン５１２がアクティブ化されると、デバイス３００は、規定された清掃プロトコルを開始するようにロボット２００に（無線信号を介して）に命じる。
【０１７８】
清掃戦略ボタン５１６は、複数の異なる利用可能な清掃モード、設定、又はプロトコルから選択を行うのに用いることができる。これらの清掃モード、設定、又はプロトコルの例は、以下で詳細に論述される。特に、清掃戦略ボタンは、主要清掃戦略制御状態（すなわち、「標準清掃」又は「ディープ清掃」）及び代替清掃戦略制御状態（すなわち、「クイック清掃」）を有する。
【０１７９】
スケジューリングボタン５１４は、アクティブ化されると、図１６に示すようなスケジューリングスクリーン５０２を開始する。ユーザは、図１６の制御要素５０２Ａ〜５０２Ｆを用いて、ロボット２００による単一の清掃動作／セッション又は定期的な（例えば、週に一度の）清掃動作／セッションをスケジューリングすることができる。以下で説明するような清掃モード（例えば、「標準」又は「クイック」）は、制御要素５０２Ｂを用いて、スケジューリングされた清掃セッションごとに選択することができる。構成された清掃動作又はセッションを開始及び実行する延期されたコマンドは、「セーブ」ボタン５０２Ｆを作動させることによって開始することができる。
【０１８０】
清掃イニシエータボタン５１２、スケジューリングボタン５１４、及びスケジューリング制御要素５０２Ａ〜５０２Ｆは、集合的にユーザ操作起動制御グループを形成する。この起動制御グループは、即時起動状態（すなわち、清掃イニシエータボタン５１２が作動されたとき）と、延期起動制御状態（すなわち、「セーブ」ボタン５０２Ｆが選択されたとき）とを有する。
【０１８１】
ドックリコールボタン５２０及びロボットロケータボタン５２２は、集合的に物理リコール制御グループを形成する。この物理リコールグループは、（ドックリコールボタン５２０を作動させることによる）即時リコール制御状態と、（ロボットロケータボタン５２２を作動させることによる）リモート可聴ロケータ制御状態とを有する。ドックリコールボタン５２０がアクティブ化されると、デバイス３００は、ドック１４０に帰還するようにロボット２００に命じる。
【０１８２】
ロボットロケータボタン５２２がアクティブ化されると、デバイス３００は、ロボット２００に可聴信号（例えば、音響変換器又はスピーカ２７４Ｂからのブザー音。図３）を放出するように命じる。ユーザは、この可聴信号を用いて、ロボット２００の位置を特定することができる。
【０１８３】
使用時、デバイス３００上のアプリケーションは、上記で説明したユーザ操作可能制御要素を介してユーザ入力を受信する。これらのユーザ入力に応答して、アプリケーションは、デバイス３００の制御エリア５０１内に、制御状態の一意の組み合わせを反映するリアルタイムのロボット状態を同時に表示する。アプリケーションは、受信された入力及び制御状態の一意の組み合わせに基づいてロボット２００の駆動システム２３０（原動駆動モータを備える）及びサービスオペレーション清掃システム２４２（エンドエフェクタ２４２Ｄのための清掃モータ又はアクチェータを備える）を作動させて表面を清掃するようにロボット２００に更に命じる。
【０１８４】
駆動ボタン５２４は、作動されると、ユーザがロボット２００の生活空間を巡る移動をリモート制御するのに用いることができるユーザ操作可能制御要素（例えば、仮想ジョイスティック又は制御パッド）を含むロボット原動制御スクリーン（図示せず）を開始する。
【０１８５】
幾つかの場合には、ロボット２００を清掃セッション中に動けなくするか又は固定することができる。幾つかの実施形態又は本明細書に開示される発明によれば、ロボット２００は、その不動状態を認識することができるようにされ、デバイス３００上のアプリケーションを介して（例えば、ＳＭＳ又は電子メールを用いて）ユーザにアラート信号を送信する。アプリケーションは、図１７に示すようなアラートスクリーン５０４をデバイス３００上に表示する。加えて又は代替的に、アラートスクリーン５０４は、ロボット２００が動けなくなったとき、又はそれ以外に、命じられた動作を実行することができないときに、ユーザが清掃イニシエータボタン５１２又はドックリコールボタン５２０を作動させることに応答して生成することができる。アラートスクリーン５０４は、その後の修復動作を実行する、ユーザによって操作可能な１つ又は複数の制御要素を含む。幾つかの実施形態又は本明細書に開示される発明では、「ブザー音」ボタン５０４Ａ等のビーコン制御要素を作動させて、音響変換器２７４Ｂから可聴信号を放出するようにロボット２００に命じることができる。幾つかの実施形態又は本明細書に開示される発明では、逃避手順制御要素５０４Ｂを作動させて、解放又は固定解除を試みる１つ又は複数の規定された手順を実行するようにロボット２００に命じることができる。
【０１８６】
上記で論述したように、アプリケーションは、ユーザが２つ以上の清掃戦略又はモード間で（例えば、トグルボタン５１６を用いて）選択を行うことを可能にすることができる。幾つかの実施形態又は本明細書に開示される発明によれば、ユーザは、１）第１の清掃戦略制御状態又は主要清掃戦略制御状態の制御要素５１６を用いた低累積エネルギー清掃戦略（本明細書では「クイック清掃」とも呼ばれる）、又は第２の清掃戦略制御状態又は代替清掃戦略制御状態の制御要素５１６を用いた高累積エネルギー清掃戦略（本明細書では「標準」又は「ディープ清掃」とも呼ばれる）のいずれかを実行するように（トグルボタン５１６を用いて）リモートロボット２００に命令することができる。「清掃エネルギー」は、本明細書で用いられるように、様々な方法で展開することができる。例えば、ロボットは、より長く進むか又はパスを繰り返すこともできるし、モータのパワーを増加させることもできるし、それ以外に「より多く」の清掃（標準）又は「より少ない」清掃（クイック）を行うこともできる。通常、クイック清掃オプションは、（例えば、以下で説明するように）作業の累積が少ない。例えば、幾つかの実施形態又は本発明では、ロボット２００は、クイック清掃戦略又は制御状態では、カバーされたエリアの各部分を実質的に単一パスでしか通過せず、ディープ清掃戦略又は制御状態では、カバーされたエリアの各部分を実質的に２回のパス（例えば、十文字のパス）で通過する。
【０１８７】
幾つかの実施形態又は本明細書に開示される発明によれば、低累積エネルギー清掃戦略（「クイック清掃」）は、以下のもののうちの１つ又は複数を含む。
【０１８８】
ａ．ロボット２００は、決定性の、体系的な、又は計画された、単一パスカバレッジ、通行パターン又は経路を進む。幾つかの実施形態又は本明細書に開示される発明では、通行パターンは、犂耕体経路に従う。
【０１８９】
ｂ．ロボット２００は、表面にわたって（ディープ清掃制御状態と比較して）より高速の前進速度で進む。
【０１９０】
ｃ．ロボット２００は、オープンエリアにその清掃を集中させる。
【０１９１】
ｄ．ロボット２００の清掃カバレッジは、ドック１４０から最も遠い距離をカバーするように構成される。
【０１９２】
ｅ．ロボット２００は、より高い真空パワーと組み合わせて、表面にわたり（ディープ清掃制御状態と比較して）より高速の前進速度で進む。
【０１９３】
ｆ．ロボット２００は、発見プロセスを用いないが、その代わり、記憶されたマップを用いてナビゲートする。
【０１９４】
ｇ．ロボット２００は、主として一方向にのみ列に沿って進む（すなわち、パターンは、列の交差がほとんど又は全くない平行な列である）。
【０１９５】
ｈ．ロボット２００は、清掃中の表面から取り除かれた塵埃の密度を検出しない。
【０１９６】
ｉ．ロボット２００は、清掃中の表面から取り除かれた塵埃の密度を（例えば、塵埃センサ２４２Ｃを用いて）検出し、これを考慮してその経路、速度、又はパワーを制御するが、その清掃動作に対するそのような修正をトリガするのに必要とされる塵埃検出閾値は、（ディープ清掃制御状態と比較して）より高い閾値に設定される。
【０１９７】
ｊ．ロボット２００は、清掃セッション中に（すなわち、清掃セッションの終わりを除く）そのオンボードダストビン２４２Ｂを空にしない。
【０１９８】
ｋ．ロボット２００は、多くの時間を要する散乱物（例えば、テーブル、椅子）の周囲の清掃に費やす時間を（ディープ清掃制御状態と比較して）少なくする。
【０１９９】
ｌ．ロボット２００は、往来の多いエリアを最初に清掃する。
【０２００】
ｍ．ロボット２００は、訪問者からは目に触れない、あらゆる物の下（例えば、ベッド、椅子、及びソファの下）の清掃を回避する。
【０２０１】
ｕ．ロボット２００は、指定されたエリアにその清掃を集中させる。
【０２０２】
幾つかの実施形態又は本明細書に開示される発明によれば、高累積エネルギー清掃戦略（「標準清掃」又は「ディープ清掃」）は、以下のもののうちの１つ又は複数を含む。
【０２０３】
ａ．ロボット２００は、決定性の、体系的な、又は計画された、複数（２つ以上）パスカバレッジ、通行パターン又は経路を進む。幾つかの実施形態又は本発明では、進むパターンは、十文字経路に従う。
【０２０４】
ｂ．ロボット２００は、表面にわたって（クイック清掃制御状態と比較して）より低速の前進速度で進む。
【０２０５】
ｃ．ロボット２００は、少なくとも部分的に、生活空間のエッジ及びコーナにその清掃を集中させる。
【０２０６】
ｄ．ロボット２００の清掃カバレッジは、ドック１４０の周囲の全外周円内のエリアをカバーするように構成される。
【０２０７】
ｅ．ロボット２００の清掃カバレッジは、ドック１４０の周囲の全外周円内のエリアを２回カバーするように構成される
【０２０８】
ｆ．ロボット２００は、開始したエリアと同じエリアにその清掃を集中させる。
【０２０９】
ｇ．ロボット２００は、より高い真空パワーと組み合わせて、表面にわたり（クイック清掃制御状態と比較して）より低速の前進速度で進む。
【０２１０】
ｈ．ロボット２００は、（クイック清掃制御状態と比較して）より多くの発見を用いる（例えば、ロボット２００は、エッジ及びコーナをより多く探索する）。
【０２１１】
ｉ．ロボット２００は、交差する方向に列に沿って進む（例えば、十文字パターン）。
【０２１２】
ｊ．ロボット２００は、清掃中の表面から取り除かれた塵埃の密度を（例えば、塵埃センサ２４２Ｃを用いて）検出し、これを考慮してその経路、速度、又はパワーを制御する。
【０２１３】
ｋ．ロボット２００は、清掃中の表面から取り除かれた塵埃の密度を検出し、これを考慮してその経路、速度、又はパワーを制御し、その清掃動作に対するそのような修正をトリガするのに必要とされる塵埃検出閾値は、（クイック清掃制御状態と比較して）より低い閾値に設定される。
【０２１４】
ｌ．ロボット２００は、真空パワーを増加させるために、清掃セッション中にそのオンボードダストビン２４２Ａを空にする。
【０２１５】
ｍ．ロボット２００は、体系的（１つ又は複数のパス）清掃パターン及びランダムエッジ拡散パターンを含む２つ以上の段階の清掃パターンを実行する。
【０２１６】
ｎ．ロボット２００は、体系的パターン及びランダムパターンを交互に行うことを含む多段階清掃パターンを実行する。
【０２１７】
ｏ．ロボット２００は、清掃中の表面から取り除かれた塵埃の密度を検出し、より多くの塵埃が検出された場合には、更に清掃する。
【０２１８】
ｐ．ロボット２００は、廊下を２回以上清掃する。
【０２１９】
ｑ．ロボット２００は、洗浄動作を用いて清掃する。
【０２２０】
ｒ．ロボット２００は、そのバッテリが消耗する（床に留置される）まで又はバッテリレベルが非常に低くなるまで清掃する（ロボット２００は、その後、バッテリ充電が大幅に使い尽くされた状態でドックに帰還する）。この場合、ロボット２００は、バッテリ充電レベルが十分に低くなるまで、命じられた清掃パターンを実行し、その後、最終清掃（end cleaning）モードになることができる。この最終清掃モードは、例えば、外周部清掃、ランダムパターン清掃、又は規定された若しくは検出された高塵埃エリアに集中した清掃を含むことができる。
【０２２１】
ｓ．ロボット２００は、多くの時間を要する散乱物（例えば、テーブル、椅子）の周囲の清掃に費やす時間を（クイック清掃制御状態と比較して）多くする。
【０２２２】
ｔ．ロボット２００は、往来の多いエリアに（クイック清掃制御状態と比較して）より多くの時間を費やす。
【０２２３】
ｕ．ロボット２００は、指定されたエリアにその清掃を集中させる。
【０２２４】
ｖ．ロボット２００は、ラグマットに対して（クイック清掃制御状態と比較して）より多くの時間を費やす。
【０２２５】
ｗ．ロボット２００は、ラグマットの外周部及びエッジに対して（クイック清掃制御状態と比較して）より多くの時間を費やす。
【０２２６】
ｘ．ロボット２００は、完全を期すために家具の下（例えば、ベッド、椅子、及びソファの下）の清掃を試みる。
【０２２７】
ｙ．ロボット２００は、（例えば、塵埃センサ２４２Ｃを用いて）清掃中の表面から取り除かれた塵埃の性質又は属性を検出し、これを考慮してその経路、速度、又はパワーを制御する。例えば、ロボット２００は、羽毛状又は綿状の塵埃の検出に応答してディープ清掃を弱くし、微粒子又は砂の塵埃の検出に応答してディープ清掃を強くする。
【０２２８】
幾つかの実施形態又は本明細書に開示される発明によれば、ロボット２００は、所与の清掃セッションにおいて、カバレッジエリアの幾つかのエリアでは、低累積エネルギー清掃戦略（「クイック清掃」）を実行し、カバレッジエリアの他のエリアでは、高累積エネルギー清掃戦略（「ディープ清掃」）を実行する。幾つかの実施形態又は本明細書に開示される発明によれば、このマルチモード清掃戦略は、以下のものの１つ又は複数の組み合わせ及び並べ替えを含む。
【０２２９】
ａ．ロボット２００は、選択された又は規定された重点判定基準に基づいて、各エリア又は各領域の清掃戦略を設定する。これらの重点判定基準は、エリア内でロボット２００によって収集された塵埃の密度又は性質を含むことができる。
【０２３０】
ｂ．ユーザは、デバイス３００上のアプリケーションを用いて、選択された又は規定された重点判定基準に基づいて清掃戦略を設定する。
【０２３１】
ｃ．ユーザは、デバイス３００上のアプリケーションを用いて、清掃されるエリアの選択された部分領域又はサブセクション（例えば、ゾーンＡ、ゾーンＢ、及びゾーンＣ等の種々のゾーン）の清掃戦略を設定する。図１８を参照すると、アプリケーションは、清掃されるエリアのグラフィカル表現又はマップ５０６Ａと、清掃戦略制御要素（清掃モードボタン５０６Ｂ、５０６Ｃ）とを含むインタフェーススクリーン５０６を提供することができる。次に、ユーザは、清掃モードボタン５０６Ｂ、５０６Ｃを用いて、所望の清掃戦略を選択することができ、次に、この方法で（例えば、選択されたエリアの周囲のトレース、指定された領域５０６Ｄ〜５０６Ｆの内部のタッチ、又はリスト等からの指定された領域の選択によって）清掃される領域を選択する。マップ５０６Ａ及び指定された領域５０６Ｄ〜５０６Ｆは、上記で論述したマップデータから生成することができ、ロボット２００は、このマップ及びこのマップに対するローカライゼーションを参照して清掃動作を行うことができる。
【０２３２】
ｄ．ロボット２００は、検出した床タイプに基づいて清掃レベル（例えば、堅い表面のクイック清掃及びカーペットのディープ清掃）を設定することができる。
【０２３３】
ｅ．ロボット２００は、ラグマットを識別し、それらのラグマットに対してよりディープな清掃戦略（例えば、より多くの時間）を実行することができる。
【０２３４】
ｆ．ロボット２００は、衝突又は他の近接イベントを、検出された塵埃摂取イベントに関連付け、これに応答して、よりディープな清掃を実行することができる。組み合わされたこれらの状態は、エッジの存在を示す。
【０２３５】
幾つかの実施形態又は本明細書に開示される発明では、ロボット２００には、クイック清掃動作モードとディープ／標準清掃動作モードとの間でロボット２００を切り替えるのに用いることができる、ユーザが作動可能なオンボード清掃モード選択スイッチ２７４Ｃ（例えば、ボタン）が設けられる。ロボット２００は、その清掃モードステータス（すなわち、クイック清掃又はディープ清掃）を示す１つ又は複数のライト２７４Ａ又は他のインジケータを備えることができる。ロボット２００は、（音響変換器２７４Ｂを用いて）その清掃モードステータスを示す単数又は複数の可聴信号（例えば、クイック清掃モード用の短時間のブザー音及びディープ清掃モード用の長いブザー音）を放出することができる。
【０２３６】
幾つかの実施形態又は本明細書に開示される発明によれば、ロボット２００又はデバイス３００上のアプリケーションは、ロボット２００がその清掃動作を完了し、ユーザにその完了を報告するのに必要とされる残り時間を推定するように構成される。幾つかの実施形態又は本明細書に開示される発明では、ロボット２００又はアプリケーションは、代替形態において、各清掃モードに必要とされる時間を推定し、この推定された時間を報告することができる。
【０２３７】
幾つかの実施形態又は本明細書において開示される発明では、ユーザは、（例えば、デバイス３００上のアプリケーションを用いて）利用可能な時間及び清掃されるエリアを設定することができ、ロボット３００又はアプリケーションは、これらの判定基準に基づいて、適切な清掃モード又は好ましい清掃モード（複数の場合もある）（クイックモード、ディープモード、又はマルチモード）を決定することができる。幾つかの実施形態、又は本明細書において開示される発明では、ロボット３００又はアプリケーションは、ユーザのオリジナルの入力設定を最適化し、ユーザは、その後、この推奨を採用するのか又はオリジナルの設定を続けるのかを決定することができる。幾つかの実施形態、又は本明細書において開示される本発明では、この推奨された新たな設定が、上記で論述したようなユーザインタフェース上の制御要素を再構成することによって示されるか、又は占有スケジュールを収集し処理する移動ロボット２００によって新たな設定が学習される。
【０２３８】
上記で論述した決定のうちの幾つかは、塵埃の蓄積又は表面からの抽出を監視するセンサから得られたデータを利用することができる。そのようなセンサの例は、ロボット２００と統合された圧電塵埃検出器又は光学塵埃検出器２４２Ｃ等の瞬時センサを含むことができる。また、上記で論述したように、幾つかの決定は、ビンレベルセンサ２４２Ｂによって検出されるようなダストビン２４２Ａの検出された満杯レベルを利用することができる。
【０２３９】
システムは、ロボット２００によって感知された状態及び／又はアプリケーションによって収集又は導出されたデータに基づいて、動作メッセージ（例えば、図１５及び図１７におけるメッセージ５２８及び５０６Ｃ）をユーザに提供するように更に構成することができる。これらの動作メッセージは、ロボットステータスメッセージ及び／又は照会メッセージを含むことができる。例えば、システムは、「ディープ清掃をすぐに行うべきです。クイックは、塵埃の量が平均よりも多いことを示しています。ディープ清掃をスケジューリングしたいでしょうか？  いつ行いますか？  通常、火曜日の１１時には在宅ではありません。明日の１１時はいかがでしょうか？」をデバイス３００上に表示することができる。
【０２４０】
幾つかの実施形態又は本明細書に開示される発明では、デバイス３００上のアプリケーションは、ユーザが、ロボット２００による対応する清掃のために、往来の多い指定エリアを入力することを可能にする。幾つかの実施形態又は本明細書に開示される発明では、ロボット２００は、往来の多いエリアをプログラムによって自動的に発見又は検出及び識別するように構成される。
【０２４１】
幾つかの実施形態又は本明細書に開示される発明では、デバイス３００上のアプリケーションは、ユーザが、或る点で好ましい（例えば、より良好、よりクイック、又はよりディープ）と考えるか又は判断した単数又は複数の清掃パターン（例えば、らせん状、前後、横、又はこすり洗浄）を選択することを可能にする。
【０２４２】
本明細書において開示されているようなリモートユーザ端末（例えば、端末１４２及び３００）は、無線インタフェースを介して通信するように構成された通信端末とすることができ、「無線通信端末」又は「無線端末」と呼ばれる場合がある。無線端末の例には、セルラ電話、携帯情報端末（ＰＤＡ）、ページャ、及び／又は無線通信インタフェースを介してデータを通信するように構成されたコンピュータが含まれるが、これらに限定されるものではない。上記無線通信インタフェースは、セルラ電話インタフェース、Ｂｌｕｅｔｏｏｔｈ（登録商標）インタフェース、無線ローカルエリアネットワークインタフェース（例えば、８０２．１１）、別のＲＦ通信インタフェース、及び／又は光／赤外線通信インタフェースを含むことができる。幾つかの実施形態又は本明細書に開示される発明では、リモートユーザ端末１４２、３００は、ポータブルの移動端末である。幾つかの実施形態又は本明細書に開示される発明では、リモートユーザ端末１４２、３００は、ハンドヘルド移動端末である。これは、移動端末の外のり寸法が、一般的なオペレータが片手を用いることによる使用に適合しかつ適していることを意味する。幾つかの実施形態又は本明細書に開示される発明によれば、ハンドヘルド移動端末の全体積は、約２００ｃｃ未満であり、幾つかの実施形態又は本明細書に開示される発明によれば、ハンドヘルド移動端末の全体積は、約１００ｃｃ未満である。
【０２４３】
図１９は、本明細書において論述したようなユーザ端末１４２又は３００として用いることができる例示のユーザ端末の概略説明図である。端末３００は、ヒューマンマシンインタフェース（ＨＭＩ）３７０と、通信モジュールと、プロセッサ３８０及びメモリ３８２を備える回路又はデータ処理システムとを備える。これらの回路及び／又はデータ処理システムは、デジタル信号プロセッサに組み込むことができる。プロセッサ３８０は、アドレス／データバス３８０Ａを介してＨＭＩ３７０及びメモリ３８２と通信する。プロセッサ３８０は、任意の市販のマイクロプロセッサ又はカスタムマイクロプロセッサとすることができる。メモリ３８２は、データ処理システムの機能を実施するのに用いられるソフトウェア及びデータを含むメモリデバイスの全体的な階層を表す。メモリ３８２は、次のタイプのデバイス、すなわち、キャッシュ、ＲＯＭ、ＰＲＯＭ、ＥＰＲＯＭ、ＥＥＰＲＯＭ、フラッシュメモリ、ＳＲＡＭ、及びＤＲＡＭを含むことができるが、これらに限定されるものではない。
【０２４４】
メモリ３８２は、データ処理システム、すなわちオペレーティングシステム３８４と、アプリケーション（ロボット制御監視アプリケーション３８６を含む）と、入力／出力（Ｉ／Ｏ）デバイスドライバとにおいて用いられるソフトウェア及びデータの幾つかのカテゴリを含むことができる。アプリケーション３８６は、マッピングデータ３８６Ａ（例えば、カバレッジマップに対応し、及び／又は生活空間内の物体若しくは境界の位置を表す）と、構成データ３８６Ｂ（例えば、端末３００及びロボット２００におけるアプリケーション３８６の設定及び構成に対応する）と、ユーザインタフェース（ＵＩ）モジュール３８６Ｃと、ロボット制御モジュール３８６Ｄとを含む。ＵＩモジュール３８６Ｃは、制御要素及び他の表示される構成要素をディスプレイ３７４上に生成するためのロジックと、ＨＭＩ３７０（例えば、タッチスクリーン３７２）を介してユーザから入力を受信するためのロジックとを備える。ロボット制御モジュール３８６Ｄは、ユーザ命令を処理するためのロジックと、コマンドをロボット２００に発行するためのロジックと、無線通信モジュール３７６を介してロボットからメッセージを受信するためのロジックとを備える。
【０２４５】
ディスプレイ３７４は、任意の適したディスプレイスクリーンアセンブリとすることができる。例えば、ディスプレイスクリーン３７４は、補助照明（例えば、照明パネル）を有するか又は有しないアクティブマトリックス有機発光ダイオードディスプレイ（ＡＭＯＬＥＤ）又は液晶ディスプレイ（ＬＣＤ）とすることができる。
【０２４６】
ＨＭＩ３７０は、タッチスクリーン３７２に加えて又はその代わりに、例えば、タッチ起動式デバイス若しくはタッチ感知式デバイス、ジョイスティック、キーボード／キーパッド、ダイアル、単数若しくは複数の方向キー、及び／又はポインティングデバイス（マウス、トラックボール、タッチパッド等）を含む他の任意の適した入力デバイス（複数の場合もある）を備えることができる。
【０２４７】
無線通信モジュール３７６は、本明細書において論述したような１つ又は複数の無線インタフェースを介してデータをロボット送信機２５２、ハブ無線通信モジュール１１２、又は他の所望の端末に通信するように構成することができる。通信モジュール３２は、ダイレクトポイントツーポイント接続モジュール、ＷＬＡＮモジュール、及び／又はセルラ通信モジュールを含むことができる。ダイレクトポイントツーポイント接続モジュールは、ダイレクトＲＦ通信モジュール又はダイレクトＩＲ通信モジュールを含むことができる。ＷＬＡＮモジュールを用いると、無線端末３００は、適した通信プロトコルを用いてＷＬＡＮ（例えば、ルータ）を通じて通信することができる。
【０２４８】
幾つかの実施形態又は本明細書に開示される発明では、無線端末３００は、無線電話通信システムの一部を成す移動無線電話である。
【０２４９】
当業者によって理解されるように、本技術の教示から依然として利益を享受しつつ他の構成も利用することができる。例えば、上記モジュールのうちの１つ又は複数は、オペレーティングシステム、Ｉ／Ｏデバイスドライバ、又はデータ処理システムの他のそのような論理的区分内に組み込むことができる。したがって、本技術は、図１９の構成に限定されるものとみなされるべきではない。本技術は、本明細書において説明する動作を実行することが可能な任意の構成を包含するように意図されている。
【０２５０】
当業者によって理解されるように、本開示の態様は、任意の新規で有用なプロセス、機械、製造工程、若しくは物質の組成、又は任意の新規で有用なその改善を含む、幾つかの特許性のある種類又は状況のうちの任意のものにおいて、本明細書において図示及び説明することができる。したがって、本開示の態様は、完全にハードウェアで、完全にソフトウェアで（ファームウェア、常駐ソフトウェア、マイクロコード等を含む）、又はソフトウェア及びハードウェアの実施態様を組み合わせて実現することができ、それらは全て、本明細書において概して「回路」、「モジュール」、「構成要素」又は「システム」と呼ぶことができる。さらに、本開示の態様は、その上に具現されたコンピュータ可読プログラムコードを有する１つ又は複数のコンピュータ可読媒体で具現されるコンピュータプログラム製品の形をとることもできる。
【０２５１】
１つ又は複数の非一時的なコンピュータ可読媒体の任意の組み合わせを利用することができる。非一時的なコンピュータ可読媒体は、一時的な伝播信号を除く全てのコンピュータ可読媒体を含む。コンピュータ可読媒体は、例えば、電子的、磁気的、光学的、電磁的、若しくは半導体のシステム、機器、デバイス、又は上記の任意の適切な組み合わせとすることができるが、これらに限定されない。コンピュータ可読記憶媒体の更に具体的な例（包括的でないリスト）は、以下のもの、すなわち、ポータブルコンピュータディスケット、ハードディスク、ランダムアクセスメモリ（ＲＡＭ）、リードオンリーメモリ（ＲＯＭ）、消去及びプログラム可能リードオンリーメモリ（ＥＰＲＯＭ又はフラッシュメモリ）、中継器を備える適切な光ファイバ、ポータブルコンパクトディスクリードオンリーメモリ（ＣＤ−ＲＯＭ）、光ストレージデバイス、磁気ストレージデバイス、又は上記の任意の適切な組み合わせを含む。本明細書の文脈において、コンピュータ可読記憶媒体は、命令実行システム、装置若しくはデバイスによって使用するためのプログラム、又は命令実行システム、装置若しくはデバイスに関連するプログラムを含むか又は記憶することができる任意の有形媒体とすることができる。
【０２５２】
本開示内容の態様の動作を実行するためのコンピュータプログラムコードは、１つ又は複数のプログラム言語の任意の組み合わせで記述することができる。このプログラム言語には、Ｊａｖａ（登録商標）、Ｓｃａｌａ、Ｓｍａｌｌｔａｌｋ、Ｅｉｆｆｅｌ、ＪＡＤＥ、Ｅｍｅｒａｌｄ、Ｃ＋＋、Ｃ＃、ＶＢ．ＮＥＴ、Ｐｙｔｈｏｎ等のオブジェクト指向型プログラム言語、「Ｃ」プログラム言語、Ｖｉｓｕａｌ  Ｂａｓｉｃ、Ｆｏｒｔｒａｎ２００３、Ｐｅｒｌ、ＣＯＢＯＬ２００２、ＰＨＰ、ＡＢＡＰ等の従来の手続型プログラム言語、Ｐｙｔｈｏｎ、Ｒｕｂｙ、及びＧｒｏｏｖｙ等のダイナミックプログラム言語、又は他のプログラム言語が含まれる。プログラムコードを、ユーザコンピュータ上で全体的に、ユーザコンピュータ上で部分的に、スタンドアロンソフトウェアパッケージとして、ユーザコンピュータ上で部分的にかつリモートコンピュータ上で部分的に、又は、リモートコンピュータ若しくはサーバ上で全体的に実行することができる。後者のシナリオでは、リモートコンピュータを、ローカルエリアネットワーク（ＬＡＮ）又はワイドエリアネットワーク（ＷＡＮ）を含む任意のタイプのネットワークを通してユーザコンピュータに接続することもできるし、接続は、（例えば、インターネットサービスプロバイダを使用するインターネットを通して）外部コンピュータに対して行うこともできるし、クラウドコンピューティング環境上で行うこともできるし、ソフトウェアアズアサービス（ＳａａＳ）等のサービスとして提供することもできる。
【０２５３】
本開示の態様は、本開示の実施形態又は本明細書に開示される発明による方法、装置（システム）及びコンピュータプログラム製品の流れ図及び／又はブロック図を参照しながら本明細書において記述される。流れ図及び／又はブロック図の各ブロック、及び流れ図及び／又はブロック図内のブロックの組み合わせをコンピュータプログラム命令によって実施できることは理解されよう。コンピュータのプロセッサ又は他のプログラム可能命令実行装置を介して実行される命令が、流れ図及び／又はブロック図の１つ又は複数のブロックにおいて指定される機能／動作を実施するための機構を作り出すように、これらのコンピュータプログラム命令を汎用コンピュータ、専用コンピュータ又は他のプログラム可能データ処理装置のプロセッサに与え、１つの機械を生み出すことができる。
【０２５４】
実行されると、コンピュータ、他のプログラム可能データ処理装置、又は他のデバイスが特定の態様で機能するように指示することができるこれらのコンピュータプログラム命令は、コンピュータ可読媒体に記憶することもできる。それによって、実行されると、コンピュータに流れ図及び／又はブロック図の１つ又は複数のブロックにおいて指定された機能／動作を実施させる命令を含む命令が、コンピュータ可読媒体に記憶されるときに１つの製品を生み出す。また、一連の動作ステップがコンピュータ、他のプログラム可能装置又は他のデバイス上で実行されるように、コンピュータプログラム命令をコンピュータ、他のプログラム可能命令実行装置又は他のデバイス上にロードして、コンピュータ又は他のプログラム可能装置上で実行される命令が、流れ図及び／又はブロック図の１つ又は複数のブロックにおいて指定された機能／動作を実施するためのプロセスを提供するようなコンピュータ実施されるプロセスを生み出すこともできる。
【０２５５】
図面のフローチャート及びブロック図は、本開示内容の様々な態様によるシステム、方法及びコンピュータプログラム製品の考えられる実施態様のアーキテクチャ、機能、及び動作を示す。この点に関して、フローチャート又はブロック図の各ブロックは、特定の論理機能（複数の場合もある）を実装する１つ又は複数の実行可能命令を含む、モジュール、セグメント、又はコードの一部分を示す場合がある。いくつかの代替の実装態様では、ブロックで述べる機能は、図で述べる順序から外れて起こる場合があることも留意されるべきである。例えば、連続して示す２つのブロックを、実際には実質的に同時に実行することもできるし、ブロックを、時として、関わる機能に応じて逆順で実行することもできる。ブロック図及び／又はフローチャート説明図の各ブロック、並びにブロック図及び／又はフローチャート説明図におけるブロックの組み合わせは、指定された機能若しくは動作を実行する専用のハードウェアベースのシステム、又は専用のハードウェア及びコンピュータ命令の組み合わせによって実施することができることにも留意されたい。
【０２５６】
上記は本発明の例示であり、限定として解釈されるべきではない。本発明のいくつかの例示的な実施形態について説明したが、本発明の新規の教示及び利点から著しく逸脱せずに、多くの変更が例示的な実施形態において可能なことを当業者であれば容易に理解するであろう。したがって、全てのそのような変更は、特許請求の範囲において定義される本発明の範囲内に含まれることが意図される。したがって、上記が本発明の例示であり、開示された、又は本明細書に開示される発明における特定の実施形態に限定されるものとして解釈されるべきではなく、開示された実施形態への変更並びに他の実施形態が、本明細書に開示される発明の範囲内に含まれることが意図されることを理解されたい。 
【図１】
2020124508.tif 000003
【図２】
2020124508.tif 000004
【図３】
2020124508.tif 000005
【図４】
2020124508.tif 000006
【図５】
2020124508.tif 000007
【図６】
2020124508.tif 000008
【図７】
2020124508.tif 000009
【図８】
2020124508.tif 000010
【図９】
2020124508.tif 000011
【図１０】
2020124508.tif 000012
【図１１】
2020124508.tif 000013
【図１２】
2020124508.tif 000014
【図１３】
2020124508.tif 000015
【図１４】
2020124508.tif 000016
【図１５】
2020124508.tif 000017
【図１６】
2020124508.tif 000018
【図１７】
2020124508.tif 000019
【図１８】
2020124508.tif 000020
【図１９】
2020124508.tif 000021
【図２０】
2020124508.tif 000022
【図２１】
2020124508.tif 000023
【図２２】
2020124508.tif 000024
【図２３】
2020124508.tif 000025
【図２４】
2020124508.tif 000026
【図２５】
2020124508.tif 000027
【図２６】
2020124508.tif 000028
【図２７】
2020124508.tif 000029
【手続補正書】
【提出日】令和2年3月6日(2020.3.6)
【手続補正１】
【補正対象書類名】特許請求の範囲
【補正対象項目名】全文
【補正方法】変更
【補正の内容】
【特許請求の範囲】
【請求項１】
清掃ロボットを動作させるコンピュータ実施される方法であって、前記方法は、
清掃されるエリアの漸次改良型マップを生成するステップと、
前記漸次改良型マップのグラフィカル表現又はその一部を前記清掃ロボットから離れているユーザ端末上のユーザインタフェースに送信するステップと、
前記清掃ロボットによって清掃される前記エリア中のドックのロケーションを位置特定するステップであって、前記漸次改良型マップの前記グラフィカル表現は前記漸次改良型マップの前記グラフィカル表現中の前記ドックの前記ロケーションの相対的な位置のグラフィカル表現を有し、前記漸次改良型マップのエリアは時間とともに変化する、位置特定するステップと
を含む、コンピュータ実施される方法。
【請求項２】
漸次改良型マップを生成するステップは、前記ロボットにより前記エリアを清掃する間に清掃される漸次改良型マップ内のエリアの漸次改良型マップを生成するステップを含む、請求項１に記載のコンピュータ実施される方法。
【請求項３】
前記ロボットによる前記エリアの清掃は、マルチパス清掃を含む、請求項２に記載のコンピュータ実施される方法。
【請求項４】
前記ロボットによる前記エリアの清掃は、単一パス清掃を含むクイック清掃戦略を含む、請求項２に記載のコンピュータ実施される方法。
【請求項５】
前記漸次改良型マップ内の前記エリアは時間とともに増大する、請求項２に記載のコンピュータ実施される方法。
【請求項６】
デバイスのロケーションを前記漸次改良型マップにタグ付けするステップをさらに含む、請求項２に記載のコンピュータ実施される方法。
【請求項７】
前記デバイスは送受信機を備え、前記デバイスのロケーションをタグ付けするステップは、前記送受信機のピーク信号強度の検出により前記送受信機をタグ付けし、前記送受信機のロケーションを識別するステップを含む、請求項６に記載のコンピュータ実施される方法。
【請求項８】
漸次改良型マップを生成するステップは、前記漸次改良型マップを前記漸次改良型マップ内のカバーされたエリアと比較するステップと、前記漸次改良型マップと前記カバーされたエリアの規格のグラフィカル表現を生成するステップとを含む、請求項２に記載のコンピュータ実施される方法。
【請求項９】
前記グラフィカル表現は前記漸次改良型マップの完了率を備える、請求項８に記載のコンピュータ実施される方法。
【請求項１０】
前記清掃ロボットは、１つ又は複数の移動デバイスのプレゼンスについてローカルネットワークを監視するように構成される、請求項１に記載のコンピュータ実施される方法。
【請求項１１】
前記清掃ロボットは、１つ又は複数の移動デバイスのプレゼンスに基づいて動作を実行するように構成される、請求項１０に記載のコンピュータ実施される方法。
【請求項１２】
前記漸次改良型マップに基づいてナビゲーションステップのシーケンスを用い、前記清掃ロボットを前記ドックへナビゲートするステップをさらに含む、請求項１に記載のコンピュータ実施される方法。
【請求項１３】
前記清掃ロボットを前記漸次改良型マップのエリアにナビゲートするように動作させるステップをさらに含む、請求項１に記載のコンピュータ実施される方法。
【請求項１４】
前記漸次改良型マップの前記エリアは、時間とともに増大する、請求項１に記載のコンピュータ実施される方法。
【手続補正３】
【補正対象書類名】明細書
【補正対象項目名】０２５６
【補正方法】変更
【補正の内容】
【０２５６】
上記は本発明の例示であり、限定として解釈されるべきではない。本発明のいくつかの例示的な実施形態について説明したが、本発明の新規の教示及び利点から著しく逸脱せずに、多くの変更が例示的な実施形態において可能なことを当業者であれば容易に理解するであろう。したがって、全てのそのような変更は、特許請求の範囲において定義される本発明の範囲内に含まれることが意図される。したがって、上記が本発明の例示であり、開示された、又は本明細書に開示される発明における特定の実施形態に限定されるものとして解釈されるべきではなく、開示された実施形態への変更並びに他の実施形態が、本明細書に開示される発明の範囲内に含まれることが意図されることを理解されたい。
なお、出願当初の特許請求の範囲の記載は以下の通りである。
請求項１：
移動ロボットであって、
メモリと、無線ネットワーク回路とに接続されるプロセッサであって、前記メモリに記憶されたルーチンと、該ルーチンによって生成され、前記無線ネットワーク回路を介して受信されるコマンドとを実行する、プロセッサと、
前記プロセッサによって、家庭内の複数のアクセス可能な２次元ロケーションに達するように命じることが可能な従動輪と、
前記プロセッサによって、前記家庭内で機械作業を行うように命じることが可能な少なくとも１つのモータ付きアクチュエータを含むエンドエフェクタであって、前記プロセッサは、
前記無線ネットワーク回路と通信することによって無線ローカルネットワークを監視し、該無線ローカルネットワーク上の１つ又は複数のネットワークエンティティのプレゼンス状態を検出する第１のルーチンと、
センサから信号を受信する第２のルーチンであって、該センサは、前記ネットワークエンティティのうちの１つの動作状態を検出し、該動作状態は、待機とアクティブとの間で変化可能である、第２のルーチンと、
前記第１のルーチン及び前記第２のルーチンによって検出された前記プレゼンス状態及び前記動作状態に基づいて、前記エンドエフェクタに機械作業の実行状態を変更するように命じる第３のルーチンと、
を含む、複数のルーチンを実行する、エンドエフェクタと、
を含む、移動ロボット。
請求項２：
前記第１のルーチンは、前記無線ローカルネットワーク上の移動デバイスの前記プレゼンス状態を検出し、前記第２のルーチンは、前記移動デバイス内の呼状態センサからの信号を受信し、該センサは、前記移動デバイスの前記呼状態を前記動作状態として検出し、前記呼状態は、呼準備態勢と、呼受信との間で変化可能である、請求項１に記載の移動ロボット。
請求項３：
前記エンドエフェクタは、前記移動ロボットの前記清掃ヘッドであり、前記第３のルーチンは、前記無線ローカルネットワーク上の前記移動デバイスの前記プレゼンスと、前記移動デバイスの前記動作状態としての前記呼状態とに基づいて、前記ロボットの前記清掃ヘッドに清掃状態を変更するように命じる、請求項２に記載の移動ロボット。
請求項４：
前記清掃状態の変更は、従動輪アクチュエータを含む、前記移動ロボットの雑音を発生させる全てアクチュエータに、呼の完了まで停止及び／又はアイドリングするように命じることを含む、請求項３に記載の移動ロボット。
請求項５：
前記清掃状態の変更は、前記移動デバイスの前記呼状態の、通話中から終呼への変化を受けて、アクチュエータに、前記移動ロボットの前記清掃ヘッドを再始動させるように命じることを含む、請求項３に記載の移動ロボット。
請求項６：
前記清掃状態の変更は、前記無線ローカルネットワーク上の前記移動デバイスの前記プレゼンスの、有りから無しへの変化を受けて、アクチュエータに、前記移動ロボットの前記清掃ヘッドを再始動させるように命じることを含む、請求項３に記載の移動ロボット。
請求項７：
前記移動ロボットプロセッサ及び無線ネットワーク回路は、前記移動デバイスの有りから無しへの変化に関して、前記家庭を出発したこととして、約５メートル〜約２０メートルの最大範囲を有するローカル無線ネットワークを監視し、前記移動デバイスが出発したと判断すると、前記家庭内の清掃ミッションを再始動させる前に或る期間待機し、前記移動デバイスが前記家庭を出発したことを検証する、請求項６に記載の移動ロボット。
請求項８：
前記移動ロボットプロセッサ及び無線ネットワーク回路は、ハンドヘルド及び可搬移動デバイスの一意の識別情報に関して、約５メートル〜約２０メートルの最大範囲を有するローカル無線ネットワークを監視し、前記ハンドヘルド及び可搬移動デバイスが前記家庭内に存在することを判断する、請求項１に記載の移動ロボット。
請求項９：
前記第１のルーチンは、前記無線ローカルネットワーク上の移動デバイスの前記プレゼンス状態を検出し、前記第２のルーチンは、前記移動ロボット内の清掃準備態勢センサから信号を受信し、該センサは、前記移動ロボットの前記清掃準備態勢を前記動作状態として検出し、前記清掃準備態勢状態は、清掃準備態勢と、清掃アクティブとの間で変化可能である、請求項１に記載の移動ロボット。
請求項１０：
前記第３のルーチンは、前記ロボットの前記清掃ヘッドに、前記無線ローカルネットワーク上の前記移動デバイスの前記プレゼンスと、前記移動ロボットの前記動作状態としての前記清掃準備態勢状態とに基づいて、清掃状態を変更するように命じる、請求項９に記載の移動ロボット。
請求項１１：
前記エンドエフェクタは、前記移動ロボットの前記清掃ヘッドであり、前記清掃準備態勢は静止状態であり、前記モータ付きアクチュエータは静止状態で静止している、請求項１０の移動ロボット。
請求項１２：
前記移動ロボットプロセッサ及び無線ネットワーク回路は、ハンドヘルド及び可搬移動デバイスの一意の識別情報に関して、約５メートル〜約２０メートルの最大範囲を有するローカル無線ネットワークを監視し、前記ハンドヘルド及び可搬移動デバイスが前記家庭内に存在することを判断する、請求項１に記載の移動ロボット。
請求項１３：
前記移動ロボットプロセッサ及び無線ネットワークアダプタは、ハンドヘルド及び可搬移動デバイスの一意のメディアアクセス制御アドレスに関して走査し、前記ハンドヘルド及び可搬移動デバイスが前記家庭内に存在することを判断する、請求項１２に記載の移動ロボット。
請求項１４：
前記移動ロボットプロセッサ及び無線ネットワーク回路は、プライベートインターネットプロトコルサブネット上のインターネットプロトコルアドレスに関して走査し、新たに走査されたインターネットプロトコルアドレスのメディアアクセス制御アドレスを、既知のハンドヘルド及び可搬移動デバイスに対応する少なくも１つの以前に記憶された一意のメディアアクセス制御アドレスと比較し、前記ハンドヘルド及び可搬移動デバイスが前記家庭に到着したことを判断する、請求項１２に記載の移動ロボット。
請求項１５：
前記移動ロボットプロセッサ及び無線ネットワーク回路は、ターゲットネットワークエンティティに関して、約５メートル〜約２０メートルの最大範囲を有するローカル無線ネットワークを監視し、新たなターゲットエンティティがプライベートインターネットプロトコルサブネット上に到着したことを判断すると、前記ターゲットネットワークエンティティをプライベートサブネットアドレス及び一意のメディアアクセス制御アドレスにおいてピングし、前記ネットワークエンティティが前記家庭に到着したことを検証する、請求項１に記載の移動ロボット。
請求項１６：
位置特定センサを備える位置特定回路を更に備え、ターゲットネットワークエンティティがプライベートプロトコルサブネット上に到着したことを判断すると、前記移動ロボットプロセッサは、前記清掃状態が変化したロケーションと、清掃ミッションが終了したロケーションとを記録する、請求項１の移動ロボット。
請求項１７：
前記移動ロボットは、前記清掃状態が変化した前記ロケーションに戻り、清掃ミッションの再始動を受けて、前記清掃ミッションを再開する、請求項１６に記載の移動ロボット。
請求項１８：
前記移動ロボットプロセッサ及び無線ネットワーク回路は、既知のネットワークエンティティの有りから無しへの変化に関して、前記家庭を出発したこととして、約５メートル〜約２０メートルの最大範囲を有するローカル無線ネットワークを監視し、前記ネットワークエンティティが出発したと判断すると、前記家庭内の清掃ミッションを開始する前に或る期間待機し、出発したことを検証する、請求項１に記載の移動ロボット。
請求項１９：
前記清掃準備態勢は、前記移動ロボットのバッテリ充電状態を含む、請求項９に記載の移動ロボット。
請求項２０：
移動ロボットであって、
メモリと、無線ネットワーク回路とに接続されるプロセッサであって、前記メモリに記憶されたルーチンと、該ルーチンによって生成され、前記無線ネットワーク回路を介して受信されるコマンドとを実行する、プロセッサと、
前記プロセッサによって、家庭内の複数のアクセス可能な２次元ロケーションに達するように命じることが可能な従動輪と、
前記プロセッサによって読み取り可能な環境センサであって、前記プロセッサは、
前記従動輪に前記ロボットを前記家庭で動き回らせるように命じる第１のルーチンと、
前記家庭内の複数の前記アクセス可能な２次元ロケーションにおいて環境センサ読み取り値を取得する、第２のルーチンと、
前記家庭全体にわたる前記センサ読み取り値に基づいて、専用環境センサを備えるネットワークエンティティに、前記専用環境センサの読み取り値単独で違ったふうに判断するのにも関らず、データを送信し、結果として、前記ネットワークエンティティ上のモータ付きアクチュエータが前記家庭内の機械作業を行うようにアクティブ化される第３のルーチンと、
を含む、複数のルーチンを実行する、環境センサと、
を含む、移動ロボット。
請求項２１：
前記家庭内の前記複数のアクセス可能な２次元ロケーションで取得された前記センサ読み取り値は環境センサ読み取り値であり、前記環境センサは空気品質センサであり、前記ネットワークエンティティは空気清浄機である、請求項２０に記載の移動ロボット。
請求項２２：
前記家庭内の前記複数のアクセス可能な２次元ロケーションで取得された前記センサ読み取り値は環境センサ読み取り値であり、前記環境センサは湿度センサであり、前記ネットワークエンティティは加湿器である、請求項２０に記載の移動ロボット。
請求項２３：
前記家庭内の前記複数の２次元ロケーションで取得された前記センサ読み取り値は、前記家庭内のセンサ読み取り値の２次元マップを埋め、該２次元マップは、前記移動ロボットと前記ネットワークを介して通信するヒューマンマシンインタフェースデバイスに表示される、請求項２０に記載の移動ロボット。
請求項２４：
前記家庭内の前記複数の２次元ロケーションで取得された前記センサ読み取り値は、前記家庭内のセンサ読み取り値の３次元マップを埋め、該２次元マップは、前記移動ロボットと前記ネットワークを介して通信するヒューマンマシンインタフェースデバイスに表示される、請求項２０に記載の移動ロボット。
請求項２５：
移動ロボットであって、
メモリと、無線ネットワーク回路とに接続されるプロセッサであって、前記メモリに記憶されたルーチンと、該ルーチンによって生成され、前記無線ネットワーク回路を介して受信されるコマンドとを実行する、プロセッサと、
前記プロセッサによって、家庭内の複数のアクセス可能な２次元ロケーションに達するように命じることが可能な従動輪と、
前記家庭内のオブジェクトからのセンサ読み取り値を観測する少なくとも１つの位置特定センサを備え、前記観測されたオブジェクトを基準にして前記移動ロボットの現在の姿勢を求める、位置特定回路であって、前記プロセッサは、
前記従動輪に前記ロボットを前記家庭で動き回らせるように命じるナビゲーションルーチンと、
前記位置特定回路からの観測結果を蓄積し、前記移動ロボットのあり得るロケーションを示す２次元配列を記録する平面マッピングルーチンと、
時間計測された読み取り値を前記位置特定回路から蓄積し、前記移動ロボットが前記２次元配列内のあり得るロケーションの連続的な集合に対応する平面エリアを実質的にカバーするための、少なくとも１つの推定完了期間を求める、ミッション時間推測ルーチンと、
目標完了時間を前記少なくとも１つの推定完了期間と比較し、前記少なくとも１つの推定完了時間が経過するのに十分なだけ前記目標完了時間よりも前に平面エリアのカバーを開始するように前記従動輪に命じ、それにより前記平面エリアが前記目標完了時間よりも前に実質的にカバーされるようにする、ミッション先行計画ルーチンと、
を含む、複数のルーチンを実行する、位置特定回路と、
を備える、移動ロボット。
請求項２６：
前記ミッション先行計画ルーチンは、前記家庭の占有スケジュールに基づいて、ターゲット完了時間を識別することと、前記ロボットを自律的に発進することとを更に含む、請求項２５に記載の移動ロボット。
請求項２７：
前記占有スケジュールは、ユーザインタフェースディスプレイにおいて前記移動ロボットに直接入力される、請求項２６に記載の移動ロボット。
請求項２８：
前記占有スケジュールは、前記移動ロボットと無線通信するリモートヒューマンマシンインタフェースから前記ロボットに無線で送信される、請求項２６に記載の移動ロボット。
請求項２９：
前記占有スケジュールは、予め備わっているカレンダとの統合を通して、前記移動ロボットに無線で送信される、請求項２６に記載の移動ロボット。
請求項３０：
前記移動ロボットは、１つ又は複数の期間にわたって前記家庭の占有スケジュールを監視及び学習し、前記学習した占有スケジュールに基づいて前記目標完了時間を設定する、請求項２５に記載の移動ロボット。
請求項３１：
前記移動ロボットは、ある期間にわたって前記家庭の占有スケジュールを監視及び学習し、１つ又は複数の占有パターンを識別し、該１つ又は複数の学習した占有パターンに基づいて前記目標完了時間を設定する、請求項２５に記載の移動ロボット。
請求項３２：
移動ロボットであって、
メモリと、無線ネットワーク回路とに接続されるプロセッサであって、前記メモリに記憶されたルーチンと、該ルーチンによって生成され、前記無線ネットワーク回路を介して受信されるコマンドとを実行するプロセッサと、
前記プロセッサによって、家庭内の複数のアクセス可能な２次元ロケーションに達するように命じることが可能な従動輪と、
前記プロセッサによって、環境品質の現在の読み取り値を取得するように読み取り可能な環境センサと、
前記家庭内のオブジェクトからのセンサ読み取り値を観測する少なくとも１つの位置特定センサを備え、前記観測されたオブジェクトを基準にして前記移動ロボットの現在の姿勢を求める、位置特定回路であって、前記プロセッサは、
前記従動輪に前記ロボットを前記家庭で動き回らせるように命じるナビゲーションルーチンと、
前記位置特定回路からの観測結果を蓄積し、前記移動ロボットのあり得るロケーションを示す２次元配列を記録する平面マッピングルーチンと、
前記家庭内の複数の前記アクセス可能な２次元ロケーションにおける前記環境センサからの読み取り値の取得及び蓄積を行い、前記読み取り値と、前記移動ロボットのあり得るロケーションを示す前記２次元配列とに基づいて、前記メモリに３次元配列を記憶させる環境マッピングルーチンと、
前記３次元配列を複数の住宅環境制御ノードのロケーションに相関させるロケーション応答環境制御ルーチンであって、各住宅環境制御ノードは、専用環境センサと、モータ付きアクチュエータを、前記家庭内で機械作業を行うように作動させる制御チャネルとを備え、該ロケーション応答環境制御ルーチンは、前記３次元配列に示される環境マッピングロケーションに対する少なくとも１つの制御ノードのプロキシミティに基づいて、データを送信し、それにより前記少なくとも１つの環境制御ノードが、モータ付きアクチュエータに前記家庭内で機械作業を行うように命じる、ロケーション応答環境制御ルーチンと、
を含む、複数のルーチンを実行する、位置特定回路と、
を備える、移動ロボット。
【外国語明細書】
2020124508.tif 000030
2020124508.tif 000031
2020124508.tif 000032
2020124508.tif 000033
2020124508.tif 000034
2020124508.tif 000035
2020124508.tif 000036
2020124508.tif 000037
2020124508.tif 000038
2020124508.tif 000039
2020124508.tif 000040
2020124508.tif 000041
2020124508.tif 000042
2020124508.tif 000043
2020124508.tif 000044
2020124508.tif 000045
2020124508.tif 000046
2020124508.tif 000047
2020124508.tif 000048
2020124508.tif 000049
2020124508.tif 000050
2020124508.tif 000051
2020124508.tif 000052
2020124508.tif 000053
2020124508.tif 000054
2020124508.tif 000055
2020124508.tif 000056
2020124508.tif 000057
2020124508.tif 000058
2020124508.tif 000059
2020124508.tif 000060
2020124508.tif 000061
2020124508.tif 000062
2020124508.tif 000063
2020124508.tif 000064
2020124508.tif 000065
2020124508.tif 000066
2020124508.tif 000067
2020124508.tif 000068
2020124508.tif 000069
2020124508.tif 000070
2020124508.tif 000071
2020124508.tif 000072
2020124508.tif 000073
2020124508.tif 000074
2020124508.tif 000075
2020124508.tif 000076
2020124508.tif 000077
2020124508.tif 000078
2020124508.tif 000079
2020124508.tif 000080
2020124508.tif 000081
2020124508.tif 000082
2020124508.tif 000083
2020124508.tif 000084
2020124508.tif 000085
2020124508.tif 000086
2020124508.tif 000087
2020124508.tif 000088
2020124508.tif 000089
2020124508.tif 000090
2020124508.tif 000091
2020124508.tif 000092
2020124508.tif 000093
2020124508.tif 000094
2020124508.tif 000095
2020124508.tif 000096
2020124508.tif 000097
2020124508.tif 000098
2020124508.tif 000099
2020124508.tif 000100
2020124508.tif 000101
2020124508.tif 000102
2020124508.tif 000103
2020124508.tif 000104
2020124508.tif 000105
2020124508.tif 000106
2020124508.tif 000107
2020124508.tif 000108
2020124508.tif 000109
2020124508.tif 000110
2020124508.tif 000111
2020124508.tif 000112
2020124508.tif 000113
2020124508.tif 000114
2020124508.tif 000115
2020124508.tif 000116
2020124508.tif 000117
2020124508.tif 000118
2020124508.tif 000119
2020124508.tif 000120
2020124508.tif 000121
2020124508.tif 000122
2020124508.tif 000123
2020124508.tif 000124
2020124508.tif 000125
2020124508.tif 000126
2020124508.tif 000127
2020124508.tif 000128
2020124508.tif 000129
2020124508.tif 000130
2020124508.tif 000131
2020124508.tif 000132
2020124508.tif 000133